(57)【要約】  本発明は、液晶表示装置に搭載される光源の制御方法に関する。  本発明は、電圧の印加に応じて、配向を変化させる液晶を有することで画像を表示させる液晶表示パネル（６０）と、上記液晶表示パネルに供給する光を発するＰＷＭ調光方式のＬＥＤ（７１）を内蔵するバックライトユニット（７０）と、上記液晶表示パネルおよび上記バックライトユニットを制御するコントロールユニット（１）と、を含む。  液晶分子（６１Ｍ）の応答速度（Ｖｒ）が比較的に速い場合（Ｖｒ２）には、比較的低い駆動周波数（ＦＱ［ＰＷＭ］１）でＬＥＤ（７１）が駆動される一方で、液晶分子（６１Ｍ）の応答速度（Ｖｒ）が比較的に遅い場合（Ｖｒ１）には、比較的高い駆動周波数（ＦＱ［ＰＷＭ］２）でＬＥＤ（７１）が駆動される。  本発明によると、液晶分子の傾き度合いに応じて生じやすい画質の不具合（多重輪郭）が防止される。本発明は、例えば、ＶＡ−ＩＰＳモードの液晶表示装置に用いられる。
2011001720.tif 000002
【特許請求の範囲】
【請求項１】
電圧の印加に応じて、配向を変化させる液晶を有することで画像を表示させる液晶表示パネルと、
上記液晶表示パネルに供給する光を発するＰＷＭ調光方式の光源を内蔵するバックライトユニットと、
上記液晶表示パネルおよび上記バックライトユニットを制御する制御ユニットと、
を含む液晶表示装置にあって、
上記液晶は、上記液晶表示パネルに含まれ２枚の基板の間に介在し、
一方の基板にて上記液晶側に向く一面に、第１電極と第２電極とが対向して並び、
上記液晶に含まれる液晶分子は、
ポジ型で、両電極に電圧を印加されない場合に、自身の長軸方向を、２枚の上記基板の垂直方向に沿わせるように配向されており、
上記制御ユニットは、上記液晶における液晶分子の配向変化の応答速度データを取得し、その応答速度データに応じて、ＰＷＭ調光信号の駆動周波数を変化させる液晶表示装置。
【請求項２】
上記制御ユニットは、少なくとも１つの任意の応答速度データ閾値を有し、その応答速度データ閾値を境にして任意の応答速度データ範囲を複数設定し、上記応答速度データ範囲毎に、上記駆動周波数を変える請求項１に記載の液晶表示装置。
【請求項３】
複数の上記応答速度データ範囲におけるデータ値の大小関係と逆関係になるように、上記駆動周波数が、上記応答速度データ範囲毎に変えられる請求項２に記載の液晶表示装置。
【請求項４】
上記駆動周波数は、フレーム周波数と同数または以上である請求項１〜３のいずれか１項に記載の液晶表示装置。
【請求項５】
上記駆動周波数は、フレーム周波数に対する整数倍である請求項４に記載の液晶表示装置。
【請求項６】
上記液晶の温度を測定する第１温度センサが含まれており、
上記制御ユニットは、液晶温度に依存した上記液晶分子の応答速度データを記憶するとともに、上記応答速度データの少なくとも１つを応答速度データ閾値として記憶した記憶部を含み、上記第１温度センサの温度データと上記液晶温度とを対応づけることで、上記応答速度データを取得する請求項１〜５のいずれか１項に記載の液晶表示装置。
【請求項７】
上記制御ユニットは、映像データをヒストグラム化することで、階調に対する度数分布を示すヒストグラムデータを生成するヒストグラムユニットを含んでおり、
上記制御ユニットは、上記ヒストグラムデータの全階調を区分けし、分けられた階調範囲のうちの少なくとも１つの特定の階調範囲における占有率が、占有率閾値を超過するか以下かを判断し、
上記占有率閾値を超過する場合の上記駆動周波数を、上記占有率閾値以下の場合の上記駆動周波数よりも低くする一方、上記占有率閾値以下の場合の上記駆動周波数を、上記占有率閾値を超過する場合の上記駆動周波数よりも高くする、
請求項１〜６のいずれか１項に記載の液晶表示装置。
【請求項８】
上記液晶の温度を測定する第１温度センサが含まれており、
上記制御ユニットは、上記占有率閾値を記憶する記憶部を含んでおり、
上記の特定の階調範囲および上記占有率の占有率閾値の少なくとも一方を、上記第１温度センサの温度データに応じて変えられる請求項７に記載の液晶表示装置。
【請求項９】
上記制御ユニットは、フレームレートコントロール処理を行うＦＲＣ処理部を含んでおり、
上記制御ユニットは、上記ＦＲＣ処理部のフレームレートコントロール処理の有無に応じて、上記駆動周波数を変化させる請求項１〜８のいずれか１項に記載の液晶表示装置。
【請求項１０】
フレームレートコントロール処理が有る場合の上記駆動周波数は、フレームレートコントロール処理が無い場合の上記駆動周波数に比べて、低い請求項９に記載の液晶表示装置。
【請求項１１】
上記制御ユニットは、上記液晶表示パネルの視聴モードを切り替える視聴モード設定部を含んでおり、
上記視聴モード設定部が上記視聴モードを切り替えた場合、
上記制御ユニットは、選択された上記視聴モードに応じて、上記駆動周波数を変化させる請求項１〜１０のいずれか１項に記載の液晶表示装置。
【請求項１２】
上記視聴モード設定部が、映像データの動画レベルに応じて、高動画レベル視聴モードと低動画レベル視聴モードとを設定している場合、
複数の上記視聴モードにおける動画レベルの高低関係と逆関係になるように、上記駆動周波数が、選択された上記視聴モード毎に変えられる請求項１１に記載の液晶表示装置。
【請求項１３】
上記視聴モード設定部が、映像データのコントラストレベルに応じて、高コントラストレベル視聴モードと低コントラストレベル視聴モードとを設定している場合、
複数の上記視聴モードにおけるコントラストレベルの高低関係と逆関係になるように、上記駆動周波数が、選択された上記視聴モード毎に変えられる請求項１１または１２に記載の液晶表示装置。
【請求項１４】
上記制御ユニットは、外部の照度データを取得し、その照度データに応じて、上記駆動周波数を変化させる請求項１〜１３のいずれか１項に液晶表示装置。
【請求項１５】
複数の上記照度データ範囲毎におけるデータ値の大小関係と逆関係になるように、上記駆動周波数が、上記照度データ範囲毎に変えられる請求項１４に記載の液晶表示装置。
【請求項１６】
外部の照度を測定する照度センサが含まれており、
上記照度データは、上記照度センサの測定照度である請求項１４または１５に記載の液晶表示装置。
【請求項１７】
上記制御ユニットは、１フレーム期間における最後のタイミングと、上記ＰＷＭ調光信号におけるハイ期間の最後のタイミングとを同期させている請求項１〜１６のいずれか１項に記載の液晶表示装置。
【請求項１８】
上記制御ユニットは、連続するフレームにて、少なくとも１つのフレーム分の期間に合わせて、上記ＰＷＭ調光信号のロー期間を合致させる請求項１〜１７のいずれか１項に記載の液晶表示装置。
【請求項１９】
上記光源は複数有り、上記液晶表示パネルの面に、部分的に光供給可能に配置されており、
複数の上記光源を区分けし、区分けされた単数または複数の上記光源を、区分け光源とすると、
上記制御ユニットは、上記区分け光源毎に、上記駆動周波数を変化させる請求項１〜１８のいずれか１項に記載の液晶表示装置。
【請求項２０】
上記区分け光源の個数が複数である場合、
上記区分け光源は、上記液晶表示パネルの面内にて、
ライン状に光を照射、上記面内を規則的に分けたブロックに合わせて光を照射、または、上記面内の一部エリアに合わせて光を照射する請求項１９に記載の液晶表示装置。
【請求項２１】
上記制御ユニットは、
上記液晶への印加電圧をオーバードライブさせる機能を含んでおり、
上記オーバードライブの有無に応じて、上記駆動周波数を変化させる請求項１〜２０のいずれか１項に記載の液晶表示装置。
【請求項２２】
電圧の印加に応じて、配向を変化させる液晶を有する液晶表示パネルと、
上記液晶表示パネルに供給する光を発するＰＷＭ調光方式の光源を内蔵するバックライトユニットと、
を含む液晶表示装置の光源制御方法にあって、
上記液晶は、上記液晶表示パネルに含まれ２枚の基板の間に介在し、
一方の基板にて上記液晶側に向く一面に、第１電極と第２電極とが対向して並び、
上記液晶に含まれる液晶分子は、
ポジ型で、両電極に電圧を印加されない場合に、自身の長軸方向を、２枚の上記基板の垂直方向に沿わせるように配向されており、
上記液晶における液晶分子の配向変化の応答速度データを取得し、その応答速度データに応じて、ＰＷＭ調光信号の駆動周波数を変化させるステップを含む光源制御方法。
【発明の詳細な説明】
【技術分野】
【０００１】
本発明は、表示装置である液晶表示装置、および、液晶表示装置に搭載される光源の制御方法に関する。
【背景技術】
【０００２】
非発光型の液晶表示パネル（表示パネル）を搭載する液晶表示装置（表示装置）では、通常、その液晶表示パネルに対して、光を供給するバックライトユニット（照明装置）も搭載される。バックライトユニットにおける光源には、種々の種類が存在する。例えば、特許文献１に示されるバックライトユニットの場合、光源はＬＥＤ（Light  Emitting  Diode)である。【０００３】
そして、このようなＬＥＤは、周知のＰＷＭ（Pulse  Width  Modulation）制御にて駆動する。特に、ＬＥＤは、１フレーム期間内（１垂直期間内）にて、時系列的に、点灯と消灯とを行うように設定される。【０００４】
通常、液晶表示装置のような、いわゆるホールド型の表示装置の場合、連続するフレーム画像にあって、１フレーム期間にわたって同じ画像が表示される。すると、人間は、途切れることのない画像を見続けることになり、その画像に、残像、ボケ等を感じることがある。【０００５】
そこで、特許文献１の液晶表示装置は、１フレーム期間にて、時系列的に、点灯と消灯とを行い、擬似的に、１フレームの画像を非連続的に表示する（このように消灯時間を設定することを、黒挿入と称する）。すなわち、特許文献１の液晶表示装置は、インパルス型の表示装置｛例えば、ＣＲＴ（Cathode  Ray  Tube）を搭載する表示装置｝のように駆動する。これにより、この液晶表示装置は、例えば動画性能の向上を図る。
【先行技術文献】
【特許文献】
【０００６】
【特許文献１】特開２００６−５３５２０号公報
【発明の概要】
【発明が解決しようとする課題】
【０００７】
しかしながら、黒挿入による動画性能の向上を図る場合、液晶の種々特性の影響を受けやすい。例えば、液晶表示パネルは、液晶分子の傾きで、バックライトユニットからの光の透過率を変え、画像を表示する。そのため、画質は、液晶分子の傾く速度（応答速度）の影響を受けやすい。すると、応答速度によっては、一律的に、ＬＥＤの点灯時間および消灯時間が変えられるだけでは、残像が改善されなかったり、さらには、多重輪郭等の画質劣化が発生したりする。【０００８】
本発明は、上記の問題点を解決するためになされたものである。そして、その目的は、液晶の特性を考慮して、光源を制御することで、画質向上を図る液晶表示装置等を提供することにある。
【課題を解決するための手段】
【０００９】
液晶表示装置は、電圧の印加に応じて、配向を変化させる液晶を有することで画像を表示させる液晶表示パネルと、液晶表示パネルに供給する光を発するＰＷＭ調光方式の光源を内蔵するバックライトユニットと、液晶表示パネルおよびバックライトユニットを制御する制御ユニットと、を含む。【００１０】
この液晶表示装置では、液晶は、液晶表示パネルに含まれ２枚の基板の間に介在し、一方の基板にて液晶側に向く一面に、第１電極と第２電極とが対向して並ぶ。そして、その液晶に含まれる液晶分子は、ポジ型で、両電極に電圧を印加されない場合に、自身の長軸方向を、２枚の基板の垂直方向に沿わせるように配向される。【００１１】
さらに、この液晶表示装置では、制御ユニットは、液晶における液晶分子の配向変化の応答速度データを取得し、その応答速度データに応じて、ＰＷＭ調光信号の駆動周波数を変化させる。【００１２】
このようになっていると、液晶分子の応答速度、すなわち液晶分子の傾き状態を考慮して、光源が発光制御される。そのため、この液晶表示装置では、液晶分子の傾き度合いに応じて生じやすい画質の不具合（多重輪郭等）が防止される。【００１３】
なお、制御ユニットは、少なくとも１つの任意の応答速度データ閾値を有し、その応答速度データ閾値を境にして任意の応答速度データ範囲を複数設定し、応答速度データ範囲毎に、駆動周波数を変えると望ましい。このようになっていると、多段階的に、駆動周波数が変化させられるので、画質の不具合が一層防げる。【００１４】
特に、複数の応答速度データ範囲におけるデータ値の大小関係と逆関係になるように、駆動周波数が、応答速度データ範囲毎に変えられると望ましい。【００１５】
なお、駆動周波数は、フレーム周波数と同数または以上であると望ましい。さらには、駆動周波数は、フレーム周波数に対する整数倍であると望ましい。【００１６】
なお、液晶表示装置には、液晶の温度を測定する第１温度センサが含まれており、制御ユニットは、液晶温度に依存した液晶分子の応答速度データを記憶するとともに、応答速度データの少なくとも１つを応答速度データ閾値として記憶した記憶部を含み、第１温度センサの温度データと液晶温度とを対応づけることで、応答速度データを取得すると望ましい。【００１７】
ところで、液晶表示装置には、画質を向上させるために、種々の機能がある。そこで、それらの機能に対応して、制御ユニットは駆動周波数の設定を行うと望ましい。【００１８】
例えば、制御ユニットは、映像データをヒストグラム化することで、階調に対する度数分布を示すヒストグラムデータを生成するヒストグラムユニットを含む。そして、制御ユニットは、ヒストグラムデータの全階調を区分けし、分けられた階調範囲のうちの少なくとも１つの特定の階調範囲における占有率が、占有率閾値を超過するか以下かを判断する。【００１９】
そして、制御ユニットは、占有率閾値を超過する場合の駆動周波数を、占有率閾値以下の場合の駆動周波数よりも低くする一方、占有率閾値以下の場合の駆動周波数を、占有率閾値を超過する場合の駆動周波数よりも高くする、と望ましい。このようになっていると、ヒストグラムデータを用いた画質向上の機能に対応して、駆動周波数が設定され、さらに一層、画質の向上が図れる。【００２０】
なお、液晶表示装置には、液晶の温度を測定する第１温度センサが含まれており、制御ユニットは、占有率閾値を記憶する記憶部を含んでおり、特定の階調範囲および占有率の占有率閾値の少なくとも一方を、第１温度センサの温度データに応じて変えられると望ましい。【００２１】
また、このような液晶表示パネルを搭載する液晶表示装置にて、ヒストグラムデータを用いた画質向上の機能に対応して、駆動周波数が設定されるならば、フレーム周波数が１２０Ｈｚ、温度データが２０℃、特定の階調範囲が、全階調範囲０以上２５５以下のうちの１００以上１９２以下の階調範囲の場合、駆動周波数が、４８０Ｈｚであると望ましい。【００２２】
また、制御ユニットは、フレームレートコントロール処理を行うＦＲＣ処理部を含む。そして、制御ユニットは、ＦＲＣ処理部のフレームレートコントロール処理の有無に応じて、駆動周波数を変化させると望ましい。このようになっていると、ＦＲＣ処理のＯＮ／ＯＦＦに対応して、駆動周波数が設定され、さらに一層、画質の向上が図れる。【００２３】
なお、フレームレートコントロール処理が有る場合の駆動周波数は、フレームレートコントロール処理が無い場合の駆動周波数に比べて、低いと望ましい。【００２４】
また、制御ユニットは、液晶表示パネルの視聴モードを切り替える視聴モード設定部を含んでおり、視聴モード設定部が視聴モードを切り替えた場合、その制御ユニットは、選択された視聴モードに応じて、駆動周波数を変化させると望ましい。このようになっていると、視聴モードに対応して、駆動周波数が設定され、さらに一層、画質の向上が図れる。【００２５】
なお、視聴モード毎にＰＷＭ設定（ＰＷＭ調光信号の駆動周波数の設定）が可能なために、視聴モード設定部が、映像データの動画レベルに応じて、高動画レベル視聴モードと低動画レベル視聴モードとを設定している場合、複数の視聴モードにおける動画レベルの高低関係と逆関係になるように、駆動周波数が、選択された視聴モード毎に変えられると望ましい。【００２６】
また、視聴モード毎にＰＷＭ設定（ＰＷＭ調光信号の駆動周波数の設定）が可能なために、視聴モード設定部が、映像データのコントラストレベルに応じて、高コントラストレベル視聴モードと低コントラストレベル視聴モードとを設定している場合、複数の視聴モードにおけるコントラストレベルの高低関係と逆関係になるように、駆動周波数が、選択された視聴モード毎に変えられると望ましい。【００２７】
また、制御ユニットは、外部の照度データを取得し、その照度データに応じて、駆動周波数を変化させると望ましい。このようになっていると、液晶表示装置の置かれている環境の明暗に対応して、駆動周波数が設定され、さらに一層、画質の向上が図れる。【００２８】
なお、複数の照度データ範囲毎におけるデータ値の大小関係と逆関係になるように、駆動周波数が、照度データ範囲毎に変えられると望ましい。【００２９】
また、外部の照度を測定する照度センサが含まれており、照度データは、照度センサの測定照度であると望ましい。【００３０】
ところで、制御ユニットは、１フレーム期間における最後のタイミングと、ＰＷＭ調光信号におけるハイ期間の最後のタイミングとを同期させていると望ましい。このようになっていると、液晶分子の傾き初期段階で、光が供給されない。つまり、所定角度に達していない液晶分子に光が供給されなくなり、それに起因して、画質の不具合が生じにくい。【００３１】
また、制御ユニットは、連続するフレームにて、少なくとも１つのフレーム分の期間に合わせて、ＰＷＭ調光信号のロー期間を合致させると望ましい。【００３２】
また、液晶表示装置では、光源は複数有り、液晶表示パネルの面に、部分的に光供給可能に配置されている。そこで、複数の光源を区分けし、区分けされた単数または複数の光源を、区分け光源とする。すると、制御ユニットは、区分け光源毎に、駆動周波数を変化させると望ましい。【００３３】
このようになっていると、全ての光源が一括に制御されず、部分的な制御ができるので、消費電力が抑えられる。その上、局所的に駆動周波数が変化させられることで、部分的な光量制御が実現するので、輝度レベルの変化が抑えられ、最適な画質提供が可能になる。【００３４】
例えば、区分け光源の個数が複数である場合、区分け光源は、液晶表示パネルの面内にて、ライン状に光を照射、面内を規則的に分けたブロックに合わせて光を照射、または、面内の一部エリアに合わせて光を照射すると望ましい。【００３５】
また、制御ユニットは、液晶への印加電圧をオーバードライブさせる機能を含んでおり、オーバードライブの有無に応じて、ＰＷＭ調光信号の駆動周波数を変化させると望ましい。このような制御であっても、液晶表示装置の画質向上を実現できるためである。【００３６】
なお、以上のような液晶装置では、液晶は、液晶表示パネルに含まれ２枚の基板の間に介在し、一方の基板にて液晶側に向く一面に、第１電極と第２電極とが対向して並ぶ。そして、その液晶に含まれる液晶分子は、ポジ型で、両電極に電圧を印加されない場合に、自身の長軸方向を、２枚の基板の垂直方向に沿わせるように配向される。【００３７】
このような液晶表示装置、特に、電圧の印加に応じて、配向を変化させる液晶を有する液晶表示パネルと、液晶表示パネルに供給する光を発するＰＷＭ調光方式の光源を内蔵するバックライトユニットと、を含む液晶表示装置では、光源は以下のような制御方法で制御される。すなわち、液晶における液晶分子の配向変化の応答速度データを取得し、その応答速度データに応じて、ＰＷＭ調光信号の駆動周波数を変化させるステップを含む。【００３８】
また、以上のような液晶表示装置、特に、電圧の印加に応じて、配向を変化させる液晶を有する液晶表示パネルと、液晶表示パネルに供給する光を発するＰＷＭ調光方式の光源を内蔵するバックライトユニットと、液晶表示パネルおよびバックライトユニットを制御する制御ユニットと、を含む液晶表示装置では、光源は、以下のような光源制御プログラムで制御される。すなわち、液晶における液晶分子の配向変化の応答速度データを取得し、その応答速度データに応じて、ＰＷＭ調光信号の駆動周波数を変化させるステップを、制御ユニットに実行させる。【００３９】
なお、以上のような光源制御プログラムを記録しているコンピュータ読み取り可能な記録媒体も本発明といえる。
【発明の効果】
【００４０】
本発明によれば、液晶表示パネルの透過率を左右する液晶分子の傾き状態に応じて、光源が発光制御される。そのため、液晶分子の傾き度合いに応じて生じやすい画質の不具合（多重輪郭等）が防止される。
【図面の簡単な説明】
【００４１】
【図１】は、液晶表示装置のブロック図である。
【図２】は、液晶表示装置のブロック図の一部分を抽出し、詳細にしたブロック図である。
【図３】は、液晶表示装置のブロック図の一部分を抽出し、詳細にしたブロック図である。
【図４】は、液晶表示パネルの部分断面図である。
【図５】は、ＭＶＡモード（スリットタイプ）の液晶で、電圧が印加されていない場合（ＯＦＦの場合）の液晶分子の配向を示す斜視図である。
【図６】は、ＭＶＡモード（スリットタイプ）の液晶で、電圧が印加されている場合（ＯＮの場合）の液晶分子の配向を示す斜視図である。
【図７】は、ＭＶＡモード（リブタイプ）の液晶で、電圧が印加されていない場合（ＯＦＦの場合）の液晶分子の配向を示す斜視図である。
【図８】は、ＭＶＡモード（リブタイプ）の液晶で、電圧が印加されている場合（ＯＮの場合）の液晶分子の配向を示す斜視図である。
【図９】は、ＩＰＳモードの液晶で、電圧が印加されていない場合（ＯＦＦの場合）の液晶分子の配向を示す斜視図である。
【図１０】は、ＩＰＳモードの液晶で、電圧が印加されている場合（ＯＮの場合）の液晶分子の配向を示す斜視図である。
【図１１】は、櫛歯状の画素電極と櫛歯状の対向電極とを示す斜視図である。
【図１２Ａ】は、人物像を表示した液晶表示パネルの画面を示す平面図である。
【図１２Ｂ】は、黒画像と白画像とを表示した液晶表示パネルの画面を示す平面図である。
【図１２Ｃ】は、黒画像と白画像とを表示した液晶表示パネルの画面を示す平面図である。
【図１２Ｄ】は、黒画像と白画像とを表示した液晶表示パネルの画面を示す平面図である。
【図１２Ｅ】は、黒画像と白画像とを表示した液晶表示パネルの画面を示す平面図である。
【図１３Ａ】は、比較的遅い応答速度の液晶に対して、Duty１００％のＰＷＭ調光信号で駆動するＬＥＤの光が供給される場合での、時間に対する液晶分子の傾き量、ＰＷＭ調光信号の波形、輝度変化を示したグラフである。
【図１３Ｂ】は、比較的遅い応答速度の液晶に対して、Duty５０％のＰＷＭ調光信号で駆動するＬＥＤの光が供給される場合での、時間に対する液晶分子の傾き量、ＰＷＭ調光信号の波形、輝度変化を示したグラフである。
【図１３Ｃ】は、比較的速い応答速度の液晶に対して、Duty１００％のＰＷＭ調光信号で駆動するＬＥＤの光が供給される場合での、時間に対する液晶分子の傾き量、ＰＷＭ調光信号の波形、輝度変化を示したグラフである。
【図１３Ｄ】は、比較的速い応答速度の液晶に対して、Duty５０％のＰＷＭ調光信号で駆動するＬＥＤの光が供給される場合での、時間に対する液晶分子の傾き量、ＰＷＭ調光信号の波形、輝度変化を示したグラフである。
【図１４】は、黒画像と白画像との境界付近の積分輝度を示したグラフ、および、境界画像のイメージ図である（ただし、液晶の応答速度が比較的遅く、ＰＷＭ調光信号がDuty１００％の場合）。
【図１５】は、黒画像と白画像との境界付近の積分輝度を示したグラフ、および、境界画像のイメージ図である（ただし、液晶の応答速度が比較的遅く、ＰＷＭ調光信号がDuty５０％の場合）。
【図１６】は、黒画像と白画像との境界付近の積分輝度を示したグラフ、および、境界画像のイメージ図である（ただし、液晶の応答速度が比較的速く、ＰＷＭ調光信号がDuty１００％の場合）。
【図１７】は、黒画像と白画像との境界付近の積分輝度を示したグラフ、および、境界画像のイメージ図である（ただし、液晶の応答速度が比較的速く、ＰＷＭ調光信号がDuty５０％の場合）。
【図１８】は、図１４〜図１７から導き出せる画質評価をまとめた表である。
【図１９】は、液晶分子の応答速度と、ＰＷＭ調光信号のDuty（黒挿入率）との関係を示した表である。
【図２０】は、液晶分子の応答速度におけるデータ値と、ＰＷＭ調光信号のDuty（黒挿入率）におけるデータ値との関係を矢印で示した表である。
【図２１】は、液晶分子の応答速度におけるデータ値と、ＰＷＭ調光信号のDuty（黒挿入率）におけるデータ値との関係を矢印で示した表である。
【図２２】は、液晶温度のデータ値と、液晶分子の応答速度におけるデータ値と、ＰＷＭ調光信号のDuty（黒挿入率）におけるデータ値との関係を矢印で示した表である。
【図２３Ａ】は、同じ電流値のＰＷＭ調光信号の波形と輝度との関係を示す説明図である（ただし、Dutyは１００％および５０％）。
【図２３Ｂ】は、図２３ＡでのDuty１００％の輝度と同輝度になるように調整された電流値を有するＰＷＭ調光信号の波形と、輝度との関係を示す説明図である（ただし、Dutyは８０％）。
【図２３Ｃ】は、図２３ＡでのDuty１００％の輝度と同輝度になるように調整された電流値を有するＰＷＭ調光信号の波形と、輝度との関係を示す説明図である（ただし、Dutyは６０％）。
【図２３Ｄ】は、図２３ＡでのDuty１００％の輝度と同輝度になるように調整された電流値を有するＰＷＭ調光信号の波形と、輝度との関係を示す説明図である（ただし、Dutyは５０％）。
【図２４】は、液晶温度のデータ値と、液晶分子の応答速度におけるデータ値と、ＰＷＭ調光信号のDuty（黒挿入率）におけるデータ値と、ＰＷＭ調光信号の電流値におけるデータ値との関係を矢印で示した表である。
【図２５】は、ＦＲＣ処理があることを考慮して、ＰＷＭ調光信号のDutyが設定される場合のフローチャートである。
【図２６】は、ＦＲＣ処理の有無と、ＰＷＭ調光信号のDuty（黒挿入率）との関係を示した表である。
【図２７】は、視聴モード（動画レベルの変更）を考慮して、ＰＷＭ調光信号のDutyが設定される場合のフローチャートである。
【図２８】は、動画レベルと、ＰＷＭ調光信号のDuty（黒挿入率）との関係を示した表である。
【図２９】は、視聴モード（コントラスト比の変更）を考慮して、ＰＷＭ調光信号のDutyが設定される場合のフローチャートである。
【図３０】は、コントラスト比と、ＰＷＭ調光信号のDuty（黒挿入率）との関係を示した表である。
【図３１】は、視聴モード（動画レベルとコントラスト比との両方）を考慮して、ＰＷＭ調光信号のDutyが設定される場合のフローチャートである。
【図３２】は、環境対応機能を考慮して、ＰＷＭ調光信号のDutyが設定される場合のフローチャートである。
【図３３】は、環境対応機能に使用される照度データと、ＰＷＭ調光信号のDuty（黒挿入率）との関係を示した表である。
【図３４】は、階調値と液晶分子の応答時間との関係を示すグラフである（ただし、ＭＶＡモードの液晶で、液晶温度が比較的高温の場合）。
【図３５】は、階調値と液晶分子の応答時間との関係を示すグラフである（ただし、ＭＶＡモードの液晶で、液晶温度が比較的低温の場合）。
【図３６】は、映像信号対応機能を考慮して、ＰＷＭ調光信号のDutyが設定される場合のフローチャートである。
【図３７】は、映像信号対応機能にて使用される特定階調範囲の占有率と、階調値と、ＰＷＭ調光信号のDuty（黒挿入率）との関係を示した表である（ただし、液晶はＭＶＡモード）。
【図３８】は、階調値と液晶分子の応答時間との関係を示すグラフである（ただし、ＩＰＳモードの液晶で、液晶温度が比較的高温の場合）。
【図３９】は、階調値と液晶分子の応答時間との関係を示すグラフである（ただし、ＩＰＳモードの液晶で、液晶温度が比較的低温の場合）。
【図４０】は、種々機能を考慮して、ＰＷＭ調光信号のDutyが設定される場合のフローチャートである。
【図４１】は、黒画像と白画像との境界付近の積分輝度を示したグラフである（ただし、液晶の応答速度が比較的遅く、ＰＷＭ調光信号がDuty７０％の場合）。
【図４２】は、黒画像と白画像との境界付近の積分輝度を示したグラフである（ただし、液晶の応答速度が比較的遅く、ＰＷＭ調光信号がDuty３０％の場合）。
【図４３】は、黒画像と白画像との境界付近の積分輝度を示したグラフである（ただし、液晶の応答速度が比較的速く、ＰＷＭ調光信号がDuty７０％の場合）。
【図４４】は、黒画像と白画像との境界付近の積分輝度を示したグラフである（ただし、液晶の応答速度が比較的速く、ＰＷＭ調光信号がDuty３０％の場合）。
【図４５】は、液晶表示装置のブロック図である。
【図４６】は、液晶表示装置のブロック図の一部分を抽出し、詳細にしたブロック図である。
【図４７】は、液晶表示装置のブロック図の一部分を抽出し、詳細にしたブロック図である。
【図４８Ａ】は、比較的遅い応答速度の液晶に対して、Duty５０％のＰＷＭ調光信号で駆動するＬＥＤの光が供給される場合での、時間に対する液晶分子の傾き量、ＰＷＭ調光信号の波形、輝度変化を示したグラフである（ただし、ＰＷＭ調光信号の駆動周波数１２０Ｈｚ）。
【図４８Ｂ】は、比較的遅い応答速度の液晶に対して、Duty５０％のＰＷＭ調光信号で駆動するＬＥＤの光が供給される場合での、時間に対する液晶分子の傾き量、ＰＷＭ調光信号の波形、輝度変化を示したグラフである（ただし、ＰＷＭ調光信号の駆動周波数４８０Ｈｚ）。
【図４９】は、黒画像と白画像との境界付近の積分輝度を示したグラフで、および、境界画像のイメージ図である（ただし、液晶の応答速度が比較的遅く、ＰＷＭ調光信号が、駆動周波数４８０ＨＺで、Duty５０％の場合）。
【図５０】は、液晶分子の応答速度と、ＰＷＭ調光信号の駆動周波数との関係を示した表である。
【図５１】は、液晶分子の応答速度におけるデータ値と、ＰＷＭ調光信号の駆動周波数におけるデータ値との関係を矢印で示した表である。
【図５２】は、液晶分子の応答速度におけるデータ値と、ＰＷＭ調光信号の駆動周波数におけるデータ値との関係を矢印で示した表である。
【図５３】は、液晶温度におけるデータ値と、液晶分子の応答速度のデータ値と、ＰＷＭ調光信号の駆動周波数におけるデータ値との関係を矢印で示した表である。
【図５４】は、映像信号対応機能があることを考慮して、ＰＷＭ調光信号の駆動周波数が設定される場合のフローチャートである。
【図５５】は、映像信号対応機能にて使用される特定階調範囲の占有率と、輝度と、ＰＷＭ調光信号のDutyと、ＰＷＭ調光信号の駆動周波数との関係を示した表である（ただし、液晶はＭＶＡモード）。
【図５６】は、ＦＲＣ処理があることを考慮して、ＰＷＭ調光信号の駆動周波数が設定される場合のフローチャートである。
【図５７】は、ＦＲＣ処理の有無と、ＰＷＭ調光信号の駆動周波数との関係を示した表である。
【図５８】は、視聴モード（動画レベルの変更）を考慮して、ＰＷＭ調光信号の駆動周波数が設定される場合のフローチャートである。
【図５９】は、動画レベルと、ＰＷＭ調光信号の駆動周波数との関係を示した表である。
【図６０】は、視聴モード（コントラスト比の変更）を考慮して、ＰＷＭ調光信号の駆動周波数が設定される場合のフローチャートである。
【図６１】は、コントラスト比と、ＰＷＭ調光信号の駆動周波数との関係を示した表である。
【図６２】は、視聴モード（動画レベルとコントラスト比との両方）を考慮して、ＰＷＭ調光信号の駆動周波数が設定される場合のフローチャートである。
【図６３】は、環境対応機能を考慮して、ＰＷＭ調光信号の駆動周波数が設定される場合のフローチャートである。
【図６４】は、環境対応機能に使用される照度データと、ＰＷＭ調光信号の駆動周波数との関係を示した表である。
【図６５】は、種々機能を考慮して、ＰＷＭ調光信号の駆動周波数が設定される場合のフローチャートである。
【図６６】は、種々機能を考慮して、ＰＷＭ調光信号の駆動周波数が設定される場合のフローチャートである。
【図６７】は、１２０Ｈｚ、４８０Ｈｚ、６０ＨｚのＰＷＭ調光信号の波形を並列された信号波形図である。
【図６８Ａ】は、比較的遅い応答速度の液晶に対して、Duty５０％のＰＷＭ調光信号で駆動するＬＥＤの光が供給される場合での、時間に対する液晶分子の傾き量、ＰＷＭ調光信号の波形、輝度変化を示したグラフである（ただし、ＰＷＭ調光信号の駆動周波数１２０Ｈｚで、液晶への印加電圧がオーバードライブ駆動ではない）。
【図６８Ｂ】は、比較的遅い応答速度の液晶に対して、Duty５０％のＰＷＭ調光信号で駆動するＬＥＤの光が供給される場合での、時間に対する液晶分子の傾き量、ＰＷＭ調光信号の波形、輝度変化を示したグラフである（ただし、ＰＷＭ調光信号の駆動周波数１２０Ｈｚで、液晶への印加電圧がオーバードライブ駆動である）。
【図６９】は、黒画像と白画像との境界付近の積分輝度を示したグラフである。
【図７０】は、液晶表示装置の分解斜視図である。
【図７１】は、中心に白画像、その白画像の周りに黒画像を表示する液晶表示パネルと、その液晶表示パネルの画像に対応するバックライトユニットとを併記した平面図である。
【図７２】は、液晶表示装置の分解斜視図である。
【図７３】は、ＶＡ−ＩＰＳモードの液晶で、電圧が印加されていない場合（ＯＦＦの場合）の液晶分子の配向を示す斜視図である。
【図７４】は、ＶＡ−ＩＰＳモードの液晶で、電圧が印加されている場合（ＯＮの場合）の液晶分子の配向を示す斜視図である。
【図７５】は、階調値と液晶分子の応答時間との関係を示すグラフである（ただし、ＶＡ−ＩＰＳモードの液晶で、液晶温度が比較的高温の場合）。
【図７６】は、階調値と液晶分子の応答時間との関係を示すグラフである（ただし、ＶＡ−ＩＰＳモードの液晶で、液晶温度が比較的低温の場合）。
【図７７】は、階調値と液晶分子の応答時間との関係を示すグラフである（ただし、ＭＶＡモード、ＩＰＳモード、ＶＡ−ＩＰＳモードの液晶で、液晶温度が比較的高温の場合）。
【図７８】は、階調値と液晶分子の応答時間との関係を示すグラフである（ただし、ＭＶＡモード、ＩＰＳモード、ＶＡ−ＩＰＳモードの液晶で、液晶温度が比較的高温の場合）。
【図７９】は、映像信号対応機能にて使用される特定階調範囲の占有率と、階調値と、ＰＷＭ調光信号のDuty（黒挿入率）との関係を示した表である（ただし、液晶はＶＡ−ＩＰＳモード）。
【図８０】は、映像信号対応機能にて使用される特定階調範囲の占有率と、輝度と、ＰＷＭ調光信号のDutyと、ＰＷＭ調光信号の駆動周波数との関係を示した表である（ただし、液晶はＶＡ−ＩＰＳモード）。
【発明を実施するための形態】
【００４２】
［■実施の形態１■］
実施の一形態について、図面に基づいて説明すれば、以下の通りである。なお、便宜上、部材符号等を省略する場合もあるが、かかる場合、他の図面を参照するものとする。また、信号の進行を示す矢印に信号種を示す符号が付されている場合があるが、矢印はその信号種のみの進行を意味するものではない。また、動作のステップを示すフローチャートは、一例であって、その動作の流れだけに限定されるものではない。
【００４３】
また、記載される数値実施例およびグラフ等は、一例にすぎず、その数値およびグラフ線に限定されるものではない。なお、以下では、表示装置の一例として、液晶表示装置を例に挙げて説明するが、これに限定されるものではなく、その他の表示装置でかまわない。
【００４４】
＜■液晶表示装置について＞
図１〜図３は、液晶表示装置９０に関する種々部材を示したブロック図である（なお、図２および図３は、図１の一部分を抽出し、詳細にしたブロック図である）。図１に示すように、液晶表示装置９０は、液晶表示パネル６０、バックライトユニット７０、ゲートドライバー８１、ソースドライバー８２、パネル用サーミスタ８３、環境用照度センサ８４、ＬＥＤドライバー８５、ＬＥＤ用サーミスタ８６、ＬＥＤ用輝度センサ８７、およびコントロールユニット（制御ユニット）１、を含む。
【００４５】
液晶表示パネル６０は、液晶６１（液晶分子６１Ｍ）を、アクティブマトリックス基板６２および対向基板６３を挟み込み（後述の図４参照）、その液晶６１を不図示のシール材を用いて封止する。なお、アクティブマトリックス基板６２には、ゲート信号線とソース信号線とが互いに交差するように配置され、さらに、両信号線の交差点には、液晶６１に対する印加電圧調整に要するスイッチング素子（例えば、Thin  Film  Transistor）が配置される。
【００４６】
バックライトユニット７０は、例えば、図１に示すようなＬＥＤ（Light  Emitting  Diode）７１のような光源（発光素子）を含み、そのＬＥＤ７１からの光を非発光型の液晶表示パネル６０に対して供給する。すると、液晶表示装置９０では、液晶分子６１Ｍの配向が、印加電圧に応じて調整されることで、液晶６１の透過率が部分的に変化し（要は、バックライトユニット７０からの光を外部に透過させる光量が変化し）、表示画像が変化する。
【００４７】
なお、バックライトユニット７０に含まれるＬＥＤ７１の種類は多々ある。例えば、白色光、赤色光、緑色光、または青色光を発するＬＥＤ７１が挙げられる。
【００４８】
ただし、白色光を発するＬＥＤ７１の場合、バックライトユニット７０に搭載されるＬＥＤ７１の全てが白色発光型であることに起因して、バックライト光も白色となる。なお、白色の生成の仕方も多々ある。例えば、赤色ＬＥＤチップ、緑色ＬＥＤチップ、および青色ＬＥＤチップを含み、混色で白色生成するＬＥＤ７１であってもよいし、蛍光発光を利用することで、白色生成するＬＥＤ７１であってもよい。
【００４９】
逆に、白色光以外の光を発するＬＥＤ７１の場合、混色によって白色のバックライト光が生成されるので、バックライトユニット７０に含まれるＬＥＤ７１は、赤色発光型ＬＥＤ７１、緑色発光型ＬＥＤ７１、青色発光型ＬＥＤ７１である。
【００５０】
なお、どのようなＬＥＤ７１であっても、配置は特に限定されることはなく、例えば図１に示すように、マトリックス配置が一例として挙げられる。また、ＬＥＤ７１は、周知のＰＷＭ（Pulse Width Modulation）制御で駆動する。
【００５１】
ゲートドライバー８１は、液晶表示パネル６０のゲート信号線に対して、スイッチング素子の制御信号（タイミング信号）であるゲート信号Ｇ−ＴＳを供給するドライバーである。なお、ゲート信号Ｇ−ＴＳは、コントロールユニット１によって生成される。
【００５２】
ソースドライバー８２は、液晶表示パネル６０のソース信号線に対して、画像データの一例である画素への書き込み信号（ＬＣＤ用映像信号ＶＤ-Ｓｐ’[ｌｅｄ]、または、ＬＣＤ用映像信号ＶＤ-Ｓｐ[ｌｅｄ]）；詳細は後述）を供給するドライバーである。詳説すると、ソースドライバー８２は、コントロールユニット１によって生成されるタイミング信号Ｓ−ＴＳに基づいて、書き込み信号をソース信号線に供給する（なお、書き込み信号およびタイミング信号Ｓ−ＴＳは、コントロールユニット１によって生成される）。
【００５３】
パネル用サーミスタ（第１温度センサ）８３は、液晶表示パネル６０の温度、詳説すると、液晶表示パネル６０に含まれる液晶６１の温度を測定する温度センサである。このパネル用サーミスタ８３が利用される点についての詳細は後述する。
【００５４】
環境用照度センサ８４は、液晶表示装置９０の置かれる環境の照度を測定する測光センサである。この環境用照度センサ８４が利用される点についての詳細は後述する。
【００５５】
ＬＥＤドライバー８５は、コントロールユニット１によって生成されるタイミング信号（Ｌ−ＴＳ）に基づいて、ＬＥＤ７１の制御信号（ＶＤ−Ｓｄ’［Ｗ・Ａ］）をＬＥＤ７１に供給する｛なお、ＬＥＤ７１の制御信号はコントロールユニット１によって生成される｝。詳説すると、ＬＥＤドライバー８５は、ＬＥＤコントローラ３０からの信号（ＰＷＭ調光信号ＶＤ-Ｓｄ’[Ｗ・Ａ]、タイミング信号Ｌ−ＴＳ）に基づいて、バックライトユニット７０におけるＬＥＤ７１を点灯制御する。
【００５６】
ＬＥＤ用サーミスタ８６は、バックライトユニット７０に搭載されたＬＥＤ７１の温度を測定する温度センサである。このＬＥＤ用サーミスタ８６が利用される点についての詳細は後述する。
【００５７】
ＬＥＤ用輝度センサ８７は、ＬＥＤ７１の輝度を測定する測光センサである。このＬＥＤ用輝度センサ８７が利用される点についての詳細は後述する。
【００５８】
＜■コントロールユニットについて＞
コントロールユニット１は、上述した種々信号を生成する制御ユニットであり、メインマイクロコンピュータ（メインマイコン）５１、映像信号処理部１０、液晶表示パネルコントローラ（ＬＣＤコントローラ）２０、およびＬＥＤコントローラ３０を含む。
【００５９】
≪◆メインマイコン≫
メインマイコン５１は、コントロールユニット１に含まれる、映像信号処理部１０、液晶表示パネルコントローラ２０、およびＬＥＤコントローラ３０に関する種々の制御を統括するものである（なお、メインマイコン５１と、これにより制御されるＬＥＤコントローラ３０とは、まとめて、マイコンユニット５０と称される場合がある）。
【００６０】
≪◆映像信号処理部≫
映像信号処理部１０は、図２に示すように、タイミング調整部１１、ヒストグラム処理部１２、演算処理部１３、Duty設定部１４、電流値設定部１５、視聴モード設定部１６、およびメモリ１７を含む。
【００６１】
タイミング調整部１１は、外部の信号源からの初期の画像信号（初期画像信号Ｆ−ＶＤ）を受信する。その初期画像信号Ｆ−ＶＤは、例えばテレビ信号であり、映像信号とその映像信号に同期する同期信号が含まれる（なお、映像信号は、例えば、赤色映像信号、緑色映像信号、青色映像信号、輝度信号で構成される）。
【００６２】
そこで、タイミング調整部１１は、この同期信号から、液晶表示パネル６０の画像表示に要する新たな同期信号（クロック信号ＣＬＫ、垂直同期信号ＶＳ、および水平同期信号ＨＳ等）を生成する。そして、タイミング調整部１１は、生成した新たな同期信号を、液晶表示パネルコントローラ２０およびマイコンユニット５０に送信する（図１・図２参照）。
【００６３】
ヒストグラム処理部１２は、初期画像信号Ｆ-ＶＤを受信し、その初期画像信号Ｆ-ＶＤに含まれる映像信号（映像データ）をヒストグラム化する。詳説すると、ヒストグラム処理部１２は、１フレーム毎における初期画像信号Ｆ−ＶＤでの各階調に対する度数分布を取得する。
【００６４】
ただし、ヒストグラム化されるデータは、初期画像信号Ｆ-ＶＤに限らない。例えば、後述するセパレータＬＥＤ信号ＶＤ-Ｓｄ、セパレータＬＣＤ信号ＶＤ-Ｓｐ、ＬＣＤ用映像信号ＶＤ-Ｓｐ[ｌｅｄ]、または、フレームレートコントロール処理されたＬＣＤ用映像信号ＶＤ-Ｓｐ’[ｌｅｄ]が、ヒストグラム処理されてもかまわない｛要は、これらの種々の映像信号（映像データ）がヒストグラム化可能である｝。なお、ヒストグラムのデータを、ヒストグラムデータＨＧＭとする。そして、そのヒストグラムデータＨＧＭは、ヒストグラム処理部１２によって、演算処理部１３に送信される。
【００６５】
演算処理部１３は、初期画像信号Ｆ-ＶＤを受信し、その初期画像信号Ｆ-ＶＤを、バックライトユニット７０（詳説するとＬＥＤ７１）の駆動に適した信号と、液晶表示パネル６０の駆動に適した信号とに分離させる。そして、演算処理部１３は、初期画像信号Ｆ-ＶＤのうち、ＬＥＤ７１に適したセパレータＬＥＤ信号ＶＤ-ＳｄをDuty設定部１４に送信する。
【００６６】
また、演算処理部１３は、初期画像信号Ｆ-ＶＤのうち、液晶表示パネル６０に適したセパレータＬＣＤ信号ＶＤ-Ｓｐを補正した後に、液晶表示パネルコントローラ２０に送信する。なお、この補正処理は、後述するＬＥＤ７１の制御用信号（ＰＷＭ調光信号ＶＤ-Ｓｄ[Ｗ・Ａ]）を考慮したものである（この補正処理されたセパレータＬＥＤ信号ＶＤ-Ｓｐを、ＬＣＤ用映像信号ＶＤ-Ｓｐ[ｌｅｄ]とする）。
【００６７】
また、演算処理部１３は、セパレータＬＣＤ信号ＶＤ-Ｓｐをヒストグラム化させるために、ヒストグラム処理部１２に送信してもよい。
【００６８】
さらに、演算処理部１３は、ヒストグラムデータＨＧＭを用いて、平均信号レベル（Average  Signal  Level；ＡＳＬ）のヒストグラムデータＨＧＭ[Ｓ]、および、平均輝度レベル（Average  Luminance  Level；ＡＬＬ）のヒストグラムデータＨＧＭ[Ｌ]の少なくとも一方を求める。
【００６９】
すなわち、演算処理部１３は、初期画像信号Ｆ-ＶＤ、セパレータＬＥＤ信号ＶＤ-Ｓｄ、セパレータＬＣＤ信号ＶＤ-Ｓｐ、ＬＣＤ用映像信号ＶＤ-Ｓｐ[ｌｅｄ]、または、ＬＣＤ用映像信号ＶＤ-Ｓｐ’ [ｌｅｄ]から、平均信号レベルＡＳＬおよび平均輝度レベルＡＬＬの少なくとも一方のヒストグラムデータＨＧＭを求めることができ、さらに、それをDuty設定部１４に送信する。
【００７０】
また、演算処理部１３は、平均信号レベルＡＳＬの平均値および平均輝度レベルＡＬＬの平均値の少なくとも一方も求めることができ、さらに、それをDuty設定部１４に送信する。なお、ヒストグラム処理部１２と演算処理部１３とは、種々のヒストグラムデータＨＧＭに関する種々処理を行うことから、ヒストグラムユニット１８とする。
【００７１】
Duty設定部１４は、セパレータＬＥＤ信号ＶＤ-Ｓｄを受信する。さらに、Duty設定部１４は、演算処理部１３からのヒストグラムデータＨＧＭを受信する。また、Duty設定部１４は、後述するメモリ１７からの信号（メモリデータＤＭ）を受信するとともに、視聴モード設定部１６、パネル用サーミスタ８３、ＬＥＤコントローラ３０（詳説すると、後述のＦＲＣ処理部２１）、環境用照度センサ８４の少なくとも１つの信号も受信する。
【００７２】
そして、これらの少なくとも１つの信号と、セパレータＬＥＤ信号ＶＤ-Ｓｄとから、Duty設定部１４は、ＬＥＤ７１の制御に適したＰＷＭ調光信号を生成する（詳細については後述）。具体的には、Duty設定部１４は、ＰＷＭ調光信号におけるDutyを設定する（なお、Duty設定部１４にて、Dutyを設定されたＰＷＭ調光信号を、ＰＷＭ調光信号ＶＤ-Ｓｄ[Ｗ]とする）。
【００７３】
なお、Dutyとは、ＰＷＭ調光信号（交流信号）における１周期にて、ＬＥＤ７１を点灯させる期間の比率である。すなわち、Dutyが１００％の場合、１周期の間、ＬＥＤ７１が点灯し続けていることを意味する（逆に、Dutyが６０％の場合、１周期の間における４０％の期間では、ＬＥＤ７１が消灯している）。
【００７４】
電流値設定部１５は、Duty設定部１４からのＰＷＭ調光信号ＶＤ-Ｓｄ[Ｗ]を受信し、そのＰＷＭ調光信号ＶＤ-Ｓｄ[Ｗ]の電流値を変える。この電流値の可変についての詳細は、後述する。なお、電流値を適切に設定されたＰＷＭ調光信号ＶＤ-Ｓｄ[Ｗ]は、ＰＷＭ調光信号ＶＤ-Ｓｄ[Ｗ・Ａ]とする。そして、このＰＷＭ調光信号ＶＤ-Ｓｄ[Ｗ・Ａ]は、電流値設定部１５によって、マイコンユニット５０（詳説すると、ＬＥＤコントローラ３０）に送信されるとともに、演算処理部１３にも送信される。
【００７５】
視聴モード設定部１６は、液晶表示パネル６０に表示される画像の種類、液晶表示装置９０の置かれる場所の環境、または、視聴者の好み（所望のコントラスト比等）に応じて、画像の表示形式（視聴モード）を定める。視聴モード設定部１６は、例えば、以下のような視聴モードを設定できる。
【００７６】
スポーツモード    …サッカー選手等の動きの激しい画像表示に適した視
聴モード。すなわち、動画レベルが比較的高い視聴
モード。
ナチュラルモード  …ニュース番組等の動きの穏やかな画像表示に適した
視聴モード。すなわち、動画レベルが比較的低い視
聴モード。
ダイナミックモード…白画像と黒画像とのコントラストを際立たせる視聴
モード。すなわち、コントラストレベルを比較的高
めたい視聴モード。
シネマモード      …白画像と黒画像とのコントラストを際立たせない視
聴モード。すなわち、コントラストレベルを比較的
低くしたい視聴モード。
スタンダードモード…ダイナミックモードとシネマモードとの中間の視聴
モード。
【００７７】
なお、これらの視聴モード、特に、スポーツモード、ナチュラルモードを鑑みると、視聴モード設定部１６は、映像信号（映像データ）の動画レベルに応じて、高動画レベル視聴モード、または、低動画レベル視聴モードを設定できる（ただし、２段階のレベル設定とは限らない）。
【００７８】
また、ダイナミックモード、標準モード、シネマモードを鑑みると、視聴モード設定部１６は、映像信号（映像データ）のコントラストレベルに応じて、高コントラストレベル視聴モード、中コントラストレベル視聴モード、または、低コントラストレベル視聴モードを設定できる（ただし、３段階のレベル設定とは限らない）。
【００７９】
メモリ（記憶部）１７は、Duty設定部１４のDuty設定に必要な種々のデータテーブル、および、種々の閾データ（閾値）等を記憶する。一例を挙げると、メモリ１７は、パネル用サーミスタ８３の温度と液晶分子６１Ｍの応答速度Ｖｒとを関連づけた温度−速度データテーブルを含む。さらに、メモリ１７は、温度−速度データテーブルにおける、ある応答速度Ｖｒを閾値（応答速度データ閾値）と記憶している。なお、この閾値の数は、単数であっても複数であってもかまわない。
【００８０】
また、メモリ１７は、平均信号レベルＡＳＬまたは平均輝度レベルＡＬＬで作成されたヒストグラムデータＨＧＭにおける全階調を区分けするための閾値（階調閾値データ）を記憶する。すなわち、階調閾値によって、ヒストグラムデータＨＧＭは、少なくとも２つ以上の階調範囲に分けられる。さらに、メモリ１７は、ヒストグラムデータＨＧＭにおける特定の階調範囲（区分けされた少なくとも１つの階調範囲）の占有率が、一定値を超過するか以下かを判断するための閾値（占有率閾値）を記憶する。
【００８１】
≪◆ＬＣＤコントローラ≫
ＬＣＤコントローラ２０は、フレームレートコントロール処理（ＦＲＣ処理部）２１と、ゲートドライバー／ソースドライバー制御部（Ｇ／Ｓ制御部）２２とを含む。
【００８２】
ＦＲＣ処理部２１は、映像信号処理部１０（詳説すると、演算処理部１３）から送信されてくるＬＣＤ用映像信号ＶＤ-Ｓｐ[ｌｅｄ]を受信する。そして、ＦＲＣ処理部２１は、残像効果で、擬似的に画像を表示するために、ＬＣＤ用映像信号ＶＤ-Ｓｐ[ｌｅｄ]におけるフレームレートを高速で切り替えるＦＲＣ処理を行う（なお、ＦＲＣ処理されたＬＣＤ用映像信号ＶＤ-Ｓｐ[ｌｅｄ]は、ＬＣＤ用映像信号ＶＤ-Ｓｐ’[ｌｅｄ]とする）。
【００８３】
なお、このＦＲＣ処理部２１は、ＯＮ／ＯＦＦの切換可能である。したがって、ＦＲＣ処理部２１が、２倍速化でＦＲＣ処理を行っている場合に、ＬＣＤ用映像信号ＶＤ-Ｓｐ’[ｌｅｄ]が１２０Ｈｚであれば、ＬＣＤ用映像信号ＶＤ-Ｓｐ[ｌｅｄ]は６０Ｈｚとなる（これらの信号をフレーム周波数と捉えられる）。
【００８４】
そして、ＦＲＣ処理部２１は、ＦＲＣ処理したＬＣＤ用映像信号ＶＤ-Ｓｐ’[ｌｅｄ]、または、ＦＲＣ処理しなかったＬＣＤ用映像信号ＶＤ-Ｓｐ[ｌｅｄ]を、ソースドライバー８２に送信する（図１参照）。
【００８５】
Ｇ／Ｓ制御部２２は、映像信号処理部１０（詳説すると、タイミング調整部１１）から送信されてくるクロック信号ＣＬＫ、垂直同期信号ＶＳ、水平同期信号ＨＳ等から、ゲートドライバー８１およびソースドライバー８２を制御するタイミング信号を生成する（なお、ゲートドライバー８１に対応するタイミング信号を、タイミング信号Ｇ−ＴＳ、ソースドライバー８２に対応するタイミング信号を、タイミング信号Ｓ−ＴＳとする）。そして、Ｇ／Ｓ制御部２２は、タイミング信号Ｇ−ＴＳをゲートドライバー８１に送信し、タイミング信号Ｓ−ＴＳをソースドライバー８２に送信する（図１参照）。
【００８６】
つまり、このＬＣＤコントローラ２０は、ＬＣＤ用映像信号ＶＤ-Ｓｐ’[ｌｅｄ]（または、ＬＣＤ用映像信号ＶＤ-Ｓｐ[ｌｅｄ]）、および、タイミング信号Ｓ−ＴＳをソースドライバー８２に、タイミング信号Ｇ−ＴＳをゲートドライバー８１に送信する。そして、ソースドライバー８２とゲートドライバー８１とは、両タイミング信号Ｇ−ＴＳ・Ｓ−ＴＳを用いて、液晶表示パネル６０の画像を制御する。
【００８７】
≪◆ＬＥＤコントローラ≫
ＬＥＤコントローラ３０は、メインマイコン５１の管理（制御）の下、ＬＥＤドライバー８５に種々の制御信号を送信するものである。そして、このＬＥＤコントローラ３０は、図３に示すように、ＬＥＤコントローラ設定用レジスタ群３１、ＬＥＤドライバー制御部３２、シリアルパラレル変換部（Ｓ／Ｐ変換部）３３、個体バラツキ補正部３４、メモリ３５、温度補正部３６、経時劣化補正部３７、および、パラレルシリアル変換部（Ｐ／Ｓ変換部）３８を含む。
【００８８】
ＬＥＤコントローラ設定用レジスタ群３１は、メインマイコン５１からの種々制御信号を一時的に保持する。いいかえると、メインマイコン５１は、一旦、ＬＥＤコントローラ設定用レジスタ群３１を介して、ＬＥＤコントローラ３０内部の種々部材を制御する。
【００８９】
ＬＥＤドライバー制御部３２は、映像信号処理部１０（詳説すると、電流値設定部１５）からのＰＷＭ調光信号ＶＤ-Ｓｄ[Ｗ・Ａ]をＳ／Ｐ変換部３３に送信する。また、ＬＥＤドライバー制御部３２は、映像信号処理部１０からの同期信号（クロック信号ＣＬＫ、垂直同期信号ＶＳ、水平同期信号ＨＳ等）で、ＬＥＤ７１の点灯タイミング信号Ｌ−ＴＳを生成して、ＬＥＤドライバー８５に送信する。
【００９０】
Ｓ／Ｐ変換部３３は、ＬＥＤドライバー制御部３２からシリアルデータで送信されてくるＰＷＭ調光信号ＶＤ-Ｓｄ[Ｗ・Ａ]をパラレルデータに変換する。
【００９１】
個体バラツキ補正部３４は、ＬＥＤ７１の個別の性能を予め確認しておき、個体誤差を無くすための補正を行う。例えば、予め、特定のＰＷＭ調光信号値で、ＬＥＤ７１の輝度を測定する。詳説すると、例えば、各ＬＥＤ７１における赤色発光のＬＥＤチップ、緑色発光のＬＥＤチップ、青色発光のＬＥＤチップ、が点灯され、所望の色味を有する白色光を生成可能なように、各ＬＥＤチップに対応する特定のＰＷＭ調光信号値が補正される。
【００９２】
次に、複数のＬＥＤ７１が点灯され、面状光としての輝度ムラを無くすように、各ＬＥＤ７１（各ＬＥＤチップ）に対応するＰＷＭ調光信号値がさらに補正される。これにより、複数有るＬＥＤ７１における個体差（輝度の個体バラツキ、ひいては面状光の輝度ムラ）が補正される。
【００９３】
なお、このような補正処理の仕方は種々有るが、一般的なルックアップテーブル（ＬＵＴ）を用いた補正処理が採用される。すなわち、個体バラツキ補正部３４は、メモリ３５に記憶されているＬＥＤ７１の個体バラツキ用のＬＵＴで、補正処理を行う。
【００９４】
メモリ３５は、例えば、上述したようなＬＥＤ７１の個体バラツキ用ＬＵＴを記憶する。また、メモリ３５は、個体バラツキ補正部３４の後段の温度補正部３６、および経時劣化補正部３７で要するＬＵＴも記憶する。
【００９５】
温度補正部３６は、ＬＥＤ７１の発光にともなう温度上昇に起因するＬＥＤ７１の輝度低下を考慮する補正を行う。例えば、温度補正部３６は、１秒間に１回、ＬＥＤ用サーミスタ８６で、ＬＥＤ７１（要は各色のＬＥＤチップ）の温度データを取得し、その温度データに対応するＬＵＴをメモリ３５から取得し、面状光の輝度ムラを抑える補正処理（すなわち、ＬＥＤチップに対応するＰＷＭ調光信号値の変更）を行う。
【００９６】
経時劣化補正部３７は、ＬＥＤ７１の経時劣化に起因するＬＥＤ７１の輝度低下を考慮する補正を行う。例えば、経時劣化補正部３７は、１年に１回、ＬＥＤ用輝度センサ８７によるＬＥＤ７１（要は、各色のＬＥＤチップ）の輝度データを取得し、その輝度データに対応するＬＵＴをメモリ３５から取得し、面状光の輝度ムラを抑える補正処理（すなわち、各色のＬＥＤチップに対応するＰＷＭ調光信号値の変更）を行う。
【００９７】
Ｐ／Ｓ変換部３８は、パラレルデータで送信されてくる種々の補正処理を経たＰＷＭ調光信号（ＬＥＤコントローラ３０による補正処理後のＰＷＭ調光信号は、ＰＷＭ調光信号ＶＤ-Ｓｄ’[Ｗ・Ａ]とする）を、シリアルデータに変換し、ＬＥＤドライバー８５に送信する。すると、ＬＥＤドライバー８５は、ＰＷＭ調光信号ＶＤ-Ｓｄ’[Ｗ・Ａ]、および、タイミング信号Ｌ−ＴＳに基づいて、バックライトユニット７０におけるＬＥＤ７１を点灯制御する。
【００９８】
＜■ＬＥＤを発光制御するＰＷＭ調光信号について＞
ここで、ＬＥＤ７１の発光を制御するＰＷＭ調光信号ＶＤ-Ｓｄ[Ｗ]について説明する。ＰＷＭ調光信号ＶＤ-Ｓｄ[Ｗ]は、液晶分子６１Ｍの配向変化の応答速度Ｖｒに応じて、Dutyを変えられている（ただし、応答速度Ｖｒだけでなく、ＬＥＤコントローラ３０等による種々の補正結果が考慮された上で、ＬＥＤ２２に直接入力されるＰＷＭ調光信号のDutyが、所望の値になるように設定される）。
【００９９】
≪◆液晶分子の応答速度≫
そこで、まず、液晶分子６１Ｍの応答速度Ｖｒについて、図４〜図８を用いて説明する。図４は液晶表示パネル６０の部分断面図である。この図に示すように、液晶表示パネル６０では、Thin  Film  Transistor等のスイッチング素子（不図示）および画素電極６５Ｐを配置したアクティブマトリックス基板６２と、このアクティブマトリックス基板６２に対向し、対向電極６５Ｑを配置した対向基板６３とが、不図示のシール材を介して貼り合わされる。そして、これらの両基板６２・６３（詳説すると、両電極６５Ｐ・６５Ｑ）の隙間に、液晶６１が封止される。
【０１００】
また、液晶表示パネル６０では、アクティブマトリックス基板６２および対向基板６３を挟むように、偏光フィルム６４Ｐ・６４Ｑが取り付けられる。すると、偏光フィルム６４Ｐは、バックライトユニット７０からのバックライト光ＢＬのうち、特定の偏光を透過させ、液晶（液晶層）６１に導き、偏光フィルム６４Ｑは、液晶層６１を透過する光のうち、特定の偏光を透過させ、外部に導く。
【０１０１】
ただし、このように液晶表示パネル６０を通過する光は、途中で、電圧の印加に応じた液晶分子６１Ｍの配向、すなわち液晶分子６１Ｍの傾きの影響を受ける。詳説すると、外部への透過光量は、液晶分子６１Ｍの傾きに起因する液晶表示パネル６０の透過率変化に応じて変わる。そこで、このような液晶表示パネル６０は、電圧の印加に応じた液晶分子６１Ｍの傾きに起因する透過率変化を利用して、画像を表示する。
【０１０２】
液晶表示パネル６０には、種々のモードが想定される。例えば、ＴＮ（Twist  Nematic）モード、ＶＡ（Vertical  Alignment）モード、ＩＰＳ（In-Plane  Switching）モード、ＯＣＢ（Optically  Compensated  Bend）モードである。ただし、どのようなモードであっても、液晶６１に入射する光の透過量は、液晶分子６１Ｍの配向によって可変する。
【０１０３】
（●ＭＶＡモード）
例えば、ＶＡモードの一種であるＭＶＡ（Multi-domain  Vertical  Alignment）モードを、図５と図６とを用いて説明すると、以下の通りである（なお、これらの図および後述の図７〜図１０において、一点鎖線で形成される矢印は光を意味する）。
【０１０４】
図５および図６に示される液晶分子６１Ｍを含む液晶６１は、負の誘電異方性を有するネガ型液晶である。そして、アクティブマトリックス基板６２の液晶６１側に向く一面には、画素電極（第１電極／第２電極）６５Ｐが形成され、対向基板６３の液晶６１側に向く一面には、対向電極（第２電極／第１電極）６５Ｑが形成される。
【０１０５】
その上、画素電極６５Ｐには、スリット６６Ｐ（第１スリット／第２スリット）が形成され、対向電極６５Ｑにもスリット６６Ｑ（第２スリット／第１スリット）が形成される（なお、スリット６６Ｐとスリット６６Ｑとの向きは同方向である）。ただし、スリット６６Ｐとスリット６６Ｑとは、電極６５Ｐ・６５Ｑの並列方向（例えば、両基板６２・６３に対する垂直方向）に沿って向かい合わずに、ずれている。
【０１０６】
そして、画素電極６５Ｐと対向電極６５Ｑとの間に電圧が印加されない場合（ＯＦＦの場合）、図５に示すように、液晶分子６１Ｍの長軸方向が、両基板６２・６３に対する垂直方向に沿うように配向される（例えば、配向規制力を有した不図示の配向膜材料が、両電極６５Ｐ・６５Ｑに塗布されることで、無電界時の初期配向が設計される）。
【０１０７】
すると、偏光フィルム６４Ｐと偏光フィルム６４Ｑとがクロスニコル配置になっていると、アクティブマトリックス基板６２を通過してきたバックライト光ＢＬは、外部に出射しない（要は、液晶表示パネル６０は、ノーマリーブラックモードである）。
【０１０８】
一方で、画素電極６５Ｐと対向電極６５Ｑとの間に電圧が印加される場合（ＯＮの場合）、両電極６５Ｐ・６５Ｑ間に生じる電界の方向に沿って、液晶分子６１Ｍは傾こうとする。ただし、この電界方向は、両基板６２・６３の垂直方向（両基板６２・６３の並列方向）に沿わずに傾く。なぜなら、画素電極６５Ｐに形成されたスリット６６Ｐと、対向電極６５Ｑに形成されたスリット６６Ｑとによって、電界に歪みが生じ、斜め方向の電界が形成されるためである。
【０１０９】
そして、ネガ型の液晶分子６１Ｍは、図６に示すように、自身の短軸方向を電界方向（電気力線；図６の二点鎖線参照）に沿わすように傾く。すなわち、この液晶表示パネル６０におけるネガ型の液晶分子６１Ｍは、両電極６５Ｐ・６５Ｑに電圧を印加されない場合、自身の長軸方向を、２枚の基板６２・６３の垂直方向に沿わせる（ホメオトロピック配向にする）。一方で、両電極６５Ｐ・６５Ｑに電圧が印加された場合、自身の長軸方向を、両電極６５Ｐ・６５Ｑ間の電界方向に交差させる。すると、アクティブマトリックス基板６２を通過してきたバックライト光ＢＬの一部は、液晶分子６１Ｍの傾きに起因して、偏光フィルム６４Ｑの透過軸に沿う光として外部に出射する。
【０１１０】
なお、ＭＶＡモードの液晶表示パネル６０は、図５および図６に示すようなタイプ（スリットタイプのＭＶＡモードと称する）、すなわち、スリット６６Ｐ・６６Ｑを用いて斜め電界を生じさせるものに限らない。例えば、図７および図８に示されるように、スリット６６Ｐ・６６Ｑではなく、リブ６７Ｐ・６７Ｑが用いられるＭＶＡモードもある（このＭＶＡモードをリブタイプと称する）。
【０１１１】
詳説すると、この液晶表示パネル６０では、画素電極６５Ｐ上に、リブ６７Ｐ（第１リブ／第２リブ）が形成され、対向電極６５Ｑ上に、リブ６７Ｑ（第２リブ／第１リブ）が形成される（なお、リブ６７Ｐとリブ６７Ｑとの向きは同方向である）。そして、リブ６７Ｐとリブ６７Ｑとは、電極６５Ｐ・６５Ｑの並列方向（２枚の基板６２・６３の垂直方向）に沿って向かい合わずに、ずれている。
【０１１２】
さらに、リブ６７Ｐは、例えば三角柱状で、１つの側面を電極６５Ｐに向け、他の側面を液晶６１に接させるように配置される。同様に、リブ６７Ｑは、例えば三角柱状で、１つの側面を電極６５Ｑに向け、他の側面を液晶６１に接させるように配置される（なお、液晶６０に接するリブ６７の側面を斜面と称する）。
【０１１３】
そして、画素電極６５Ｐと対向電極６５Ｑとの間に電圧が印加されない場合（ＯＦＦの場合）、図７に示すように、液晶分子６１Ｍの長軸方向が、両基板６２・６３に対する垂直方向に沿うように配向される（例えば、配向規制力を有した不図示の配向膜材料が、画素電極６５Ｐ・リブ６７Ｐ、および、対向電極６５Ｑ・リブ６７Ｑに塗布されることで、無電界時の初期配向が設計される）。ただし、リブ６７Ｐ・６７Ｑの斜面に面する液晶分子６１Ｍは、両基板６２・６３に対する垂直方向（両基板６２・６３の板厚方向）に対して傾斜する。
【０１１４】
しかしながら、大部分の液晶分子６１Ｍは、両基板６２・６３に対する垂直方向に沿うため、偏光フィルム６４Ｐと偏光フィルム６４Ｑとがクロスニコル配置になっていると、アクティブマトリックス基板６２を通過してきたバックライト光ＢＬは、外部に出射しない。
【０１１５】
一方で、画素電極６５Ｐと対向電極６５Ｑとの間に電圧が印加される場合（ＯＮの場合）、両電極６５Ｐ・６５Ｑ間に生じる電界の方向に沿って、液晶分子６１Ｍは傾こうとする。ただし、この電界方向は、両基板６２・６３の垂直方向に沿わずに傾く。なぜなら、画素電極６５Ｐに形成されたリブ６７Ｐと、対向電極６５Ｑに形成されたリブ６７Ｑとによって、電界に歪みが生じ、斜め方向の電界（図８の二点鎖線参照）が形成されるためである。
【０１１６】
その上、リブ６７Ｐ・６７Ｑの斜面上の液晶分子６１Ｍが傾いていることに起因して、その他の液晶分子６１Ｍが電界方向に沿うように斜めに傾きやすい。その結果、図８に示すように、液晶分子６１Ｍは、自身の短軸方向を電界方向に沿わすように傾く。
【０１１７】
すなわち、この液晶表示パネル６０におけるネガ型の液晶分子６１Ｍの大部分（リブ６７Ｐ・６７Ｑに面しない大部分の液晶分子６１Ｍ）は、両電極６５Ｐ・６５Ｑに電圧を印加されない場合、自身の長軸方向を、２枚の基板６２・６３の垂直方向に沿わせる。一方で、両電極６５Ｐ・６５Ｑに電圧が印加された場合、自身の長軸方向を、両電極６５Ｐ・６５Ｑ間の電界方向に交差させる。すると、アクティブマトリックス基板６２を通過してきたバックライト光ＢＬの一部は、液晶分子６１Ｍの傾きに起因して、偏光フィルム６４Ｑの透過軸に沿う光として外部に出射する。
【０１１８】
総括すると、スリットタイプおよびリブタイプのＭＶＡモードでは、液晶分子６１Ｍは、ネガ型で、少なくとも一部の液晶分子６１Ｍは（要は、全部の液晶分子６１Ｍまたは一部の液晶分子６１Ｍは）、両電極６５Ｐ・６５Ｑに電圧を印加されない場合に、自身の長軸方向を、２枚の基板６２・６３の垂直方向に沿わせるように配向されている。そして、液晶分子６１Ｍは、両電極６５Ｐ・６５Ｑに電圧が印加された場合に、自身の長軸方向を、両電極６５Ｐ・６５Ｑ間の電界方向に交差させる。
【０１１９】
なお、以上では、スリットタイプおよびリブタイプのＭＶＡモードを説明したが、スリットとリブとを有するＭＶＡモードもある。例えば、画素電極６５Ｐ上に、スリット６６Ｐを形成し、対向電極６５Ｑ上に、リブ６７Ｑを形成した液晶表示パネル６０が一例として挙げられる。
【０１２０】
したがって、画素電極６５Ｐに、スリット６６Ｐまたはリブ６７Ｐが形成され、対向電極６５Ｑに、スリット６６Ｑまたはリブ６７Ｑが形成されており、これらのスリット６６Ｐ・６６Ｑ同士、リブ６７Ｐ・６７Ｑ同士、またはスリット６６Ｐとリブ６７Ｐ（スリット６６Ｑとリブ６７Ｑ）との組み合わせに起因して、両電極６５Ｐ・６５Ｑ間の電界方向が、２枚の基板６２・６３の垂直方向に対して交差する（要は斜め電界が生じる）場合、その液晶モードは、ＭＶＡモードといえる。
【０１２１】
（●ＩＰＳモード）
また、液晶表示パネル６０がＩＰＳモードの場合は、以下の通りである。まず、図９および図１０に示される液晶分子６１Ｍを含む液晶６１は、正の誘電異方性を有するポジ型液晶である。そして、画素電極６５Ｐおよび対向電極６５Ｑが、アクティブマトリックス基板６２にて、液晶６１側に向く一面に形成される。特に、両電極６５Ｐ・６５Ｑは、互いに向き合うように配置される。
【０１２２】
さらに、画素電極６５Ｐと対向電極６５Ｑとの間に電圧が印加されない場合（ＯＦＦの場合）、図９に示すように、液晶分子６１Ｍは、自身の長軸方向（ダイレクタ方向）を、アクティブマトリックス基板６２の基板面の面内方向（基板面の水平方向）に沿わせつつ、画素電極６５Ｐと対向電極６５Ｑとの並列方向ＬＤに交差するように配向される（例えば、配向規制力を有した不図示の配向膜材料が、両電極６５Ｐ・６５Ｑに塗布されることで、無電界時の初期配向が設計される）。
【０１２３】
すると、偏光フィルム６４Ｐと偏光フィルム６４Ｑとがクロスニコル配置になっていると、アクティブマトリックス基板６２を通過してきたバックライト光ＢＬは、外部に出射しない（要は、液晶表示パネル６０は、ノーマリーブラックモードである）。
【０１２４】
一方で、画素電極６５Ｐと対向電極６５Ｑとの間に電圧が印加される場合（ＯＮの場合）、両電極６５Ｐ・６５Ｑ間に生じる電界に沿って、液晶分子６１Ｍは傾こうとする。そして、この電界方向は、画素電極６５Ｐと対向電極６５Ｑとの並列方向ＬＤに沿う弓状である（要は、湾曲先を対向基板６３に向け、画素電極６５Ｐと対向電極６５Ｑとの並列方向に沿う弓状の電気力線が生じる；図１０の二点鎖線参照）。
【０１２５】
すると、初期配向をアクティブマトリックス基板６２の基板面の面内方向の沿わせた液晶分子６１Ｍは、弓状の電界方向の影響で回転し、図１０に示すように、自身の長軸方向を、基板面の面内方向に沿わせつつ、電極６５Ｐ・６５Ｑ間の電界方向に沿わせる。すると、アクティブマトリックス基板６２を通過してきたバックライト光ＢＬの一部は、液晶分子６１Ｍの傾きに起因して、偏光フィルム６４Ｑの透過軸に沿う光として外部に出射する。
【０１２６】
なお、図９および図１０での画素電極６５Ｐおよび対向電極６５Ｑは、線状であったが、これに限定されるものではない。例えば、図１１に示すように、櫛歯状の画素電極６５Ｐおよび櫛歯状の対向電極６５Ｑが、アクティブマトリックス基板６２にて、液晶６１側に向く一面に形成されてもよい。
【０１２７】
そして、このような櫛歯状の画素電極６５Ｐおよび対向電極６５Ｑの場合、両電極６５Ｐ・６５Ｑは、互いの櫛歯を噛み合わせるように配置されることで、画素電極６５Ｐの歯６５Ｐｔと対向電極６５Ｑの歯６５Ｑｔとが交互に並ぶ。すると、画素電極６５Ｐの歯６５Ｐｔと対向電極６５Ｑの歯６５Ｑｔとの間で、弓状の電界（横方向電界）が生じ、その電界に応じて、液晶分子６１Ｍが傾く。
【０１２８】
≪◆残像および多重輪郭≫
ところで、どのようなモードの液晶表示パネル６０においても、画像表示のためには、液晶分子６１Ｍが初期位置（例えば、電圧の印加されていない場合の液晶分子６１Ｍの初期配向の位置）から傾く。そして、液晶分子６１Ｍの傾く速度（応答速度Ｖｒ）が重要になる。なぜなら、液晶分子６１Ｍの応答速度Ｖｒと、液晶表示パネル６０に対するバックライト光ＢＬの入射との関係で、液晶表示パネル６０の画像に、“残像”または“多重輪郭”が生じるためである。
【０１２９】
通常、人間の目（網膜）が光を感じる場合、光量の積分値で感じる。そのため、残像は、人間が光を視認した場合に、その光が消えた後もそれまで見ていた光が残って見えることに起因する。特に、いわゆるホールド型表示の液晶表示パネル６０にて、動く物体が表示されている場合、視線が動く物体を追いかける上に、フレーム画像が連続して表示されるので、より一層残像が見えやすい。
【０１３０】
すると、図１２Ａに示すような液晶表示パネル６０にて、図１２Ｂに示すように、黒画像と白画像とを並列させた画像が表示される場合に残像がみえやすい状態が起こり得る（なお、ＨＬは、液晶表示パネル６０の水平方向を意味し、ＶＬは液晶表示パネル６０の垂直方向を意味する）。詳説すると、黒画像と白画像との境界が、図１２Ｂ〜図１２Ｅに示すように、移動するような場合に、その境界付近に、残像が生じやすい。そして、黒画像と白画像との境界に対応する液晶６１では、液晶分子６１Ｍが傾かなくてはならない。
【０１３１】
例えば、ノーマリーブラックモードの液晶表示パネル６０にて、黒画像表示のための液晶分子６１Ｍの位置を初期位置（図５、図７、および図９参照）とする。すると、白画像表示のためには、液晶分子６１Ｍは、初期位置から傾く（図６、図８、および図１０参照）。そこで、この液晶分子６１Ｍの傾き量と時間との関係の一例をグラフ化したものが、図１３Ａ〜図１３Ｄの上段のグラフになる。なお、これらの図では、“Ｍｉｎ”が黒画像表示の場合での液晶分子６１Ｍの初期位置を意味し、“Ｍａｘ”が白画像表示のために、液晶分子６１Ｍが最大に傾いた状態を意味する。
【０１３２】
なお、液晶分子６１Ｍが最大に傾くまでに要する時間は、図１３Ａ・図１３Ｂと図１３Ｃ・図１３Ｄとで異なる。具体的には、液晶分子６１Ｍが最大に傾くまでに要する時間（応答時間）は、図１３Ａ・図１３Ｂの場合、約１６．７ｍｓ要し、図１３Ｃ・図１３Ｄの場合、約８．３ｍｓ要する（なお、約１６．７ｍｓのように応答時間のデータ値が大きければ、応答速度Ｖｒのデータ値は小さくなり、約８．３ｍｓのように応答時間を示すデータ値が小さければ、応答速度Ｖｒのデータ値は大きくなる）。
【０１３３】
すると、図１３Ａ・図１３Ｂに示される液晶分子６１Ｍは、比較的遅い応答速度Ｖｒ（ＬＯＷ）で傾くといえる（すなわち、応答速度Ｖｒのデータ値が小さくなるような速度で、液晶分子６１Ｍは傾く）。一方で、図１３Ｃ・図１３Ｄに示される液晶分子６１Ｍは、比較的速い応答速度Ｖｒ（ＨＩＧＨ）で傾くといえる（すなわち、応答速度Ｖｒのデータ値が大きくなるような速度で、液晶分子６１Ｍは傾く）。
【０１３４】
また、液晶表示パネル６０にはバックライト光ＢＬが照射されるので、そのバックライト光ＢＬを生成するＬＥＤ７１のＰＷＭ調光信号も、図１３Ａ〜図１３Ｄの中段グラフに図示される。なお、図１３Ａ・図１３Ｃに示される液晶表示パネル６０には、Duty１００％の光が供給され、図１３Ｂ・図１３Ｄに示される液晶表示パネル６０には、Duty５０％の光が供給される。なお、ＰＷＭ調光信号の駆動周波数は１２０Ｈｚであり、液晶表示パネル６０のフレーム周波数（液晶表示パネル６０の駆動周波数）も１２０Ｈｚとする。また、図中の時間軸に沿った点線の１区切り間は１フレームを意味する。
【０１３５】
また、ＰＷＭ調光信号に基づいてバックライト光ＢＬが液晶表示パネル６０に供給された場合に、液晶表示パネル６０を透過する光の輝度の変化を示したものが、図１３Ａ〜図１３Ｄの下段の図になる。
【０１３６】
このような図１３Ａ〜図１３Ｄに示される条件で、図１２Ｂ〜図１２Ｅに示されるように、黒画像と白画像との境界が移動（スクロール）すると、図１４〜図１７のようになる（なお、スクロール速度は、３２pixel／１６．７msである）。なお、図１４〜図１７に示されるグラフでは、横軸が液晶表示パネル６０における水平方向ＨＬの画素位置を示し、縦軸が最高値で規格化した積分輝度の規格化輝度である。また、グラフの下には、黒画像と白画像との境界付近のイメージ図を示す。
【０１３７】
まず、液晶分子６１Ｍが比較的遅い応答速度Ｖｒ（ＬＯＷ）で傾く場合について説明する。図１３Ａの上段グラフに示すように、液晶分子６１Ｍが初期位置から最大に傾く場合、液晶分子６１Ｍが徐々に傾く時間帯ＣＷが生じる。そして、この時間帯ＣＷは、本来であれば全ての光が透過するべきであるが、一部の光しか透過しない時間帯（応答過程時間帯ＣＷ）となる。
【０１３８】
そして、図１３Ａの中段グラフに示すように、応答過程時間帯ＣＷにおける液晶分子６１Ｍに、Duty１００％のＰＷＭ調光信号に基づくＬＥＤ７１の光が供給されると、その応答過程時間帯ＣＷにおける輝度変化は、図１３Ａの上段グラフに示される液晶分子６１Ｍの傾斜における時間特性を反映する。すなわち、傾斜度合いに比例した透過光が液晶表示パネル６０から出射することになる（図１３Ａの下段グラフ参照）。詳説すると、Duty１００％の場合、応答過程時間帯ＣＷの最初から最後までの全時間範囲にて、液晶表示パネル６０から、徐々に増加（単調増加）する光が出射する。
【０１３９】
すると、図１２Ｂ〜図１２Ｅに示すように、黒画像と白画像との境界が移動する場合、応答過程時間帯ＣＷに対応する液晶表示パネル６０からの出射光が移動することになる。そのため、境界付近に応じた積算輝度は、図１４のグラフのようになる。すなわち、完全な白色画像を形成するには足りない光を受けた画素が境界付近に生じる。
【０１４０】
そして、このような画素の連続する画素範囲ＰＡ［100L-120］が、問題のある画素として認識される（イメージ図参照）。詳説すると、黒画像から白画像へ切り替わりが高速で行われず（鮮明に黒画像から白画像に切り替わらず）、画素範囲ＰＡ［100L-120］にて、積分輝度の変化度合い（要は、図１４のグラフ線の傾き）をほぼ同じにした画素が連続することで、残像が生じる。
【０１４１】
一方、比較的応答速度Ｖｒの遅い液晶分子が傾く場合に（図１３Ｂの上段グラフ参照）、図１３Ｂの中段グラフに示すように、応答過程時間帯ＣＷにおける液晶分子６１Ｍに、Duty５０％のＰＷＭ調光信号に基づくＬＥＤ７１の光が供給されるとする。
【０１４２】
Duty５０％の場合、１フレーム期間にて、ＬＥＤ７１の消灯時間帯と点灯時間帯と存在する（なお、１フレーム期間における最後のタイミングと、ＰＷＭ調光信号におけるハイ期間の最後のタイミングとを同期させている）。そのため、応答過程時間帯ＣＷの最初から最後までの全時間範囲にて、液晶表示パネル６０から、光が出射されるわけではない。
【０１４３】
具体的には、応答過程時間帯ＣＷを４つに分割した場合の最初の期間（１番目の期間）では、液晶分子６１Ｍに光が供給されず、２番目の期間では、液晶分子６１Ｍに光が供給される。すると、１番目の期間は、図１３Ｂの下段グラフに示すように、最小の輝度値を示す時間帯になる。
【０１４４】
一方で、２番目の期間は、液晶分子６１Ｍが傾き度合いは比較的小さなため、本来であれば全ての光が透過するべきであるが、一部の光しか透過しない時間帯になる。そして、この２番目の期間に対応する輝度値は、最大輝度値よりも低い。
【０１４５】
また、応答過程時間帯ＣＷを４つに分割した場合の３番目の期間では、液晶分子６１Ｍに光が供給されず、４番目の期間では、液晶分子６１Ｍに光が供給される。すると、３番目の期間は、１番目の期間同様に、最小の輝度値を示す時間帯になる。
【０１４６】
一方で、４番目の期間では、液晶分子６１Ｍが傾き度合いは比較的大きいもののやはり完全（白色画像の形成に要する角度）に傾いていない。そのため、この４番目の期間は、２番目の期間同様に、本来であれば全ての光が透過するべきであるが、一部の光しか透過しない時間帯になる。そして、この４番目の期間に対応する輝度値も、最大輝度値よりも低い（ただし、この輝度値は、２番目の期間に対応する輝度よりも高い）。
【０１４７】
つまり、図１３Ｂに示すように、液晶分子６１Ｍの応答速度Ｖｒが比較的遅い場合（応答過程時間帯ＣＷが、ＰＷＭ調光信号の駆動周波数における多周期分の時間以上である場合）、Duty１００％以外のＰＷＭ調光信号でＬＥＤ７１が発光すると、応答過程時間帯ＣＷにて、一定間隔を空けて連続的に、光が液晶表示パネル６０に供給される。そして、その供給される光の輝度値は、最大輝度値よりも低い。
【０１４８】
すると、図１２Ｂ〜図１２Ｅに示すように、黒画像と白画像との境界が移動する場合、境界付近に応じた積算輝度は、図１５のグラフのようになる。すなわち、完全な白色画像を形成するには足りない光を受けた画素が境界付近に生じる。
【０１４９】
そして、このような画素の連続する画素範囲ＰＡ［50L-120］が、問題のある画素として認識される（イメージ図参照）。詳説すると、黒画像から白画像へ切り替わりが高速で行われず、画素範囲ＰＡ［50L-120］にて、積分輝度の変化度合いを異にした画素が含まれることで、多重輪郭が生じる（なお、多重輪郭は、残像よりも液晶表示パネル６０の画質品位を落とすものとされている）。
【０１５０】
次に、液晶分子６１Ｍが比較的速い応答速度Ｖｒ（ＨＩＧＨ）で傾く場合について説明する。図１３Ｃの上段グラフに示すように、応答速度Ｖｒの比較的速い液晶分子６１Ｍが傾く場合に、図１３Ｃの中段グラフに示すような、Duty１００％のＰＷＭ調光信号に基づくＬＥＤ７１の光が供給されるとする。すると、図１３Ｃの下段グラフに示すように、応答過程時間帯ＣＷの最初から最後までの全時間範囲にて、液晶表示パネル６０から、徐々に増加（単調増加）する光が出射する。
【０１５１】
すると、図１２Ｂ〜図１２Ｅに示すように、黒画像と白画像との境界が移動する場合、境界付近に応じた積算輝度は、図１６のグラフのようになる。すなわち、図１３Ａおよび図１４の場合と同様に、完全な白色画像を形成するには足りない光を受けた画素が境界付近に生じる。したがって、この画素範囲ＰＡ［100H-120］が、問題のある画素（残像）として認識される。
【０１５２】
ただし、図１６での画素範囲ＰＡ［100H-120］が、図１４での画素範囲ＰＡ［100L-120］に比べて狭い。そのため、残像による画質品位の劣化度合いは、応答速度Ｖｒ（ＬＯＷ）で、Duty１００％の場合のほうが、応答速度Ｖｒ（ＨＩＧＨ）で、Duty１００％の場合のほうに比べて悪いといえる（イメージ図参照）。
【０１５３】
一方で、比較的応答速度Ｖｒの速い液晶分子６１Ｍが傾く場合に（図１３Ｄの上段グラフ参照）、図１３Ｄの中段グラフに示すように、応答過程時間帯ＣＷにおける液晶分子６１Ｍに、Duty５０％のＰＷＭ調光信号に基づくＬＥＤ７１の光が供給されるとする。
【０１５４】
すると、図１３Ｂの中段グラフと同様に、応答過程時間帯ＣＷの最初から最後までの全時間範囲にて、液晶表示パネル６０から、光が出射されるわけではない。ただし、応答過程時間帯ＣＷが、図１３Ｂの上段グラフに示される応答過程時間帯ＣＷに比べて短い（なお、１フレーム期間における最後のタイミングと、ＰＷＭ調光信号におけるハイ期間の最後のタイミングとを同期しており、さらに、ＰＷＭ調光信号の１周期と応答過程時間帯ＣＷとが同期している）。
【０１５５】
具体的には、応答過程時間帯ＣＷを２つに分割した場合の最初の期間（１番目の期間）では、液晶分子６１Ｍに光が供給されず、２番目の期間では、液晶分子６１Ｍに光が供給される。すると、１番目の期間は、図１３Ｂの下段グラフに示すように、最小の輝度値を示す時間帯になる。
【０１５６】
一方で、２番目の期間は、液晶分子６１Ｍが傾き度合いは比較的大きいもののやはり完全（白色画像の形成に要する角度）に傾いていない。そのため、本来であれば全ての光が透過するべきであるが、一部の光しか透過しない時間帯になる。そして、この２番目の期間に対応する輝度値は、最大輝度値よりも低い。
【０１５７】
したがって、液晶分子６１Ｍの応答速度Ｖｒが比較的速い場合（応答過程時間帯ＣＷが、ＰＷＭ調光信号の駆動周波数における１周期分の時間である場合）であっても、Duty１００％以外のＰＷＭ調光信号でＬＥＤ７１が発光すると、図１３Ｄの下段グラフに示すように、応答過程時間帯ＣＷにて、一定間隔を空けて連続的に、光が液晶表示パネル６０に供給される（なお、その供給される光の輝度値は、最大輝度値よりも低い）。
【０１５８】
ただし、液晶分子６１Ｍの応答速度Ｖｒが速いために、応答過程時間帯ＣＷが短いので、図１２Ｂ〜図１２Ｅに示すように、黒画像と白画像との境界が移動する場合、完全な白色画像を形成するには足りない光を受けた画素が境界付近にわずかしか生じない（図１７参照）。
【０１５９】
そのため、このような画素の連続する画素範囲ＰＡ［50H-120］が、問題のある画素として認識されづらい（イメージ図参照）。したがって、応答速度Ｖｒが比較的速く、Dutyが１００％以外（例えば、Duty５０％以下）であると、黒画像から白画像へ切り替わりが高速で行われ、さらに、わずかな画素範囲ＰＡ［50H-120］だけでしか、積分輝度の変化度合いをほぼ同じにした画素が連続しない。そのため、この場合、液晶表示パネル６０には、残像および多重輪郭が生じない。
【０１６０】
＜■ＬＥＤを発光制御するＰＷＭ調光信号のDutyを用いた画質向上について＞
ここで、図１４〜図１７から導き出せる結果（液晶表示パネル６０における画質評価）を表にすると、図１８に示すような表となる。
【０１６１】
なお、この表における黒挿入率（ＲＡＴＩＯ［ＢＫ］）は、ＰＷＭ調光信号における１周期にて、ＬＥＤ７１を消灯させる期間の比率である（理解を容易にすべく、黒挿入率の高い箇所には着色を施している）。また、この表は、液晶表示パネル６０にて、画像が鮮明に（しゃっきりと）表示されるか否か、多重輪郭が発生しないかするか、総合的に許容される画質か否か、という３項目を、４段階評価（優＞良＞可＞不可）で示す。
【０１６２】
≪◆ＰＷＭ調光信号におけるDutyの変化≫
この図１８の表からは、以下のようなことがいえる。まず、液晶分子６１Ｍの応答速度Ｖｒが速い場合のほうが、遅い場合に比べて、相対的に画質が優れる。特に、液晶分子６１Ｍの応答速度Ｖｒが比較的速い上に、ＰＷＭ調光信号におけるDutyが５０％以下であると、画質評価の３項目全てで、“優”という結果が得られる（なお、このような５０％以下のDutyで、ＬＥＤ７１を駆動させることを、黒挿入を行うと称することもある）。
【０１６３】
ただし、Duty５０％以下のＰＷＭ調光信号でＬＥＤ７１が駆動しても、液晶分子６１Ｍの応答速度Ｖｒが遅い場合、多重輪郭が発生し、総合的な画質が最も悪くなる。むしろ、このように液晶分子６１Ｍの応答速度Ｖｒが遅い場合には、図１８から明らかなように、Duty５０％超過のＰＷＭ調光信号でＬＥＤ７１が駆動したほうがよい。
【０１６４】
以上の図１８の結果を踏まえると、液晶表示装置９０において、液晶分子６１Ｍの応答速度Ｖｒに応じ、ＰＷＭ調光信号のDutyが可変できれば、液晶分子６１Ｍの応答特性を反映させ、液晶表示パネル６０に映る画質向上が可能になる（例えば、多重輪郭の発生が抑えられる一方で、鮮明度合い等が向上する）。
【０１６５】
すなわち、図１９の表に示すように、液晶分子６１Ｍの応答速度Ｖｒが比較的に速い場合には、比較的低いDutyでＬＥＤ７１が駆動し、黒挿入が行われるようにすればよい。一方で、液晶分子６１Ｍの応答速度Ｖｒが比較的に遅い場合には、比較的高いDutyでＬＥＤ７１が駆動し、黒挿入が行われないようにすればよい（なお、図１９における矢印の着色は、黒挿入を行う傾向を意味する）。
【０１６６】
このようになっていると、応答速度Ｖｒの比較的速い液晶６１に対し、比較的小さなDutyに対応して短時間の光が一定間隔を空けて連続的に供給される。すると、この場合、液晶表示装置９０は、インパルス型の表示装置に似た画像表示になり、画質を高められる。一方、応答速度Ｖｒの比較的遅い液晶６１に対して、短時間の光が一定間隔を空けて連続的に供給されてしまうと、所定角度に達していない液晶分子６１Ｍに光が供給されることになり、それに起因して、画質の不具合（多重輪郭等）が生じる。
【０１６７】
しかしながら、このような応答速度Ｖｒの比較的遅い液晶６１には、画質の不具合を防止すべく、比較的大きなDutyでＬＥＤ７１を駆動させる。したがって、この液晶表示装置９０では、液晶６１の応答速度Ｖｒに応じて、画質の向上を図れる。
【０１６８】
なお、液晶分子６１Ｍの応答速度Ｖｒは、温度だけでなく、材料によっても変わってくる。そのため、応答速度Ｖｒの早い遅いを決定付ける閾値（応答速度データ閾値）は、任意に設定される。
【０１６９】
例えば、応答速度Ｖｒ、Duty、黒挿入率のデータ値の大小関係を矢印、詳説すると、データ値の小さい方が矢印の根元側、データ値の大きい方が矢印の先側で示す図２０を用いて説明すると、以下のようになる（なお、図２０における矢印の濃淡は、黒挿入を行う傾向を意味する）。
【０１７０】
すなわち、図２０に示すように、想定される応答速度Ｖｒの全範囲にて、１つの任意の閾値を境にして（閾値以上か未満かで）２つの応答速度Ｖｒの範囲が設定され、閾値以上である応答速度Ｖｒの範囲では、速い応答速度Ｖｒ（Ｖｒ２）で液晶分子６１Ｍが傾き、閾値未満である応答速度Ｖｒの範囲では、遅い応答速度Ｖｒ（Ｖｒ１）で液晶分子６１Ｍが傾くとするならば、閾値は、応答速度Ｖｒの全範囲におけるいずれかの応答速度Ｖｒであればよい。なお、閾値の設定数は図２０に示すように１個とは限らない。すなわち、図２１に示すように、閾値が２個以上設定され、その閾値を境にして３つ以上の応答速度Ｖｒの範囲（応答速度データ範囲）が設定されてもよい。
【０１７１】
要は、少なくとも１つの任意の閾値が有り、その閾値を境にして任意の応答速度Ｖｒの範囲が複数設定され、その範囲毎に、Dutyが変えられればよい。このようになっていれば、液晶分子６１Ｍの応答速度Ｖｒを段階的に区分けし、その段階に応じて、画質向上が図れる。
【０１７２】
特に、複数の応答速度Ｖｒの範囲に関する大小関係と逆関係になるように、Dutyが応答速度Ｖｒの範囲毎に変えられていればよい。例えば、図２０に示すように、応答速度Ｖｒの数値が小さな値であるＶｒ１の場合に、Dutyが大きな値であるDuty２になり、応答速度Ｖｒの数値が大きな値であるＶｒ２の場合に、Dutyが小さな値であるDuty１になればよい（なお、応答速度Ｖｒのデータ値の大小関係はＶｒ１＜Ｖｒ２であり、Dutyのデータ値の大小関係は、Duty１＜Duty２である）。
【０１７３】
ところで、一製品における液晶表示装置９０にて、液晶分子６１Ｍにおける応答速度Ｖｒの変動要因の１つは、液晶分子６１Ｍの温度Ｔｐである。そこで、温度Ｔｐのデータ値の大小関係を、図２１の表に併記すると図２２に示すような表になる（要は、高温になれば、液晶分子６１Ｍの応答速度Ｖｒが速まる）。そして、液晶分子６１Ｍの温度Ｔｐから、応答速度Ｖｒのデータ値を取得するために、液晶表示装置９０では、コントロールユニット１が、例えば、以下のように動作する。
【０１７４】
詳説すると、図２に示すように、コントロールユニット１に含まれる映像信号処理部１０のDuty設定部１４が、パネル用サーミスタ８３から測定温度のデータ（温度データ）を取得する。そして、Duty設定部１４は、メモリ１７に記憶されたメモリデータＤＭの１つを取得する。
【０１７５】
具体的には、このメモリデータＤＭは、液晶６１の温度（液晶温度Ｔｐ）に依存した液晶分子６１Ｍの応答速度Ｖｒのデータテーブル（ルックアップテーブル）である。すなわち、Duty設定部１４は、パネル用サーミスタ８３の温度データとデータテーブルの液晶温度Ｔｐとを対応させることで、応答速度Ｖｒを取得する。
【０１７６】
そして、Duty設定部１４は、取得した応答速度Ｖｒに対応したＰＷＭ調光信号のDutyを設定する。なお、このDutyの設定の仕方は、特に限定されないが、例えば、メモリ１７に応答速度Ｖｒに依存したDutyのデータテーブルが記憶されており、そのデータテーブルを用いて、Duty設定部１４がDutyを設定するとよい。
【０１７７】
≪◆ＰＷＭ調光信号における電流値の変化≫
なお、ＰＷＭ調光信号のDutyが、液晶分子６１Ｍの応答速度Ｖｒに応じて設定された場合、Dutyに応じて、ＰＷＭ調光信号の電流値ＡＭも可変すると望ましい（要は、ＰＷＭ調光信号ＶＤ-Ｓｄ[Ｗ]が、ＰＷＭ調光信号ＶＤ-Ｓｄ[Ｗ・Ａ]になるように補正されているとよい）。その理由を以下に説明する。
【０１７８】
例えば、図２３Ａは、Duty１００％のＰＷＭ調光信号とDuty５０％のＰＷＭ調光信号とを示す（なお、ＰＷＭ調光信号は、１２０Ｈｚで、点線の区切り間は１フレーム期間を示す）。そして、このようなＰＷＭ調光信号に起因する輝度は、各ＰＷＭ調光信号のグラフの直下に併記する斜線面積の大小で、おおまかに比較できる。要は、ＰＷＭ調光信号の点灯期間と電流値とを乗算させた面積で、おおまかな輝度比較が可能である。
【０１７９】
図２３Ａの場合、Dutyは１００％と５０％とで異なるものの、電流値ＡＭは同じである。そこで、ＰＷＭ調光信号の１周期にて、Duty１００％の場合の点灯期間をＷ１００、電流値をＡＭ１００、Duty５０％の場合の点灯期間をＷ５０、電流値をＡＭ５０、とすると、輝度比較では、Duty１００％の場合が、Duty５０％の場合に比べて明るい（Ｗ１００×ＡＭ１００＞Ｗ５０×ＡＭ５０）。
【０１８０】
すると、応答速度Ｖｒに対応させて、ＰＷＭ調光信号のDutyが変わってしまうと、Dutyに応じて、輝度差が生じることになり、画質劣化の原因となる。そこで、Dutyに応じて、ＰＷＭ調光信号の電流値が変わる。例えば、図２３ＡにおけるDuty１００％での輝度を基準にするならば、Duty８０％の場合の図２３Ｂ、Duty６０％の場合の図２３Ｃ、Duty５０％の場合の図２３Ｄに示すように、輝度を論じるための各図の斜線面積が等しくなるようにする(Ｗ１００×ＡＭ１００=Ｗ８０×ＡＭ’８０=Ｗ６０×ＡＭ’６０=Ｗ５０×ＡＭ’５０)。
【０１８１】
すなわち、演算処理部１３の電流値設定部１５は、ＰＷＭ調光信号の１周期期間での発光の積算量と、その１周期期間に相当する時間にて１００％のDutyでの発光の積算量とを一致させるように、１００％以外のDutyで駆動させる場合のＰＷＭ調光信号の電流値ＡＭを変化させる。そして、このようになっていると、液晶分子６１Ｍの応答速度Ｖｒに応じて、Dutyが変えられたとしても、そのDutyに起因して、輝度が変わらなくなる（要は、液晶表示装置９０は、高輝度を維持しながらも、Dutyを変えられる）。
【０１８２】
なお、このようなDutyに応じて、ＰＷＭ調光信号の電流値が変えられることを、図２２の表に併記して示すと、図２４のような表になる。すなわち、黒挿入の程度が高ければ高いほど（Dutyが低ければ低いほど）、電流値ＡＭが高くなる（ＡＭ１＜ＡＭ２＜ＡＭ３）。
【０１８３】
また、電流値設定部１５による電流値ＡＭの設定の仕方は、特に限定されないが、例えば、電流値設定部１５が、Dutyのデータ信号を受信してから、自ら計算処理をして電流値ＡＭを設定してもよいし、Dutyに依存した電流値ＡＭのデータテーブルを自ら記憶しており、そのデータテーブルを用いて、電流値ＡＭを設定してもよい。
【０１８４】
≪◆他の要因について≫
ところで、液晶表示装置９０では、画質を向上させるために、種々の機能が搭載されている。例えば、ＦＲＣ処理機能、および、視聴者の好みに応じて画像の表示形式を変える視聴モード設定機能が挙げられる。また、液晶表示装置９０の置かれる環境の明暗に応じて、液晶表示パネル６０の明るさを調整する環境対応機能も挙げられる。さらに、映像信号の輝度等（平均信号レベルＡＳＬ等）に応じて、液晶表示パネル６０の明るさを調整する映像信号対応機能も挙げられる。
【０１８５】
そして、これらの種々機能に応じて、ＰＷＭ調光信号のDutyが変わると望ましい場合もある。例えば、演算処理部１３のDuty設定部１４が、図２５のフローチャートに示すように、パネル用サーミスタ８３の温度データを取得し（ＳＴＥＰ１）、液晶分子６１Ｍの応答速度Ｖｒを取得する（ＳＴＥＰ２）。
【０１８６】
そこで、Duty設定部１４は、応答速度Ｖｒ（応答速度データ）を判断する。具体的には、Duty設定部１４は、種々機能の動作の有無に応じて、Dutyの設定を変えるべきか否かを判断する（ＳＴＥＰ３）。例えば、過度に応答速度Ｖｒが低く、種々機能の動作の有無にかかわらず、Dutyが高く設定されていないと、多重輪郭が発生する場合（ＳＴＥＰ３のＮＯの場合）、Duty設定部１４は、液晶温度Ｔｐに対応した応答速度Ｖｒを考慮してDutyを、例えば１００％に設定する（ＳＴＥＰ４）。このようになっていると、多重輪郭の発生が防止される。
【０１８７】
しかしながら、Duty設定部１４が、種々機能の動作が有ることに起因して、Dutyの設定を変えることが望ましいと判断した場合（ＳＴＥＰ４のＹＥＳの場合）、Duty設定部１４は、種々機能を考慮してDutyの設定を行う。このようになっていれば、確実に画質向上が図れるためである。
【０１８８】
（●ＦＲＣ処理機能）
例えば、Duty設定部１４はＦＲＣ処理の有無の判断を行う（ＳＴＥＰ５）。具体的には、Duty設定部１４は、図２に示すように、ＬＣＤコントローラ２０のＦＲＣ処理部２１からのＦＲＣ処理の有無を示す信号（ＯＮ／ＯＦＦ信号）を受信する。そして、ＦＲＣ処理が行われていない場合（ＳＴＥＰ５のＮＯの場合）、すなわち、映像信号のフレーム数が所定の数よりも少ないので、Duty設定部１４は、液晶温度Ｔｐに対応した応答速度Ｖｒを考慮したDutyと同様のDuty、すなわち、比較的高めのDutyを設定する（ＳＴＥＰ４）。
【０１８９】
一方で、ＦＲＣ処理が行われている場合（ＳＴＥＰ５のＹＥＳの場合）、Duty設定部１４は、ＦＲＣ処理に応じて、直前のDutyの変更を要するか否かを判断する（ＳＴＥＰ６）。なぜなら、直前のDuty、すなわちＳＴＥＰ４で設定されるDutyが、ＦＲＣ処理がなされた場合でのDutyと変わらないこともあるためである。
【０１９０】
そして、Duty設定部１４が、直前のDutyの変更を要すると判断した場合（ＳＴＥＰ６のＹＥＳの場合）には、液晶温度Ｔｐに応じた応答速度ＶｒとＦＲＣ処理とを考慮したDutyを設定する（ＳＴＥＰ７）。例えば、Duty設定部１４は、ＦＲＣ処理が有る場合、Dutyを低下させる（なお、ＦＲＣ処理の有無に応じたDutyの大小の傾向を図２６の表に示す）。このようになっていると、画質の鮮明度合い等が向上する。
【０１９１】
一方で、Duty設定部１４が、直前のDutyの変更を要しないと判断した場合（ＳＴＥＰ６のＮＯの場合）には、液晶温度Ｔｐに応じた応答速度Ｖｒのみを考慮したDutyを設定する（ＳＴＥＰ４）。
【０１９２】
つまり、図１に示されるコントロールユニット１は、フレームレートコントロール処理を行うＦＲＣ処理部２１を含んでおり、そのコントロールユニット１（詳説すると、Duty設定部１４）は、ＦＲＣ処理部２１によるＦＲＣ処理の有無に応じて、Dutyを変化させる（なお、Dutyが変化することに応じて、電流値ＡＭが変えられてもよい）。なお、ＦＲＣ処理が有る場合のDutyは、ＦＲＣ処理が無い場合のDutyに比べて、低い（図２６参照）。
【０１９３】
（●視聴モード設定機能）
また、Duty設定部１４は、視聴モードの設定に応じた判断を行ってもよい。具体的には、Duty設定部１４は、図２に示すように、映像信号処理部１０の視聴モード設定部１６からの視聴モードの種類を示すモード種別信号ＭＤ、例えば、動画レベルの比較的高いスポーツモードであることを示す信号を受信する。
【０１９４】
そして、Duty設定部１４は、図２７のフローチャートに示すように（ＳＴＥＰ１〜４は、上述と同様）、動画レベルに応じて、直前のDutyの変更を要するか否かを判断する（ＳＴＥＰ１５）。なぜなら、直前のDuty、すなわちＳＴＥＰ４で設定されるDutyが、動画レベルが高い場合でのDutyと変わらないこともあるためである。
【０１９５】
そして、Duty設定部１４が、直前のDutyの変更を要すると判断した場合（ＳＴＥＰ１５のＹＥＳの場合）には、液晶温度Ｔｐに応じた応答速度Ｖｒと動画レベルとを考慮したDutyを設定する（ＳＴＥＰ１６）。例えば、Duty設定部１４は、スポーツモードが設定されている場合、Dutyを低下させる（なお、動画レベルの大小関係に応じたDutyの大小の傾向を図２８の表に示す）。このようになっていると、画質の鮮明度合い等が向上する。
【０１９６】
一方で、Duty設定部１４が、直前のDutyの変更を要しないと判断した場合（ＳＴＥＰ１５のＮＯの場合）には、液晶温度Ｔｐに応じた応答速度Ｖｒのみを考慮したDutyを設定する（ＳＴＥＰ４）。
【０１９７】
つまり、図１に示されるコントロールユニット１は、液晶表示パネル６０の視聴モードを切り替える視聴モード設定部１６を含んでおり、視聴モード設定部１６が視聴モードを切り替えた場合、そのコントロールユニット１（詳説すると、Duty設定部１４）は、選択された視聴モードに応じて、Dutyを変化させる（なお、Dutyが変化することに応じて、電流値ＡＭが変えられてもよい）。
【０１９８】
そして、このようなDutyの変化の一例として、上述したように、視聴モード設定部１６が、映像データの動画レベルに応じて、高動画レベル視聴モードと低動画レベル視聴モードとを設定している場合、複数の視聴モードにおける動画レベルの高低関係（大小関係）と逆関係になるように、Dutyが、選択された視聴モード毎に変えられる（図２８参照）。
【０１９９】
また、Duty設定部１４は、コントラスト比の異なる視聴モードの設定に応じた判断を行ってもよい。具体的には、Duty設定部１４は、視聴モード設定部１６からの視聴モードの種類を示す信号モード種別信号ＭＤ、例えば、コントラスト比の比較的高いダイナミックモードであることを示す信号を受信する。
【０２００】
そして、Duty設定部１４は、図２９のフローチャートに示すように（ＳＴＥＰ１〜４は、上述と同様）、コントラスト比に応じて、直前のDutyの変更を要するか否かを判断する（ＳＴＥＰ２５）。なぜなら、直前のDuty、すなわちＳＴＥＰ４で設定されるDutyが、コントラスト比が高い場合でのDutyと変わらないこともあるためである。
【０２０１】
そして、Duty設定部１４が、直前のDutyの変更を要すると判断した場合（ＳＴＥＰ２５のＹＥＳの場合）には、液晶温度Ｔｐに応じた応答速度Ｖｒとコントラスト比とを考慮したDutyを設定する（ＳＴＥＰ２６）。例えば、Duty設定部１４は、ダイナミックモードが設定されている場合、Dutyを低下させる（なお、コントラスト比の大小関係に応じたDutyの大小の傾向を図３０の表に示す）。このようになっていると、画質の鮮明度合い等が向上する。
【０２０２】
一方で、Duty設定部１４が、直前のDutyの変更を要しないと判断した場合（ＳＴＥＰ２５のＮＯの場合）には、液晶温度Ｔｐに応じた応答速度Ｖｒのみを考慮したDutyを設定する（ＳＴＥＰ４）。
【０２０３】
つまり、視聴モード設定部１６が、映像データのコントラストレベルに応じて、高コントラストレベル視聴モードと低コントラストレベル視聴モードとを設定している場合、複数の視聴モードにおけるコントラストレベルの高低関係（大小関係）と逆関係になるように、Dutyが、選択された視聴モード毎に変えられる（図３０参照）。
【０２０４】
なお、視聴モードの種類は多々あり、種々モードの組み合わせで、Duty設定部１４がDutyを設定してもよい。例えば、Duty設定部１４は、視聴モード設定部１６からの視聴モードの種類を示すモード種別信号ＭＤ、例えば、動画レベルの比較的高いスポーツモードであり、かつ、コントラスト比の比較的高いダイナミックモードであることを示す信号を受信する。
【０２０５】
そして、Duty設定部１４は、図３１のフローチャートに示すように（ＳＴＥＰ１〜４は上述と同様）、例えば動画レベルに応じて、直前のDutyの変更を要するか否かを判断する（ＳＴＥＰ１５）。そして、直前のDutyの変更を要しないと判断した場合（ＳＴＥＰ１５のＮＯの場合）には、Duty設定部１４は、液晶温度Ｔｐに応じた応答速度Ｖｒのみを考慮したDutyを設定する（ＳＴＥＰ４）。
【０２０６】
一方、Duty設定部１４が、直前のDutyの変更を要すると判断した場合（ＳＴＥＰ１５のＹＥＳの場合）には、さらに、コントラスト比に応じて、直前のDutyの変更を要するか否かを判断する（ＳＴＥＰ３６）。そして、Duty設定部１４が、直前のDutyの変更を要すると判断した場合（ＳＴＥＰ３６のＹＥＳの場合）には、液晶温度Ｔｐに応じた応答速度Ｖｒと動画レベルとコントラスト比とを考慮したDutyを設定する（ＳＴＥＰ３７）。
【０２０７】
一方で、Duty設定部１４が、直前のDutyの変更を要しないと判断した場合（ＳＴＥＰ３６のＮＯの場合）には、液晶温度Ｔｐに応じた応答速度Ｖｒと動画レベルと考慮したDutyを設定する（ＳＴＥＰ１６）。
【０２０８】
なお、図３１のフローチャートでは、先に動画レベルを考慮し、後にコントラスト比を考慮したが、この順番は異なってもよい。
【０２０９】
（●環境対応機能）
また、Duty設定部１４は、液晶分子６１Ｍの置かれる環境の明暗に応じた判断を行ってもよい。具体的には、Duty設定部１４は、図２に示すように、環境用照度センサ８４の照度データを受信する（要は、Duty設定部１４による液晶表示装置９０の設置場所の明暗を判断する材料は、外部の照度を測定する環境用照度センサ８４の測定照度である）。
【０２１０】
そして、Duty設定部１４は、図３２のフローチャートに示すように（ＳＴＥＰ１〜４は、上述と同様）、照度データに応じて、直前のDutyの変更を要するか否かを判断する（ＳＴＥＰ４５）。なぜなら、直前のDuty、すなわちＳＴＥＰ４で設定されるDutyが、照度データが高い場合（要は、環境が比較的明るい場合）でのDutyと変わらないこともあるためである。
【０２１１】
そして、Duty設定部１４が、直前のDutyの変更を要すると判断した場合（ＳＴＥＰ４５のＹＥＳの場合）には、液晶温度Ｔｐに応じた応答速度Ｖｒと照度データとを考慮したDutyを設定する（ＳＴＥＰ４６）。例えば、Duty設定部１４は、比較的明るい環境下に液晶表示装置９０が設置されている場合、Dutyを低下させる（なお、照度データの大小関係に応じたDutyの大小の傾向を図３３の表に示す）。このようになっていると、画質の鮮明度合い等が向上する。
【０２１２】
一方で、Duty設定部１４が、直前のDutyの変更を要しないと判断した場合（ＳＴＥＰ４５のＮＯの場合）には、液晶温度Ｔｐに応じた応答速度Ｖｒのみを考慮したDutyを設定する（ＳＴＥＰ４）。
【０２１３】
つまり、図１に示されるコントロールユニット１は、外部の照度データを取得し、その照度データに応じて、Dutyを変化させる（なお、Dutyが変化することに応じて、電流値ＡＭが変えられてもよい）。なお、複数の照度データ範囲毎におけるデータ値の大小関係と逆関係になるように、Dutyが、照度データ範囲毎に変えられる（図３３参照）。
【０２１４】
（●映像信号対応機能）
また、Duty設定部１４は、映像信号の輝度等（平均信号レベルＡＳＬ等）に応じた判断を行ってもよい。具体的には、Duty設定部１４は、図２に示すように、ヒストグラム処理部１２のヒストグラムデータＨＧＭを、演算処理部１３を介して受信する。そして、このヒストグラムデータＨＧＭを用いて、Dutyが変えられる。
【０２１５】
ところで、液晶分子６１Ｍの応答速度Ｖｒは、温度に対して依存性を有するが、さらに、階調間の変化に対しても依存性を有する。そのような依存性を一例を、図３４および図３５に示す。これらのグラフは、０階調目から他階調目に階調変化しようとする液晶分子６１Ｍの傾く応答時間を示し、図３４が比較的高温の液晶温度Ｔｐ、図３５が比較的低温の液晶温度Ｔｐに対応する（なお、液晶６１は、ＭＶＡモードである）。
【０２１６】
図３４のグラフと図３５のグラフとを比較してみると、応答時間の最大値と最小値との差ＴＷが液晶温度Ｔｐによって異なることがわかる（高温の液晶温度Ｔｐでの差ＴＷ［ＭＶＡ，ＨＯＴ］は、低温の液晶温度Ｔｐでの差ＴＷ［ＭＶＡ，ＣＯＬＤ］に比べて小さい）。また、この図３４のグラフおよび図３５のグラフでは、応答時間は、０階調目から２５５階調目に向かって徐々に減少している（グラフ線が、広範囲の階調範囲にわたって、単調減少している）。
【０２１７】
このようなグラフ線で差ＴＷが大きい場合に、画像（１フレーム画像）における低階調範囲の占有率と高階調範囲の占有率とに差があると、バックライト光ＢＬの特性によっては、画質劣化の原因になる。
【０２１８】
例えば、２０℃程度の低温の液晶温度Ｔｐにて、低階調範囲の占有率が高い場合（要は、比較的低階調な画像の場合）、液晶分子６１Ｍの応答速度Ｖｒは比較的低速になる。このような液晶分子６１Ｍに対して、ＰＷＭ調光信号のDutyが低く設定されてしまうと、図１５に示すように、多重輪郭が発生しかねない。そこで、このような場合には、多重輪郭を防止すべく、ＰＷＭ調光信号のDutyは、高く設定される。
【０２１９】
逆に、高階調範囲の占有率が高い場合（要は、比較的高階調な画像の場合）、液晶分子６１Ｍの応答速度Ｖｒは比較的高速になる。そのため、このような場合には、画質の鮮明度合い等を向上させるべく、ＰＷＭ調光信号のDutyが、低く設定されるとよい（要は、ＰＷＭ調光信号の黒挿入の効果が顕著に現れるようにする）。
【０２２０】
そして、このように画像の階調範囲の占有率に応じてDutyが変えられる場合、図３６のフローチャートに示すように（ＳＴＥＰ１〜４は、上述と同様）、Duty設定部１４は、演算処理部１３からヒストグラムデータＨＧＭを取得する（ＳＴＥＰ５５）。次に、Duty設定部１４は、予めメモリ１７に記憶されている液晶温度Ｔｐに応じて設定された階調閾値（階調閾値データ）を取得し、特定の階調範囲の設定が可能か否か判断する（ＳＴＥＰ５６）。
【０２２１】
例えば、液晶温度Ｔｐが高温の場合、図３４に示すように、差ＴＷ［ＭＶＡ，ＨＯＴ］は比較的小さい。すると、高温の液晶温度Ｔｐの下での階調変化にともなう応答時間の差は、低温の液晶温度Ｔｐの下での階調変化にともなう応答時間の差に比べて小さい。
【０２２２】
そのため、液晶温度Ｔｐが高温の場合での階調変化にともなう応答時間の差が、許容範囲と設定されているのであれば、この液晶温度Ｔｐが高温の場合、ヒストグラムデータＨＧＭを利用して、Dutyを変えた方がよいとされる特定の階調範囲（例えば低階調範囲）の設定は不要である（ＳＴＥＰ５６のＮＯの場合）。そのため、このような場合には、Duty設定部１４は、液晶温度Ｔｐに応じた応答速度Ｖｒのみを考慮したDutyを設定する（ＳＴＥＰ４）。
【０２２３】
逆に、図３５に示すように、液晶温度Ｔｐが低温の場合での階調変化にともなう応答時間の差が、許容範囲外と設定されているのであれば、Duty設定部１４は、ヒストグラムデータＨＧＭを利用して、Dutyを変えようとする（ＳＴＥＰ５６のＹＥＳの場合）。具体的には、Duty設定部１４は、ヒストグラムデータＨＧＭと、メモリ１７に記憶されている液晶温度Ｔｐに応じて設定された階調閾値から、Dutyを変えた方がよいとされる特定の階調範囲を設定する（ＳＴＥＰ５７）。例えば、ＭＶＡモードの液晶６１で、液晶温度Ｔｐが低温（例えば、２０℃程度）の場合、図３５に示すように、０階調目から１２８階調目までが、特定の階調範囲として設定される（要は、全階調範囲０以上２５５以下のうちの０以上１２８以下の階調範囲が特定の階調範囲とされる）。
【０２２４】
さらに、Duty設定部１４は、ヒストグラムデータＨＧＭから、その特定の階調範囲の画像（１フレーム画像）における占有率を取得し、その占有率と、メモリ１７に記憶された特定の階調範囲の占有率に関する閾値（占有率閾値；例えば５０％）とを比較する（ＳＴＥＰ５８）。
【０２２５】
そして、占有率が閾値以下ではない場合（要は、占有率が占有率閾値を超過した場合；ＳＴＥＰ５８のＮＯの場合）、例えば０階調目から１２８階調目までの特定の階調範囲を多量に含む低階調な画像といえる。すると、図１５に示すような多重輪郭の発生を防止すべく、Duty設定部１４は、液晶温度Ｔｐに応じた応答速度Ｖｒのみを考慮した高めのDuty、例えば１００％を設定する（ＳＴＥＰ４）。
【０２２６】
逆に、占有率が閾値以下の場合（ＳＴＥＰ５８のＹＥＳの場合）、例えば０階調目から１２８階調目までの特定の階調範囲を少量しか含まない高階調な画像といえる。すると、Duty設定部１４は、占有率に応じて、直前のDutyの変更を要するか否かを判断する（ＳＴＥＰ５９）。なぜなら、直前のDuty、すなわちＳＴＥＰ４で設定されるDutyが、占有率が高い場合（要は、低階調な画像の場合）でのDutyと変わらないこともあるためである。
【０２２７】
そして、Duty設定部１４が、直前のDutyの変更を要すると判断した場合（ＳＴＥＰ５９のＹＥＳの場合）には、液晶温度Ｔｐに応じた応答速度Ｖｒと階調（要は、ヒストグラムデータＨＧＭ）とを考慮したDutyを設定する（ＳＴＥＰ６０）。例えば、ＭＶＡモードの液晶表示装置９０におけるDuty設定部１４は、液晶表示パネル６０に比較的高階調の画像が表示される場合、低めのDuty、例えば５０％を設定する（なお、占有率の大小関係に応じたDutyの大小の傾向を図３７の表に示す）。このようになっていると、画質の鮮明度合い等が向上する。
【０２２８】
一方で、Duty設定部１４が、直前のDutyの変更を要しないと判断した場合（ＳＴＥＰ５９のＮＯの場合）には、液晶温度Ｔｐに応じた応答速度Ｖｒのみを考慮したDutyを設定する（ＳＴＥＰ４）。
【０２２９】
つまり、コントロールユニット１では、ヒストグラムユニット１８が、映像信号をヒストグラム化することで、階調に対する度数分布を示すヒストグラムデータＨＧＭを生成する。さらに、コントロールユニット１は、ヒストグラムデータＨＧＭの全階調を区分けし、分けられた階調範囲のうちの少なくとも１つの特定の階調範囲における占有率が、占有率閾値を超過するか以下かを判断する。
【０２３０】
そして、占有率閾値を超過する場合のDutyは、占有率閾値以下の場合のDutyよりも高くされる一方、占有率閾値以下の場合のDutyは、占有率閾値を超過する場合のDutyよりも低くされる（なお、Dutyが変化することに応じて、電流値ＡＭが変えられてもよい）。
【０２３１】
なお、ＭＶＡモードの液晶６１にて、液晶温度Ｔｐ２０℃程度の場合に、上述した０階調目から１２８階調目という特定の階調範囲、および、その特定の階調範囲の占有率の占有率閾値５０％は、一例にすぎない（特定の階調範囲は複数であってもかまわない）。例えば、パネル用サーミスタ８３の温度データに応じて、すなわち、液晶温度Ｔｐに応じて、特定の階調範囲および占有率閾値の少なくとも一方が変わってもよい。したがって、例えば図３４に示すような液晶温度Ｔｐの場合でも、特定の階調範囲の設定が行われてもよい。
【０２３２】
また、図３８および図３９に示すように、ＩＰＳモードの液晶６１では、液晶温度Ｔｐが高い場合（図３８参照）および低い場合（図３９参照）ともに、応答時間の最大値と最小値との差ＴＷは比較的小さい（なお、図３８および図３９は、図３４および図３５と同様に、０階調目から他階調目に階調変化しようとする液晶分子６１Ｍの傾く応答時間を示す）。要は、図３８および図３９は、例えば、図３５に比べて、フラットなグラフ線である。
【０２３３】
つまり、高温および低温での液晶温度Ｔｐ下での階調変化にともなう応答時間の差はともに比較的小さい。そのため、画像における特定の階調範囲の設定を行い、さらに、その特定の範囲の占有率に応じて、Dutyが変えられなくてもかまわない。しかし、場合によっては、映像信号対応機能に対応させて、Dutyを変えてもかまわない。
【０２３４】
（●種々機能の組み合わせ）
ところで、上述してきたＦＲＣ処理機能、視聴モード設定機能、環境対応機能、映像信号対応機能が、種々の組み合わせで動作することがある。そのような場合であっても、Dutyが変えられてもよい。
【０２３５】
例えば、図３６のフローチャートに示すように、映像信号対応機能に対応してDutyが変えられようとする場合に、ＳＴＥＰ５９がＹＥＳの後に、図４０のフローチャートに示すように、Duty設定部１４はＦＲＣ処理の有無の判断を行ってもよい（ＳＴＥＰ６１）。そして、ＦＲＣ処理が行われていない場合（ＳＴＥＰ６１のＮＯの場合）、Duty設定部１４は、ＳＴＥＰ６０での液晶温度Ｔｐに応じた応答速度Ｖｒと階調とを考慮したDutyを設定する（ＳＴＥＰ６０）。
【０２３６】
一方で、Duty設定部１４は、ＦＲＣ処理があったとしても、そのＦＲＣ処理に応じて、直前のDutyの変更を要するか否かを判断する（ＳＴＥＰ６２）。そして、Duty設定部１４が、直前のDutyの変更を要しないと判断した場合（ＳＴＥＰ６２のＮＯの場合）、ＳＴＥＰ６０での液晶温度Ｔｐに応じた応答速度Ｖｒと階調とを考慮したDutyを設定する（ＳＴＥＰ６０）。
【０２３７】
一方で、Duty設定部１４が、直前のDutyの変更を要すると判断した場合（ＳＴＥＰ６２のＹＥＳの場合）、続いて、視聴モード（例えば、動画レベル）に応じて、直前のDutyの変更を要するか否かを判断する（ＳＴＥＰ６３）。そして、Duty設定部１４が、直前のDutyの変更を要しないと判断した場合（ＳＴＥＰ６３のＮＯの場合）には、液晶温度Ｔｐに応じた応答速度Ｖｒ・階調・ＦＲＣ処理を考慮したDutyを設定する（ＳＴＥＰ６４）。
【０２３８】
一方で、Duty設定部１４は、直前のDutyの変更を要すると判断した場合（ＳＴＥＰ６３のＹＥＳの場合）には、照度データに応じて、直前のDutyの変更を要するか否かを判断する（ＳＴＥＰ６５）。そして、Duty設定部１４が、直前のDutyの変更を要しないと判断した場合（ＳＴＥＰ６５のＮＯの場合）には、液晶温度Ｔｐに応じた応答速度Ｖｒ・階調・ＦＲＣ処理・視聴モードを考慮したDutyを設定する（ＳＴＥＰ６６）。
【０２３９】
一方で、Duty設定部１４は、直前のDutyの変更を要すると判断した場合（ＳＴＥＰ６５のＹＥＳの場合）には、液晶温度Ｔｐに応じた応答速度Ｖｒ・階調・ＦＲＣ処理・視聴モード・照度データを考慮したDutyを設定する（ＳＴＥＰ６７）。
【０２４０】
つまり、この図４０のフローチャートのように、Duty設定部１４は、ＦＲＣ処理機能、視聴モード設定機能、環境対応機能、映像信号対応機能が、組み合わさって動作する場合であっても、Dutyを変えられる（なお、Dutyが変化することに応じて、電流値ＡＭが変えられてもよい）。
【０２４１】
また、機能の順番は、図３６および図４０のフローチャートに示されるような、映像信号対応機能、ＦＲＣ処理機能、視聴モード設定機能、環境対応機能の順番に限定されるものではなく、入れ替わってもかまわない。また、機能の組み合わせ数も、映像信号対応機能、ＦＲＣ処理機能、視聴モード設定機能、環境対応機能の４つに限らず、３つ以下であってもよいし、その他の種々機能が有れば、５つ以上であってもかまわない。
【０２４２】
＜■ＰＷＭ調光信号のDutyに関する数値実施例について＞
なお、以上では、Dutyの数値実施例では、主に５０％と１００％とが列挙されていた。しかしながら、当然に、これらの数値に限定されるものではない。
【０２４３】
例えば、図４１〜図４４は、図１４〜図１７と同様の図である（したがって、スクロール速度は、３２pixel／１６．７msである）。図４１は応答速度Ｖｒが比較的遅く、Duty７０％の場合を示し、図４２は応答速度Ｖｒが比較的遅く、Duty３０％の場合を示す。一方で、図４３は応答速度Ｖｒが比較的速く、Duty７０％の場合を示し、図４４は応答速度Ｖｒが比較的速く、Duty３０％の場合を示す。これらの図と図１４〜図１７とを参照してみると、以下のようなことがいえる。
【０２４４】
図４１と図１４とを比較すると、図１４では示されないグラフ線の段差が、図４１では確認される。すなわち、図４１では、積分輝度の変化度合い（要は、図１４のグラフ線の傾き）を異にした画素が連続する。ただし、図１５に示すほど、積分輝度の変化度合いの差が大きくない。そのため、多重輪郭は発生しない。
【０２４５】
逆に、図４２では、積分輝度の変化度合いの差が、図１５よりも大きい。したがって、図１５よりも一層、多重輪郭が発生する。したがって、液晶分子６１Ｍの応答速度Ｖｒが比較的遅い場合には、Dutyは５０％超過、できれば７０％以上、さらに望ましくは１００％であるとよい。このようになっていると、多重輪郭が防止される。
【０２４６】
また、図４３と図１８とを比較すると、図１８におけるグラフ線の傾斜よりも、図４３のグラフ線の傾斜のほうが大きい（ただし、まだ、残像が見える）。さらに、図４４と図１７とを比較すると、図１７におけるグラフ線の傾斜よりも、図４４のグラフ線の傾斜のほうが大きい。
【０２４７】
これらの図から、液晶分子６１Ｍの応答速度Ｖｒが比較的速い場合には、Dutyが低ければ低いほど、黒挿入の効果が顕著に現れることがわかる（例えば、画質の鮮明度合い等が向上する）。つまり、液晶分子６１Ｍの応答速度Ｖｒが比較的速い場合には、Dutyは５０％以下、できれば３０％以下であるとよい。
【０２４８】
［■実施の形態２■］
実施の形態２について説明する。なお、実施の形態１で用いた部材と同様の機能を有する部材については同一の符号を付記し、その説明を省略する。
【０２４９】
実施の形態１では、画質向上のために、ＰＷＭ調光信号のDuty、またはDutyおよび電流値を種々変更させていた。このような制御以外であっても、画質向上を図ることができる。例えば、ＰＷＭ調光信号の駆動周波数ＦＱ［ＰＷＭ］が種々変わることで、画質向上を図ることも可能である。そこで、そのような制御を行う液晶表示装置９０について、以下に説明する。
【０２５０】
＜■液晶表示装置について＞
図４５〜図４７は、液晶表示装置９０に関する種々部材を示したブロック図である（なお、図４６および図４７は、図４５の一部分を抽出し、詳細にしたブロック図である）。実施の形態１での液晶表示装置９０と実施の形態２での液晶表示装置９０との違いの１つとして、ＬＥＤコントローラ３０からＬＥＤドライバー８５に対して、ＬＥＤ７１の駆動周波数（ＰＷＭ調光信号の駆動周波数ＦＱ［ＰＷＭ］）を設定する設定信号ＣＳが送信される（図４５・図４７参照）。
【０２５１】
また、図４６および図４７に示すように、演算処理部１３のヒストグラムデータＨＧＭ（ＨＧＭ［Ｓ］／ＨＧＭ［Ｌ］）、メモリ１７に記憶された種々のデータ（メモリデータＤＭ）、視聴モード設定部１６の視聴モードの種類を示すモード種別信号ＭＤ、パネル用サーミスタ８３の温度データ、および、環境用照度センサ８４の照度データが、Duty設定部１４に送信されずに、コントロールユニット１（詳説すると、ＬＥＤコントローラ３０）に送信される。また、ＦＲＣ処理部２１からのＦＲＣ処理の有無を示す信号（ＯＮ／ＯＦＦ信号）は、ＬＥＤコントローラ３０に送信される。
【０２５２】
詳説すると、ヒストグラムデータＨＧＭ、メモリデータＤＭ、モード種別信号ＭＤ、温度データ、照度データ、ＯＮ／ＯＦＦ信号は、ＬＥＤコントローラ３０に含まれ駆動周波数可変部４１に送信される。そして、この駆動周波数可変部４１は、液晶温度Ｔｐに応じて、駆動周波数ＦＱ［ＰＷＭ］を切り替える。
【０２５３】
例えば、液晶表示パネル６０のフレーム周波数が１２０Ｈｚで、ＰＷＭ調光信号の駆動周波数ＦＱ［ＰＷＭ］も１２０Ｈｚ（ただし、Dutyは５０％）の場合、液晶温度Ｔｐが低ければ、図１５に示すように、多重輪郭が生じ得る。そこで、実施の形態１の場合、Duty設定部１４が、Dutyを高めるように制御していた。
【０２５４】
＜■ＬＥＤを発光制御するＰＷＭ調光信号の駆動周波数を用いた画質向上について＞
実施の形態２の場合、Dutyが変えられるのではなく、駆動周波数可変部４１が、ＰＷＭ調光信号の駆動周波数ＦＱ［ＰＷＭ］を１２０Ｈｚよりも高周波数、例えば４８０Ｈｚに変化させる。すると、図１５に対応する図４８Ａ（図１３Ｂと同図）と同様に、４８０Ｈｚの駆動周波数ＦＱ［ＰＷＭ］であっても、応答過程時間帯ＣＷにて、一定間隔を空けて連続的に、光が液晶表示パネル６０に供給される（図４８Ｂ参照）。そして、その供給される光の輝度値は、最大輝度値よりも低い。
【０２５５】
ただし、図４８Ａと図４８Ｂと比較すると明らかなように、応答期間ＣＷにて、ＰＷＭ調光信号のハイ期間の数が、駆動周波数ＦＱ［ＰＷＭ］４８０Ｈｚの場合のほうが、駆動周波数ＦＱ［ＰＷＭ］１２０Ｈｚの場合に比べて増加する。
【０２５６】
そして、図１２Ｂ〜図１２Ｅに示すように、黒画像と白画像との境界が移動する場合、境界付近に応じた積算輝度は、図４９のグラフのようになる（なお、スクロール速度は、３２pixel／１６．７msである）。すなわち、完全な白色画像を形成するには足りない光を受けた画素が境界付近に生じる。
【０２５７】
このような画素の連続する画素範囲ＰＡ［50L-480］が、問題のある画素として認識される（イメージ図参照）。詳説すると、黒画像から白画像へ切り替わりが高速で行われず、画素範囲ＰＡ［50L-480］にて、積分輝度の変化度合い（要は、図４９のグラフの傾き）を異にした画素が含まれる。
【０２５８】
ただし、図１５の場合と異なり、図４９の場合には、応答過程時間帯ＣＷにおけるＰＷＭ調光信号のハイ期間の数が多い。すると、積分輝度の変化度合いに起因する図４９のグラフ線の段差の数が、図１５のグラフ線の段差の数よりも多くなる。このようになっていると、図４９のグラフ線は、擬似的に図１４のグラフ線と同様になる。したがって、図４９の場合には、多重輪郭ではなく、残像しか生じない。つまり、最悪な画質劣化の最大原因の多重輪郭は防止される。
【０２５９】
≪◆ＰＷＭ調光信号における駆動周波数の変化≫
以上の図４９の結果を踏まえると、液晶表示装置９０において、液晶分子６１Ｍの応答速度Ｖｒに応じ、ＰＷＭ調光信号の駆動周波数ＦＱ［ＰＷＭ］が可変されれば、液晶分子６１Ｍの応答特性を反映させ、液晶表示パネル６０に映る画質向上が可能になる（例えば、多重輪郭の発生が抑えられる一方で、鮮明度合い等が向上する）。
【０２６０】
すなわち、図５０の表に示すように、液晶分子６１Ｍの応答速度Ｖｒが比較的に速い場合には、比較的低い駆動周波数ＦＱ［ＰＷＭ］でＬＥＤ７１が駆動する一方で、液晶分子６１Ｍの応答速度Ｖｒが比較的に遅い場合には、比較的高い駆動周波数ＦＱ［ＰＷＭ］でＬＥＤ７１が駆動すればよい。
【０２６１】
なお、実施の形態１で説明したように、応答速度Ｖｒの速い遅いを決定付ける閾値（応答速度データ閾値）は、任意に設定される。したがって、図２０および図２１と同様の矢印で表を作成すると、図５１および図５２のようになる。
【０２６２】
すなわち、少なくとも１つの任意の閾値が有り、その閾値を境にして任意の応答速度Ｖｒの範囲が複数設定され、その範囲毎に、駆動周波数ＦＱ［ＰＷＭ］が変えられればよい。このようになっていれば、液晶分子６１Ｍの応答速度Ｖｒを段階的に区分けし、その段階に応じて、画質向上が図れる。
【０２６３】
特に、複数の応答速度Ｖｒの範囲に関する大小関係と逆関係になるように、駆動周波数ＦＱ［ＰＷＭ］が応答速度Ｖｒの範囲毎に変えられるとよい。例えば、図５１に示すように、応答速度Ｖｒの数値が小さな値であるＶｒ１の場合に、駆動周波数ＦＱ［ＰＷＭ］が大きな値であるＦＱ［ＰＷＭ］２になり、応答速度Ｖｒの数値が大きな値であるＶｒ２の場合に、駆動周波数ＦＱ［ＰＷＭ］が小さな値である駆動周波数ＦＱ［ＰＷＭ］１になればよい（なお、応答速度Ｖｒのデータ値の大小関係はＶｒ１＜Ｖｒ２であり、駆動周波数ＦＱ［ＰＷＭ］のデータ値の大小関係は、ＦＱ［ＰＷＭ］１＜ＦＱ［ＰＷＭ］２である）。
【０２６４】
ところで、一製品における液晶表示装置９０にて、液晶分子６１Ｍにおける応答速度Ｖｒの変動要因の１つは、液晶分子６１Ｍの温度Ｔｐである。そこで、温度Ｔｐのデータ値の大小関係を、図５２の表に併記すると図５３に示すような表になる。そして、液晶分子６１Ｍの温度Ｔｐから、応答速度Ｖｒのデータ値を取得するために、液晶表示装置９０では、コントロールユニット１が、例えば、以下のように動作する。
【０２６５】
詳説すると、図４７に示すように、コントロールユニット１に含まれるＬＥＤコントローラ３０の駆動周波数可変部４１が、パネル用サーミスタ８３から測定温度のデータ（温度データ）を取得する。そして、駆動周波数可変部４１は、メモリ１７に記憶されたメモリデータＤＭの１つを取得する。
【０２６６】
具体的には、このメモリデータＤＭは、液晶６１の温度（液晶温度Ｔｐ）に依存した液晶分子６１Ｍの応答速度Ｖｒのデータテーブルである。すなわち、駆動周波数可変部４１は、パネル用サーミスタ８３の温度データとデータテーブルの液晶温度Ｔｐとを対応させることで、応答速度Ｖｒを取得する。
【０２６７】
そして、駆動周波数可変部４１は、取得した応答速度Ｖｒに対応したＰＷＭ調光信号の駆動周波数ＦＱ［ＰＷＭ］を設定する。なお、この駆動周波数ＦＱ［ＰＷＭ］の設定の仕方は、特に限定されないが、例えば、駆動周波数可変部４１が、応答速度Ｖｒを取得した後に、自ら処理をして設定信号ＣＳを生成し、駆動周波数ＦＱ［ＰＷＭ］を設定してもよいし、応答速度Ｖｒに依存した駆動周波数ＦＱ［ＰＷＭ］のデータテーブルを自ら記憶しており、そのデータテーブルを用いて設定信号ＣＳを生成し、駆動周波数ＦＱ［ＰＷＭ］を設定してもよい。
【０２６８】
≪◆他の要因について≫
ところで、液晶表示装置９０には、実施の形態１で説明したように、映像信号対応機能、ＦＲＣ処理機能、視聴モード設定機能、環境対応機能、も挙げられる。
【０２６９】
そして、これらの種々機能に応じて、ＰＷＭ調光信号の駆動周波数ＦＱ［ＰＷＭ］が変わると望ましい場合もある。例えば、ＬＥＤコントローラ３０の駆動周波数可変部４１が、図５４のフローチャートに示すように、パネル用サーミスタ８３の温度データを取得し（ＳＴＥＰ１０１）、液晶分子６１Ｍの応答速度Ｖｒを取得する（ＳＴＥＰ１０２）。
【０２７０】
そこで、駆動周波数可変部４１は、応答速度Ｖｒ（応答速度データ）を判断する。具体的には駆動周波数可変部４１は、種々機能の動作の有無に応じて、駆動周波数ＦＱ［ＰＷＭ］の設定を変えるべきか否かを判断する（ＳＴＥＰ１０３）。例えば、応答速度Ｖｒが速く、種々機能の動作の有無にかかわらず、駆動周波数ＦＱ［ＰＷＭ］が低く設定されていると、黒挿入効果が得られる場合（ＳＴＥＰ１０３のＮＯの場合）、駆動周波数可変部４１は、液晶温度Ｔｐに対応した応答速度Ｖｒを考慮して駆動周波数ＦＱ［ＰＷＭ］を、例えば１２０Ｈｚに設定する（ＳＴＥＰ１０４）。このようになっていると、画質の動画性能等が向上する。
【０２７１】
しかしながら、駆動周波数可変部４１が、種々機能の動作が有ることに起因して、駆動周波数ＦＱ［ＰＷＭ］の設定を変えることが望ましいと判断した場合（ＳＴＥＰ１０４のＹＥＳの場合）、駆動周波数可変部４１は、種々機能を考慮して駆動周波数ＦＱ［ＰＷＭ］の設定を行う。このようになっていれば、確実に画質向上が図れるためである。
【０２７２】
（●映像信号対応機能）
例えば、駆動周波数可変部４１は映像信号の輝度等（平均信号レベルＡＳＬ等）に応じた判断を行ってもよい。通常、１フレームの画像にて、例えば低階調範囲の占有率が高い場合（要は、比較的低階調な画像の場合）、ＬＥＤ７１の点灯時間は短く設定されている（要は、Dutyが小さい）。一方で、低階調範囲の占有率が低い場合（要は、比較的高階調な画像の場合）、ＬＥＤ７１の点灯時間は長く設定されている（要は、Dutyが大きい）。
【０２７３】
すると、画像が比較的高階調の場合には、ＬＥＤ７１からの光（すなわちバックライト光ＢＬ）で、応答過程時間帯ＣＷにおける液晶分子６１Ｍが目立ち、それに起因して、多重輪郭および残像等が生じ得る。
【０２７４】
そこで、図５４のフローチャートに示すように、画像の階調範囲の占有率に応じて、駆動周波数ＦＱ［ＰＷＭ］が変えられる。詳説すると、駆動周波数可変部４１は、演算処理部１３からヒストグラムデータＨＧＭを取得する（ＳＴＥＰ１０５）。次に、駆動周波数可変部４１は、予めメモリ１７に記憶されている液晶温度Ｔｐに応じて設定された階調閾値（階調閾値データ）を取得し、特定の階調範囲の設定が可能か否か判断する（ＳＴＥＰ１０６）。
【０２７５】
なぜなら、実施の形態１で説明したように、例えば、図３４に示すように、液晶温度Ｔｐが高温下での階調変化にともなう応答時間の差が、許容範囲と設定されている場合があるためである。
【０２７６】
このように液晶温度Ｔｐが高温の場合には、ヒストグラムデータＨＧＭを利用して、駆動周波数ＦＱ［ＰＷＭ］を変えた方がよいとされる特定の階調範囲の設定は不要である（ＳＴＥＰ１０６のＮＯの場合）。そのため、このような場合には、駆動周波数可変部４１は、液晶温度Ｔｐに応じた応答速度Ｖｒのみを考慮した駆動周波数ＦＱ［ＰＷＭ］を設定する（ＳＴＥＰ１０４）。
【０２７７】
逆に、液晶温度Ｔｐが低温の場合での階調変化にともなう応答時間の差が、許容範囲外と設定されているのであれば、駆動周波数可変部４１は、ヒストグラムデータＨＧＭを利用して、駆動周波数ＦＱ［ＰＷＭ］を変えようとする（ＳＴＥＰ１０６のＹＥＳの場合）。
【０２７８】
具体的には、駆動周波数可変部４１は、ヒストグラムデータＨＧＭと、メモリ１７に記憶されている液晶温度Ｔｐに応じて設定された階調閾値から、駆動周波数ＦＱ［ＰＷＭ］を変えた方がよいとされる特定の階調範囲を設定する（ＳＴＥＰ１０７）。例えば、ＭＶＡモードの液晶６１で、液晶温度Ｔｐが低温（例えば、２０℃程度）の場合、図３５に示すように、０階調目から１２８階調目までが、特定の階調範囲として設定される。
【０２７９】
さらに、駆動周波数可変部４１は、その特定の階調範囲の画像（１フレーム画像）における占有率を取得し、その占有率と、メモリ１７に記憶された特定の階調範囲の占有率に関する閾値（占有率閾値；例えば５０％）とを比較する（ＳＴＥＰ１０８）。
【０２８０】
そして、占有率が閾値以下ではない場合（要は、占有率が占有率閾値を超過している場合；ＳＴＥＰ１０８のＮＯの場合）、例えば０階調目から１２８階調目までの特定の階調範囲を多量に含む低階調な画像といえる。すると、この低階調な画像に対するＰＷＭ調光信号のDutyは、高階調な画像に対するＰＷＭ調光信号のDutyに比べて小さい。
【０２８１】
そのため、ＬＥＤ７１からの光で、応答過程時間帯ＣＷにおける液晶分子６１Ｍが目立ちにくく、それに起因して、多重輪郭および残像等も生じにくい。そこで、駆動周波数可変部４１は、液晶温度Ｔｐに応じた応答速度Ｖｒのみを考慮した駆動周波数ＦＱ［ＰＷＭ］を、例えば１２０Ｈｚに設定する（ＳＴＥＰ１０４）。
【０２８２】
逆に、占有率が閾値以下の場合（ＳＴＥＰ１０８のＹＥＳの場合）、例えば０階調目から１２８階調目までの特定の階調範囲を少量しか含まない高階調な画像といえる。すると、駆動周波数可変部４１は、占有率に応じて、直前の駆動周波数ＦＱ［ＰＷＭ］の変更を要するか否かを判断する（ＳＴＥＰ１０９）。なぜなら、直前の駆動周波数ＦＱ［ＰＷＭ］、すなわちＳＴＥＰ１０４で設定される駆動周波数ＦＱ［ＰＷＭ］が、占有率の高い場合（要は、低階調な画像の場合）での駆動周波数ＦＱ［ＰＷＭ］と変わらないこともあるためである。
【０２８３】
そして、駆動周波数可変部４１が、直前の駆動周波数ＦＱ［ＰＷＭ］の変更を要すると判断した場合（ＳＴＥＰ１０９のＹＥＳの場合）には、液晶温度Ｔｐに応じた応答速度Ｖｒと階調（要は、ヒストグラムデータＨＧＭ）とを考慮した駆動周波数ＦＱ［ＰＷＭ］を設定する（ＳＴＥＰ１１０）。
【０２８４】
例えば、ＭＶＡモードの液晶表示装置９０における駆動周波数可変部４１は、液晶表示パネル６０に比較的高階調の画像が表示される場合、駆動周波数ＦＱ［ＰＷＭ］を、例えば４８０Ｈｚに設定する（なお、占有率の大小関係に応じた駆動周波数可変部４１の大小の傾向を図５５の表に示す）。このようになっていると、高階調画像のために、低階調画像に比べて、Dutyが高かったとしても、多重輪郭の発生が防止される。
【０２８５】
一方で、駆動周波数可変部４１が、直前の駆動周波数ＦＱ［ＰＷＭ］の変更を要しないと判断した場合（ＳＴＥＰ１０９のＮＯの場合）には、液晶温度Ｔｐに応じた応答速度Ｖｒのみを考慮した駆動周波数ＦＱ［ＰＷＭ］に設定する（ＳＴＥＰ１０４）。
【０２８６】
つまり、コントロールユニット１では、ヒストグラムユニット１８が、映像信号をヒストグラム化することで、階調に対する度数分布を示すヒストグラムデータＨＧＭを生成する。そして、コントロールユニット１は、ヒストグラムデータＨＧＭの全階調を区分けし、分けられた階調範囲のうちの少なくとも１つの特定の階調範囲における占有率が、占有率閾値を超過するか以下かを判断する。
【０２８７】
そして、占有率閾値を超過する場合の駆動周波数ＦＱ［ＰＷＭ］は、占有率閾値以下の場合の駆動周波数よりも低くされる一方、占有率閾値以下の場合の駆動周波数は、占有率閾値を超過する場合の駆動周波数よりも高くされる。
【０２８８】
なお、ＭＶＡモードの液晶６１にて、液晶温度Ｔｐ２０℃程度の場合に、上述した０階調目から１２８階調目という特定の階調範囲、および、その特定の階調範囲の占有率の占有率閾値５０％は、実施の形態１同様に、一例にすぎない（特定の階調範囲は複数であってもかまわない）。また、上述の駆動周波数ＦＱ［ＰＷＭ］の４８０Ｈｚ、１２０Ｈｚも一例にすぎない。
【０２８９】
また、図３８および図３９に示すように、ＩＰＳモードの液晶６１の場合も、実施の形態１同様に、画像における特定の階調範囲の設定を行い、さらに、その特定の範囲の占有率に応じて、駆動周波数ＦＱ［ＰＷＭ］が変えられなくてよい。しかし、場合によっては、映像信号対応機能に対応させて、駆動周波数ＦＱ［ＰＷＭ］を変えてもかまわない。
【０２９０】
（●ＦＲＣ処理機能）
また、図５６のフローチャートに示すように（ＳＴＥＰ１０１〜１０４は、上述と同様）、駆動周波数可変部４１はＦＲＣ処理の有無の判断を行ってもよい（ＳＴＥＰ１０５）。具体的には、駆動周波数可変部４１は、ＬＣＤコントローラ２０のＦＲＣ処理部２１からのＦＲＣ処理の有無を示す信号（ＯＮ／ＯＦＦ信号）を受信する。
【０２９１】
そして、ＦＲＣ処理が行われている場合（ＳＴＥＰ１２５のＮＯの場合）、フレーム間の映像変化は比較的細やかになるので、応答過程時間帯ＣＷにおける液晶分子６１Ｍの傾きが目立ちにくい。そのため、動画性能を際立たせるために、駆動周波数可変部４１は、液晶温度Ｔｐに対応した応答速度Ｖｒを考慮した駆動周波数ＦＱ［ＰＷＭ］と同様の駆動周波数ＦＱ［ＰＷＭ］を設定する（ＳＴＥＰ１０４）。
【０２９２】
一方で、ＦＲＣ処理が行われていない場合（ＳＴＥＰ１２５のＹＥＳの場合）、駆動周波数可変部４１は、ＦＲＣ処理に応じて、直前の駆動周波数ＦＱ［ＰＷＭ］の変更を要するか否かを判断する（ＳＴＥＰ１２６）。なぜなら、直前の駆動周波数ＦＱ［ＰＷＭ］、すなわちＳＴＥＰ１０４で設定される駆動周波数ＦＱ［ＰＷＭ］が、ＦＲＣ処理がなされた場合での駆動周波数ＦＱ［ＰＷＭ］と変わらないこともあるためである。
【０２９３】
そして、駆動周波数可変部４１が、直前の駆動周波数ＦＱ［ＰＷＭ］の変更を要すると判断した場合（ＳＴＥＰ１２６のＹＥＳの場合）には、液晶温度Ｔｐに応じた応答速度ＶｒとＦＲＣ処理とを考慮した駆動周波数ＦＱ［ＰＷＭ］を設定する（ＳＴＥＰ１２７）。例えば、駆動周波数可変部４１は、ＦＲＣ処理が無い場合、駆動周波数ＦＱ［ＰＷＭ］を向上させる（なお、ＦＲＣ処理の有無に応じた駆動周波数ＦＱ［ＰＷＭ］の大小の傾向を図５７の表に示す）。このようになっていると、多重輪郭の発生が防止される。
【０２９４】
一方で、駆動周波数可変部４１が、直前の駆動周波数ＦＱ［ＰＷＭ］の変更を要しないと判断した場合（ＳＴＥＰ１２６のＮＯの場合）には、液晶温度Ｔｐに応じた応答速度Ｖｒのみを考慮した駆動周波数ＦＱ［ＰＷＭ］を設定する（ＳＴＥＰ１０４）。
【０２９５】
つまり、図１に示されるコントロールユニット１は、フレームレートコントロール処理を行うＦＲＣ処理部２１を含んでおり、そのコントロールユニット１（詳説すると、駆動周波数可変部４１）は、ＦＲＣ処理部２１ＦＲＣ処理の有無に応じて、駆動周波数ＦＱ［ＰＷＭ］を変化させる。なお、ＦＲＣ処理が有る場合の駆動周波数ＦＱ［ＰＷＭ］は、ＦＲＣ処理が無い場合の駆動周波数ＦＱ［ＰＷＭ］に比べて、低い（図５７参照）。
【０２９６】
（●視聴モード設定機能）
また、駆動周波数可変部４１は、視聴モードの設定に応じた判断を行ってもよい。具体的には、駆動周波数可変部４１は、映像信号処理部１０の視聴モード設定部１６からの視聴モードの種類を示すモード種別信号ＭＤ、例えば、動画レベルの比較的低いナチュラルモードであることを示す信号を受信する。
【０２９７】
そして、駆動周波数可変部４１は、図５８のフローチャートに示すように（ＳＴＥＰ１０１〜１０４は、上述と同様）、動画レベルに応じて、直前の駆動周波数ＦＱ［ＰＷＭ］の変更を要するか否かを判断する（ＳＴＥＰ１３５）。なぜなら、直前の駆動周波数ＦＱ［ＰＷＭ］、すなわちＳＴＥＰ１０４で設定される駆動周波数ＦＱ［ＰＷＭ］が、動画レベルが低い場合での駆動周波数ＦＱ［ＰＷＭ］と変わらないこともあるためである。
【０２９８】
そして、駆動周波数可変部４１が、直前の駆動周波数ＦＱ［ＰＷＭ］の変更を要すると判断した場合（ＳＴＥＰ１３５のＹＥＳの場合）には、液晶温度Ｔｐに応じた応答速度Ｖｒと動画レベルとを考慮した駆動周波数ＦＱ［ＰＷＭ］を設定する（ＳＴＥＰ１３６）。例えば、駆動周波数可変部４１は、ナチュラルモードが設定されている場合、駆動周波数ＦＱ［ＰＷＭ］を向上させる（なお、動画レベルの大小関係に応じた駆動周波数ＦＱ［ＰＷＭ］の大小の傾向を図５９の表に示す）。このようになっていると、多重輪郭の発生が防止される。
【０２９９】
一方で、駆動周波数可変部４１が、直前の駆動周波数ＦＱ［ＰＷＭ］の変更を要しないと判断した場合（ＳＴＥＰ１３５のＮＯの場合）には、液晶温度Ｔｐに応じた応答速度Ｖｒのみを考慮した駆動周波数ＦＱ［ＰＷＭ］を設定する（ＳＴＥＰ１０４）。
【０３００】
つまり、コントロールユニット１は、液晶表示パネル６０の視聴モードを切り替える視聴モード設定部１６を含んでおり、視聴モード設定部１６が視聴モードを切り替えた場合、そのコントロールユニット１（詳説すると、駆動周波数可変部４１）は、選択された視聴モードに応じて、駆動周波数ＦＱ［ＰＷＭ］を変化させる。
【０３０１】
そして、このような駆動周波数ＦＱ［ＰＷＭ］の変化の一例として、上述したように、視聴モード設定部１６が、映像データの動画レベルに応じて、高動画レベル視聴モードと低動画レベル視聴モードとを設定している場合、複数の視聴モードにおける動画レベルの高低関係（大小関係）と逆関係になるように、駆動周波数ＦＱ［ＰＷＭ］が、選択された視聴モード毎に変えられる（図５９参照）。
【０３０２】
また、駆動周波数可変部４１は、コントラスト比の異なる視聴モードの設定に応じた判断を行ってもよい。具体的には、駆動周波数可変部４１は、視聴モード設定部１６からの視聴モードの種類を示す信号モード種別信号ＭＤ、例えば、コントラスト比の比較的低いシネマモードであることを示す信号を受信する。
【０３０３】
そして、駆動周波数可変部４１は、図６０のフローチャートに示すように（ＳＴＥＰ１０１〜１０４は、上述と同様）、コントラスト比に応じて、直前の駆動周波数可変部４１の変更を要するか否かを判断する（ＳＴＥＰ１４５）。なぜなら、直前の駆動周波数ＦＱ［ＰＷＭ］、すなわちＳＴＥＰ１０４で設定される駆動周波数ＦＱ［ＰＷＭ］が、コントラスト比が低い場合での駆動周波数ＦＱ［ＰＷＭ］と変わらないこともあるためである。
【０３０４】
そして、駆動周波数可変部４１が、直前の駆動周波数ＦＱ［ＰＷＭ］の変更を要すると判断した場合（ＳＴＥＰ１４５のＹＥＳの場合）には、液晶温度Ｔｐに応じた応答速度Ｖｒとコントラスト比とを考慮した駆動周波数ＦＱ［ＰＷＭ］を設定する（ＳＴＥＰ１４６）。例えば、駆動周波数可変部４１は、シネマモードが設定されている場合、駆動周波数ＦＱ［ＰＷＭ］を向上させる（なお、コントラスト比の大小関係に応じた駆動周波数ＦＱ［ＰＷＭ］の大小の傾向を図６１の表に示す）。このようになっていると、多重輪郭の発生が防止される。
【０３０５】
一方で、駆動周波数可変部４１が、直前の駆動周波数ＦＱ［ＰＷＭ］の変更を要しないと判断した場合（ＳＴＥＰ１４５のＮＯの場合）には、液晶温度Ｔｐに応じた応答速度Ｖｒのみを考慮した駆動周波数ＦＱ［ＰＷＭ］を設定する（ＳＴＥＰ１０４）。
【０３０６】
つまり、視聴モード設定部１６が、映像データのコントラストレベルに応じて、高コントラストレベル視聴モードと低コントラストレベル視聴モードとを設定している場合、複数の視聴モードにおけるコントラストレベルの高低関係（大小関係）と逆関係になるように、駆動周波数ＦＱ［ＰＷＭ］が、選択された視聴モード毎に変えられる（図６１参照）。
【０３０７】
なお、視聴モードの種類は多々あり、種々モードの組み合わせで、駆動周波数可変部４１が駆動周波数ＦＱ［ＰＷＭ］を設定してもよい。例えば、駆動周波数可変部４１は、視聴モード設定部１６からの視聴モードの種類を示すモード種別信号ＭＤ、例えば、動画レベルの比較的低いナチュラルモードであり、かつ、コントラスト比の比較的低いシネマモードであることを示す信号を受信する。
【０３０８】
そして、駆動周波数可変部４１は、図６２のフローチャートに示すように（ＳＴＥＰ１０１〜１０４は上述と同様）、例えば動画レベルに応じて、直前の駆動周波数ＦＱ［ＰＷＭ］の変更を要するか否かを判断する（ＳＴＥＰ１３５）。そして、直前の駆動周波数ＦＱ［ＰＷＭ］の変更を要しないと判断した場合（ＳＴＥＰ１３５のＮＯの場合）には、駆動周波数可変部４１は、液晶温度Ｔｐに応じた応答速度Ｖｒのみを考慮した駆動周波数ＦＱ［ＰＷＭ］を設定する（ＳＴＥＰ１０４）。
【０３０９】
一方、駆動周波数可変部４１が、直前の駆動周波数ＦＱ［ＰＷＭ］の変更を要すると判断した場合（ＳＴＥＰ１３５のＹＥＳの場合）には、さらに、コントラスト比に応じて、直前の駆動周波数ＦＱ［ＰＷＭ］の変更を要するか否かを判断する（ＳＴＥＰ１５６）。そして、駆動周波数可変部４１が、直前の駆動周波数ＦＱ［ＰＷＭ］の変更を要すると判断した場合（ＳＴＥＰ１５６のＹＥＳの場合）には、液晶温度Ｔｐに応じた応答速度Ｖｒと動画レベルとコントラスト比とを考慮した駆動周波数ＦＱ［ＰＷＭ］を設定する（ＳＴＥＰ１５７）。
【０３１０】
一方で、駆動周波数可変部４１が、直前の駆動周波数ＦＱ［ＰＷＭ］の変更を要しないと判断した場合（ＳＴＥＰ１５６のＮＯの場合）には、液晶温度Ｔｐに応じた応答速度Ｖｒと動画レベルと考慮した駆動周波数ＦＱ［ＰＷＭ］を設定する（ＳＴＥＰ１３６）。
【０３１１】
なお、図６２のフローチャートでは、先に動画レベルを考慮し、後にコントラスト比を考慮したが、この順番は異なってもよい。
【０３１２】
（●環境対応機能）
また、駆動周波数可変部４１は、液晶分子６１Ｍの置かれる環境の明暗に応じた判断を行ってもよい。具体的には、駆動周波数可変部４１は、環境用照度センサ８４の照度データを受信する（要は、駆動周波数可変部４１による液晶表示装置９０の設置場所の明暗を判断する材料は、外部の照度を測定する環境用照度センサ８４の測定照度である）。
【０３１３】
そして、駆動周波数可変部４１は、図６３のフローチャートに示すように（ＳＴＥＰ１０１〜１０４は、上述と同様）、照度データに応じて、直前の駆動周波数ＦＱ［ＰＷＭ］の変更を要するか否かを判断する（ＳＴＥＰ１６５）。なぜなら、直前の駆動周波数ＦＱ［ＰＷＭ］、すなわちＳＴＥＰ１０４で設定される駆動周波数ＦＱ［ＰＷＭ］が、照度データが高い場合（要は、環境が比較的明るい場合）での駆動周波数ＦＱ［ＰＷＭ］と変わらないこともあるためである。
【０３１４】
そして、駆動周波数可変部４１が、直前の駆動周波数ＦＱ［ＰＷＭ］の変更を要すると判断した場合（ＳＴＥＰ１６５のＹＥＳの場合）には、液晶温度Ｔｐに応じた応答速度Ｖｒと照度データとを考慮した駆動周波数ＦＱ［ＰＷＭ］を設定する（ＳＴＥＰ１６６）。例えば、駆動周波数可変部４１は、比較的暗い環境下に液晶表示装置９０が設置されている場合、駆動周波数ＦＱ［ＰＷＭ］を向上させる（なお、照度データの大小関係に応じた駆動周波数ＦＱ［ＰＷＭ］の大小の傾向を図６４の表に示す）。このようになっていると、多重輪郭の発生が防止される。
【０３１５】
一方で、駆動周波数可変部４１が、直前の駆動周波数ＦＱ［ＰＷＭ］の変更を要しないと判断した場合（ＳＴＥＰ１６５のＮＯの場合）には、液晶温度Ｔｐに応じた応答速度Ｖｒのみを考慮した駆動周波数ＦＱ［ＰＷＭ］を設定する（ＳＴＥＰ１０４）。
【０３１６】
つまり、図１に示されるコントロールユニット１は、外部の照度データを取得し、その照度データに応じて、駆動周波数ＦＱ［ＰＷＭ］を変化させる）。なお、複数の照度データ範囲毎におけるデータ値の大小関係と逆関係になるように、駆動周波数ＦＱ［ＰＷＭ］が、照度データ範囲毎に変えられる（図６４参照）。
【０３１７】
（●種々機能の組み合わせ）
ところで、上述してきた映像信号対応機能、ＦＲＣ処理機能、視聴モード設定機能、環境対応機能が、種々の組み合わせで動作することがある。そのような場合であっても、駆動周波数ＦＱ［ＰＷＭ］が変えられてもよい。
【０３１８】
例えば、図６３のフローチャートに示すように、環境対応機能に対応して駆動周波数ＦＱ［ＰＷＭ］が変えられようとする場合に、ＳＴＥＰ１６５がＹＥＳの後に、図６５のフローチャートに示すように、駆動周波数可変部４１は、映像信号対応機能の判断を行ってもよい。すなわち、駆動周波数可変部４１は、演算処理部１３からヒストグラムデータＨＧＭを取得し（ＳＴＥＰ１７１）、さらに、予めメモリ１７に記憶されている液晶温度Ｔｐに応じて設定された階調閾値（階調閾値データ）を取得し、特定の階調範囲の設定が可能か否か判断する（ＳＴＥＰ１７２）。
【０３１９】
そして、特定の階調範囲の設定が不要であると判断される場合（ＳＴＥＰ１７２のＮＯの場合）、駆動周波数可変部４１は、液晶温度Ｔｐに応じた応答速度Ｖｒ・照度データを考慮した駆動周波数ＦＱ［ＰＷＭ］を設定する（ＳＴＥＰ１６６）。
【０３２０】
一方で、特定の階調範囲の設定が可能である場合（ＳＴＥＰ１７２のＹＥＳの場合）、駆動周波数可変部４１は、特定の階調範囲を設定し（ＳＴＥＰ１７３）、さらに、その特定の階調範囲の画像（１フレーム画像）における占有率を取得する。そして、その占有率と、メモリ１７に記憶された特定の階調範囲の占有率に関する閾値とを比較する（ＳＴＥＰ１７４）。
【０３２１】
そして、占有率が閾値以下ではない場合（ＳＴＥＰ１７４のＮＯの場合）、例えば０階調目から１２８階調目までの特定の階調範囲を多量に含む低階調な画像といえ、ＬＥＤ７１からの光で、応答過程時間帯ＣＷにおける液晶分子６１Ｍが目立ちにくく、それに起因して、多重輪郭および残像等も生じにくい。そこで、駆動周波数可変部４１は、液晶温度Ｔｐに応じた応答速度Ｖｒ・照度データを考慮した駆動周波数ＦＱ［ＰＷＭ］を設定する（ＳＴＥＰ１６６）。
【０３２２】
逆に、占有率が閾値以下の場合（ＳＴＥＰ１７４のＹＥＳの場合）、例えば０階調目から１２８階調目までの特定の階調範囲を少量しか含まない高階調な画像といえる。すると、駆動周波数可変部４１は、占有率に応じて、直前の駆動周波数ＦＱ［ＰＷＭ］の変更を要するか否かを判断する（ＳＴＥＰ１７５）。
【０３２３】
そして、駆動周波数可変部４１が、直前の駆動周波数ＦＱ［ＰＷＭ］の変更を要すると判断した場合（ＳＴＥＰ１７５のＹＥＳの場合；図６６のフローチャートに続く）には、ＦＲＣ処理の有無を判断する（ＳＴＥＰ１７６）。そして、ＦＲＣ処理が行われていない場合（ＳＴＥＰ１７６のＮＯの場合）、駆動周波数可変部４１は、液晶温度Ｔｐに応じた応答速度Ｖｒ・照度データ・階調を考慮した駆動周波数ＦＱ［ＰＷＭ］を設定する（ＳＴＥＰ１７７）。
【０３２４】
一方で、駆動周波数可変部４１は、ＦＲＣ処理が行われている場合で、直前の駆動周波数ＦＱ［ＰＷＭ］の変更を要するか否かを判断する（ＳＴＥＰ１７８）。そして、駆動周波数可変部４１が、直前の駆動周波数ＦＱ［ＰＷＭ］の変更を要しないと判断した場合（ＳＴＥＰ１７８のＮＯの場合）、液晶温度Ｔｐに応じた応答速度Ｖｒ・照度データ・階調を考慮したDutyを設定する（ＳＴＥＰ１７７）。
【０３２５】
一方で、駆動周波数可変部４１が、直前の駆動周波数ＦＱ［ＰＷＭ］の変更を要すると判断した場合（ＳＴＥＰ１７８のＹＥＳの場合）、続いて、視聴モード（例えば、動画レベル）に応じて、直前の駆動周波数ＦＱ［ＰＷＭ］の変更を要するか否かを判断する（ＳＴＥＰ１７９）。そして、駆動周波数可変部４１が、直前の駆動周波数ＦＱ［ＰＷＭ］の変更を要しないと判断した場合（ＳＴＥＰ１７９のＮＯの場合）には、液晶温度Ｔｐに応じた応答速度Ｖｒ・照度データ・階調・ＦＲＣ処理を考慮したDutyを設定する（ＳＴＥＰ１８０）。
【０３２６】
一方で、駆動周波数可変部４１は、直前の駆動周波数ＦＱ［ＰＷＭ］の変更を要すると判断した場合（ＳＴＥＰ１７９のＹＥＳの場合）には、液晶温度Ｔｐに応じた応答速度Ｖｒ・照度データ・階調・ＦＲＣ処理・視聴モードを考慮したDutyを設定する（ＳＴＥＰ１８１）。
【０３２７】
この図６３、図６５、および図６６のフローチャートのように、駆動周波数可変部４１は、環境対応機能、映像信号対応機能、ＦＲＣ処理機能、視聴モード設定機能が、組み合わさって動作する場合であっても、駆動周波数可変部４１を変えられる。
【０３２８】
また、機能の順番は、図６３、図６５、および図６６のフローチャートに示されるような、環境対応機能、映像信号対応機能、ＦＲＣ処理機能、視聴モード設定機能の順番に限定されるものではなく、入れ替わってもかまわない。また、機能の組み合わせ数も、環境対応機能、映像信号対応機能、ＦＲＣ処理機能、視聴モード設定機能、の４つに限らず、３つ以下であってもよいし、その他の種々機能が有れば、５つ以上であってもかまわない。
【０３２９】
≪◆ＰＷＭ調光信号の駆動周波数の数値等について≫
ところで、以上では、フレーム周波数１２０Ｈｚの場合に、ＰＷＭ調光信号の駆動周波数ＦＱ［ＰＷＭ］の例として、図６７に示すような、１２０Ｈｚと４８０Ｈｚとを挙げた（なお、図６７におけるＰＷＭ調光信号のDutyは４０％である）。しかし、これに限定されるものではない。
【０３３０】
例えば、駆動周波数ＦＱ［ＰＷＭ］は、２４０Ｈｚまたは３６０Ｈｚのように４８０Ｈｚ未満で、１２０Ｈｚ超過の値でもかまわないし、４８０Ｈｚを超過する値であってもかまわない（要は、駆動周波数ＦＱ［ＰＷＭ］は、フレーム周波数と同数または以上であればよい）。ただし、駆動周波数ＦＱ［ＰＷＭ］は、フレーム周波数に対する整数倍であると、互いのフレーム周波数と駆動周波数ＦＱ［ＰＷＭ］との同期が取りやすくなるため望ましい。
【０３３１】
なお、画質の劣化が過度に起きない場合であれば、フレーム周波数に対して小さな駆動周波数ＦＱ［ＰＷＭ］もあり得る。例えば、昨今市場に広がりつつある２４０Ｈｚのフレーム周波数で駆動する液晶表示パネル６０に対し、ＬＥＤ７１の駆動周波数ＦＱ［ＰＷＭ］が１２０Ｈｚであってもよい。
【０３３２】
なお、このような場合、コントロールユニット１は、連続するフレームにて、少なくとも１つのフレーム分の期間に合わせて、ＰＷＭ調光信号のロー期間を合致させる。なぜなら、画質の劣化が過度に起きないためである。
【０３３３】
また、１２０ＨＺのフレーム周波数で駆動する液晶表示パネル６０に対して、ＬＥＤ７１の駆動周波数ＦＱ［ＰＷＭ］が６０Ｈｚ（図６７参照）であってもかまわない。このような６０Ｈｚの駆動周波数ＦＱ［ＰＷＭ］の場合、若干のフリッカは目立つものの、黒挿入効果が顕著になるためである（なお、１２０Ｈｚおよび４８０Ｈｚの駆動周波数ＦＱ［ＰＷＭ］の場合、フリッカは目立たない）。
【０３３４】
また、図４８Ｂに示すように、１フレーム期間における最後のタイミングと、ＰＷＭ調光信号におけるハイ期間の最後のタイミングとが同期していると望ましい（なお、液晶表示パネル６０のフレーム周波数も１２０Ｈｚで、図中の時間軸に沿った点線の１区切り間は１フレームを意味する）。
【０３３５】
このようになっていると、図１３Ａ〜図１３Ｄ同様に、液晶分子６１Ｍの傾き始めた時間帯（応答過程時間帯ＣＷ中の初期）には、ＰＷＭ調光信号のロー期間が対応し、ＬＥＤ７１の光が入射しない。そのため、液晶分子６１Ｍの傾きに起因する画質劣化の程度を抑えられる。
【０３３６】
［■その他の実施の形態■］
なお、本発明は上記の実施の形態に限定されず、本発明の趣旨を逸脱しない範囲で、種々の変更が可能である。
【０３３７】
≪◆オーバードライブ駆動≫
例えば、液晶表示装置９０では、液晶６１の応答速度Ｖｒを速めるために、オーバードライブ電圧が液晶６１に印加されてもよい。すなわち、図６８Ａ（図１３Ｂと同図）に示すように、比較的応答速度Ｖｒが遅い場合であっても、液晶６１への印加電圧がオーバードライブ（ＯＤ；Over  Drive）すれば、図６８Ｂの上段グラフに示すようになる。
【０３３８】
詳説すると、図６８Ｂの応答速度Ｖｒと図６８Ａの応答速度Ｖｒとを比較してみると明らかなように、応答過程時間帯ＣＷの前半に対応する図６８Ｂの応答速度Ｖｒが、図６８Ａの応答速度Ｖｒに比べて急激に速まり、さらに、応答過程時間帯ＣＷの後半に対応する図６８Ｂの応答速度Ｖｒが、図６８Ａの応答速度Ｖｒに比べて若干速まる（要は、図６８Ｂの上段グラフにおけるグラフ線が、応答過程時間帯ＣＷの前半で、オーバーシュートを示す）。
【０３３９】
このようになっていると、図６８Ｂの下段グラフに示すように、応答過程時間帯ＣＷにおける輝度値が、図６８Ａの下段グラフにおける輝度値に比べて高くなる。そのため、図１５に示すような、多重輪郭等が発生しにくくなる。すなわち、液晶表示装置９０にて、コントロールユニット１が、液晶分子６１Ｍの応答速度に応じて、液晶６１への印加電圧をオーバードライブさせても、画質向上（例えば、動画の画質の鮮明度合いの向上）を図れる。
【０３４０】
要は、コントロールユニット１は、液晶６１への印加電圧をオーバードライブさせる機能を含む。そして、そのコントロールユニット１は、オーバードライブの有無に応じて、ＰＷＭ調光信号のDutyを変化させる。なお、オーバードライブ処理が有る場合のDutyは、オーバードライブ処理が無い場合のDutyに比べて低い（なお、Dutyが変化することに応じて、電流値ＡＭが変えられてもよい）。
【０３４１】
また、コントロールユニット１は、オーバードライブの有無に応じて、ＰＷＭ調光信号の駆動周波数ＦＱ［ＰＷＭ］を変化させてもよい。なお、オーバードライブ処理が有る場合の駆動周波数ＦＱ［ＰＷＭ］は、オーバードライブ処理が無い場合の駆動周波数ＦＱ［ＰＷＭ］に比べて低い。そして、これらのいずれかの制御をコントロールユニット１が行えば、液晶表示装置９０の画質向上が実現する。
【０３４２】
＜■液晶表示装置について＞
実施の形態１では、Duty設定部１４および電流値設定部１５が、コントロールユニット１における映像信号処理部１０に含まれていた。しかし、これらは、映像信号処理部１０ではなく、ＬＥＤコントローラ３０に含まれていてもよい。すなわち、ＬＥＤコントローラ３０が、Duty設定部１４および電流値設定部１５を用いて、ＰＷＭ調光信号のDuty、または、Dutyおよび電流値を変化させてもよい。
【０３４３】
また、実施の形態２では、駆動周波数可変部４１はＬＥＤコントローラ３０に含まれていた。しかし、これらは、ＬＥＤコントローラ３０ではなく、映像信号処理部１０に含まれていてもよい。すなわち、映像信号処理部１０が、駆動周波数可変部４１を用いて、ＰＷＭ調光信号の駆動周波数ＦＱ［ＰＷＭ］を変化させてもよい。
【０３４４】
また、以上では、コントロールユニット１がテレビ放送信号のような映像音声信号を受信し、その信号における映像信号を、映像信号処理部１０２が処理していた。そのため、このような液晶表示装置９０を搭載する受信装置は、テレビ放送受信装置（いわゆる液晶テレビジョン）といえる。しかし、液晶表示装置９０が処理する映像信号は、テレビ放送に限定されるものではない。例えば、映画等のコンテンツを録画した記録媒体に含まれる映像信号でも、インターネットを介して送信される映像信号であってもかまわない。
【０３４５】
要は、Duty設定部１４、電流値設定部１５、駆動周波数可変部４１は、コントロールユニット１のどこに含まれていてもよく、最も効率的に動作可能なように、設計されていればよい（つまり、コントロールユニット１の設計の自由度が高い）。
【０３４６】
なお、実施の形態１・２にて、列挙されてきた液晶表示パネル６０にて表示される黒画像と白画像との境界付近に関するグラフ（横軸が液晶表示パネル６０における水平方向ＨＬの画素位置を示し、縦軸が最高値で規格化した積分輝度の規格化輝度のグラフ）をまとめたグラフが、図６９に示される（すなわち、図６９は、図１４〜図１７、図４１〜図４４、図４９を、まとめたグラフである）。
【０３４７】
このグラフを鑑みて、液晶表示装置９０は、液晶分子６１Ｍの応答速度Ｖｒの速い場合には、Dutyを下げることで黒挿入する一方、液晶分子６１Ｍの応答速度Ｖｒの遅い場合には、Dutyを高めることで多重輪郭を防ぐように設計される。また、多重輪郭を防ぐために、液晶表示装置９０は、ＬＥＤ７１のＰＷＭ調光信号ＦＱ［ＰＷＭ］を、液晶表示パネル６０の駆動周波数（フレーム周波数）よりも高くするように設計される。
【０３４８】
すなわち、液晶表示装置９０は、実施の形態１で説明したＰＷＭ調光信号に関するDuty、または、ＰＷＭ調光信号のDutyおよび電流値を変える機能と、実施の形態２で説明したＰＷＭ調光信号に関する駆動周波数ＦＱ［ＰＷＭ］を変える機能と、少なくとも一方、有していればよい。
【０３４９】
＜■ローカルディミングについて＞
また、液晶表示装置９０の分解斜視図を示すと、図７０のようになる。この図に示すように、液晶表示装置９０は、複数のＬＥＤ７１をマトリックス状に敷き詰めたバックライトユニット７０を含む。そして、コントロールユニット１は、全てのＬＥＤ７１を一括で制御することもできるが、それだけに限らず、ＬＥＤ７１毎に発光制御できる（この技術はローカルディミングと称される）。
【０３５０】
さらには、コントロールユニット１は、複数のＬＥＤ７１を区分けし、区分けされた単数または複数のＬＥＤ７１毎（破線の区分けを参照。なお、分けられたＬＥＤ７１を区分け光源Ｇｒと称する）に発光制御もできる。すなわち、このバックライトユニット７０では、液晶表示パネル６０の面に、部分的に光供給可能にＬＥＤ７１が配置される。
【０３５１】
そこで、実施の形態１のような液晶表示装置９０では、コントロールユニット１は、区分けされたＬＥＤ７１毎に、Duty、または、Dutyおよび電流値を変化させてもよい。また、同様に、実施の形態２のような液晶表示装置９０では、コントロールユニット１は、区分けされたＬＥＤ７１毎に、駆動周波数ＦＱ［ＰＷＭ］を変化させてもよい。
【０３５２】
なお、一例としては、区分けされたＬＥＤ７１（区分け光源Ｇｒ）の個数が複数である場合、それらのＬＥＤ７１は、液晶表示パネル６０の面内にて、ライン状に光を照射してもよいし、面内を規則的に分けたブロックに合わせて光を照射してもよいし、さらには、面内の一部エリアに合わせて光を照射してもかまわない。
【０３５３】
なお、詳細な一例としては、図７１に示すようなものが挙げられる。図７１の上側に図示される液晶表示パネル６０では、中心に高輝度の画像（例えば白画像；ＡＲＥＡ１）が表示され、それ以外の液晶表示パネル６０の領域には、低輝度の画像（例えば灰色画像；ＡＲＥＡ２）が表示されるとする。このような液晶表示パネル６０に対応するバックライトユニット７０のＬＥＤ７１は、図７１の下側に図示される。
【０３５４】
バックライトユニット７０のＬＥＤ７１のうち、ＡＲＥＡ１に対応するＬＥＤ７１の群（Ｇｒ１；網線を付されたＬＥＤ７１）は、白画像に対応して、駆動周波数ＦＱ［ＰＷＭ］が、例えば４８０Ｈｚに設定されるとする。一方、残りのＬＥＤ７１は、ＡＲＥＡ２に対応する灰色画像に対応するので、例えば１２０Ｈｚの設定が考えられる。しかしながら、残りのＬＥＤ７１の全ては、１２０Ｈｚの駆動周波数ＦＱ［ＰＷＭ］で駆動させないように設定される。
【０３５５】
詳説すると、白画像（ＡＲＥＡ１）と灰色画像（ＡＲＥＡ２）との境界付近に対応するＬＥＤ７１の群（Ｇｒ２；斜線を付されたＬＥＤ７１）は、４８０Ｈｚよりも低周波数である、例えば３６０Ｈｚの駆動周波数ＦＱ［ＰＷＭ］に設定され、それ以外のＬＥＤ７１（Ｇｒ３；網点を付されたＬＥＤ７１）が、１２０Ｈｚの駆動周波数ＦＱ［ＰＷＭ］で駆動するように設定される。
【０３５６】
通常、白画像と灰色画像との境界付近では、白画像に対応する高い駆動周波数ＦＱ［ＰＷＭ］の光が、灰色画像側へと進入しやすい。このような場合、灰色画像のために、低い駆動周波数ＦＱ［ＰＷＭ］でＬＥＤ７１が駆動し、黒挿入効果を得ようとしていても、高い駆動周波数ＦＱ［ＰＷＭ］の光が灰色画像側への進入にすることに起因して、黒挿入効果が得られにくい。
【０３５７】
しかしながら、白画像と灰色画像との境界付近に対応するＬＥＤ７１の群（Ｇｒ２）が、３６０Ｈｚの駆動周波数ＦＱ［ＰＷＭ］であれば、白画像に対応するＬＥＤ７１の群（Ｇｒ１）に比べて、低周波数である。そのため、黒挿入効果の低減を抑えられる。
【０３５８】
なお、ローカルディミングのバックライトユニット７０の一例として、いわゆる直下型のバックライトユニット７０を例挙げて説明してきた。しかし、これに限定されるものではない。例えば、図７２に示すように、くさび形の導光片７２ｐを敷き詰めて形成されるタンデム型の導光板７２を搭載するバックライトユニット（タンデム方式バックライトユニット）７０であってもよい。
【０３５９】
なぜなら、このようなバックライトユニット７０であっても、導光片７２ｐ毎に出射光を制御可能なために、液晶表示パネル６０の表示領域を部分的に照射できるからである。そして、このようないずれのローカルディミング（アクティブエリア方式）のバックライトユニット７０であれば、液晶表示パネル６０に対して部分的な照射が可能であるので、消費電力の抑制が可能である。その上、局所的にDuty、または、Dutyおよび電流値が変化させられることで、部分的な光量制御が実現するので、輝度レベルの変化が抑えられ、最適な画質提供が可能になる。
【０３６０】
＜■液晶の別モードについて＞
また、以上では、液晶６１のモードとして、ＴＮモード、ＶＡモード、ＩＰＳモード、ＯＣＢモード等を挙げ、さらに、図５〜図８を用いてＶＡモードの一例であるＭＶＡモードを説明し、図９および図１０を用いてＩＰＳモードを説明した。しかし、これら以外の液晶モードであってもよい。
【０３６１】
例えば、図７３および図７４に示すような液晶６１のモードであってもよい｛なお、このモードのことをＶＡ−ＩＰＳ（Vertical  Alignment−In-Plane  Switching）モードと称する｝。これらの図に示される液晶分子６１Ｍを含む液晶６１は、正の誘電異方性を有するポジ型液晶である（なお、これらの図において、一点鎖線で形成される矢印は光を意味する）。
【０３６２】
そして、線状の画素電極６５Ｐおよび線状の対向電極６５Ｑが、アクティブマトリックス基板６２にて、液晶６１側に向く一面に形成される。特に、両電極６５Ｐ・６５Ｑは、互いに向き合うように配置される（なお、電極６５Ｐ・６５Ｑの形状は、線状に限らず、図１１に示すような櫛歯状であってもかまわない）。
【０３６３】
さらに、図７３に示すように、液晶分子６１Ｍの長軸方向が、両基板６２・６３に対する垂直方向（両基板６２・６３の並列方向）に沿うように配向される（例えば、配向規制力を有した不図示の配向膜材料が、両電極６５Ｐ・６５Ｑに塗布されることで、無電界時の初期配向が設計される）。
【０３６４】
すると、偏光フィルム６４Ｐと偏光フィルム６４Ｑとがクロスニコル配置になっていると、アクティブマトリックス基板６２を通過してきたバックライト光ＢＬは、外部に出射しない（要は、液晶表示パネル６０は、ノーマリーブラックモードである）。
【０３６５】
一方、画素電極６５Ｐと対向電極６５Ｑとの間に電圧が印加される場合、両電極６５Ｐ・６５Ｑ間に生じる電界に沿って、液晶分子６１Ｍは傾こうとする。そして、この電界方向は、画素電極６５Ｐと対向電極６５Ｑとの並列方向ＬＤに沿う弓状である（要は、湾曲先を対向基板６３に向け、画素電極６５Ｐと対向電極６５Ｑとの並列方向ＬＤに沿う弓状の電気力線が生じる；図７４の二点鎖線参照）。
【０３６６】
すると、初期配向を両基板６２・６３の垂直方向に沿わせた液晶分子６１Ｍは、弓状の電界方向の影響で、以下のようになる。すなわち、図７４に示すように、電極６５Ｐ・６５Ｑ同士の中間付近の液晶分子６１Ｍは、両基板６２・６３の垂直方向に沿ったままで、それ以外の大部分の液晶分子６１Ｍは、自身の長軸方向を、弓状の電界方向に沿わせる（なお、図示されていないが、各電極６５Ｐ・６５Ｑの中央付近の液晶分子６１Ｍは、両基板６２・６３の垂直方向に沿ったままである）。
【０３６７】
そして、このように液晶分子６１Ｍが配向すると、アクティブマトリックス基板６２を通過してきたバックライト光ＢＬの一部は、液晶分子６１Ｍの傾きに起因して、偏光フィルム６４Ｑの透過軸に沿う光として外部に出射する。
【０３６８】
つまり、ＶＡ−ＩＰＳモードでの液晶分子６１Ｍは、ＩＰＳモード同様に、ポジ型ではあるものの、両電極６５Ｐ・６５Ｑに電圧を印加されない場合に、自身の長軸方向を、２枚の基板６２・６３の垂直方向に沿わせるように配向される（ホメオトロピック配向になる）。
【０３６９】
そして、一部の液晶分子６１Ｍは、両電極６５Ｐ・６５Ｑに電圧が印加された場合であっても、自身の長軸方向を、２枚の基板６２・６３の垂直方向に沿わせるが、残りの液晶分子６１Ｍは、両電極６５Ｐ・６５Ｑに電圧が印加された場合に、自身の長軸方向を、両電極６５Ｐ・６５Ｑ間の弓状の電界方向に沿わせる。その結果、液晶表示パネル６０には、電圧印加された場合に、弓状に配向した液晶分子６１Ｍと、その弓状に対する矢のように配向した液晶分子６１Ｍ（両基板６２・６３の垂直方向に沿った液晶分子６１Ｍ）とが混在する。
【０３７０】
そして、このような液晶分子６１Ｍの配向パターンに起因して、液晶分子６１Ｍの階調間の応答速度Ｖｒの変化は、ＭＶＡモードおよびＩＰＳモードに対して異なってくる。そこで、ＶＡ−ＩＰＳモードの液晶６１にて、０階調目から他階調目に階調変化しようとする液晶分子６１Ｍの傾く応答時間を示すグラフを図７５および図７６に示す。なお、図７５が比較的高温の液晶温度Ｔｐ、図７６が比較的高温の液晶温度Ｔｐに対応する。また、図７７のグラフおよび図７８のグラフには、ＶＡ−ＩＰＳモードの他に、ＭＶＡモード、ＩＰＳモードでの応答時間を併記する（なお、図７７が比較的高温の液晶温度Ｔｐ、図７８が比較的高温の液晶温度Ｔｐに対応する）。
【０３７１】
図７７のグラフおよび図７８のグラフに示すように、ＭＶＡモードでは、表示画像が高階調になればなるほど、応答時間が短くなる傾向がある。これは、液晶分子６１Ｍを大きく傾かせるために、その液晶分子６１Ｍに対して印加される電圧値が比較的高くなり、それに起因するためである。
【０３７２】
一方、ＩＰＳモードでもＭＶＡモード同様の傾向はあるものの、液晶分子６１Ｍが回転するという特性上、ＭＶＡモードと比べて、階調毎の応答速度差は小さい。
【０３７３】
しかしながら、ＶＡ−ＩＰＳモードの場合、低階調および高階調に対応する応答時間は比較的短く、中間階調に対応する応答時間は比較的長い。その理由は以下の通りである。
【０３７４】
ＶＡ−ＩＰＳモードにて、高階調の画像が表示される場合、ＭＶＡモードおよびＩＰＳモードと同様に、比較的高い電圧が液晶分子６１Ｍに印加されるため、応答時間は短くなる。
【０３７５】
また、低階調の画像が表示される場合、液晶分子６１Ｍへの印加電圧は比較的低いものの、液晶分子６１Ｍが弓状の電界方向に沿って、弓なりに傾こうとする。このような場合、液晶の流れ（フロー）が配列変化を加速させるように作用するので、応答時間は短くなる（なお、フロー効果は、高階調の場合にも生じる）。
【０３７６】
一方、中間階調の画像が表示される場合、低階調な画像を表示する場合に比べて、液晶分子６１Ｍは、さらに弓なりに傾こうとするが、電極６５Ｐ・６５Ｑ間の中間付近（詳説すると、弓状の電界の中心付近）には、常に両基板６２・６３の垂直方向に沿った液晶分子６１Ｍが位置する。
【０３７７】
そのため、両基板６２・６３の垂直方向に沿った液晶分子６１Ｍに対して、別の液晶分子６１Ｍが倒れかかるように傾いてくると、それらの液晶分子６１Ｍの集まる領域のエネルギー密度は高くなる。そして、このようにエネルギー密度が高まってしまうと、液晶分子６１Ｍは傾くために、よりエネルギーを要することになるので、応答速度Ｖｒが遅くなってしまう。
【０３７８】
以上のような理由で、ＶＡ−ＩＰＳモードの場合、ＭＶＡモードおよびＩＰＳモードとは異なったグラフ線を示す。ただし、ＶＡ−ＩＰＳモードであっても、図７５および図７６に示すように、応答時間の最大値と最小値との差ＴＷが液晶温度Ｔｐによって異なることがわかる（高温の液晶温度Ｔｐでの差ＴＷ［ＶＡ−ＩＰＳ，ＨＯＴ］は、低温の液晶温度Ｔｐでの差ＴＷ［ＶＡ−ＩＰＳ，ＣＯＬＤ］に比べて小さい）。
【０３７９】
したがって、このようなグラフ線で差ＴＷが大きい場合に、画像（１フレーム画像）における低階調範囲の占有率と中間階調範囲の占有率と高階調の占有率とに差があると、バックライト光ＢＬの特性によっては、画質劣化の原因になる。
【０３８０】
例えば、２０℃程度の低温の液晶温度Ｔｐにて、中間階調範囲（例えば、全階調範囲０以上２５５以下のうちの１００以上１９２以下の階調範囲）の占有率が高い場合、液晶分子６１Ｍの応答速度Ｖｒは比較的低速になる。このような液晶分子６１Ｍに対して、ＰＷＭ調光信号のDutyが低く設定されてしまうと、図１５に示すように、多重輪郭が発生しかねない。そこで、このような場合には、ＰＷＭ調光信号のDutyは、高く設定される。
【０３８１】
逆に、低階調範囲の占有率および高階調範囲の占有率が高い場合、液晶分子６１Ｍの応答速度Ｖｒは比較的高速になる。そのため、このような場合には、ＰＷＭ調光信号のDutyが、低く設定されるとよい（要は、ＰＷＭ調光信号の黒挿入の効果が顕著に現れるようにする）。
【０３８２】
そこで、ＶＡ−ＩＰＳモードであっても、実施の形態１で説明したＭＶＡモードと同様に、コントロールユニット１が、ヒストグラムデータＨＧＭを用いて、ＰＷＭ調光信号のDutyを設定するとよい。
【０３８３】
つまり、コントロールユニット１は、ヒストグラムデータＨＧＭの全階調を区分けし、分けられた階調範囲のうちの少なくとも１つの特定の階調範囲における占有率が、占有率閾値を超過するか以下かを判断する。そして、占有率閾値を超過する場合のDutyは、占有率閾値以下の場合のDutyよりも高くされる一方、占有率閾値以下の場合のDutyは、占有率閾値を超過する場合のDutyよりも低くされる（なお、Dutyが変化することに応じて、電流値ＡＭが変えられてもよい）。
【０３８４】
例えば、ＶＡ−ＩＰＳモードの液晶６１にて、液晶温度Ｔｐが２０℃程度で、１００階調目から１９２階調目という特定の階調範囲が占有率５０％を超過する場合（要は、占有率閾値が５０％で、その占有率閾値を超える場合）、Dutyが１００％、７０％のように比較的高めに設定される一方、占有率５０％を以下の場合、Dutyが５０％、３０％のように比較的低く設定される（なお、占有率の大小関係に応じたDutyの大小の傾向を図７９の表に示す）。
【０３８５】
また、ＶＡ−ＩＰＳモードであっても、実施の形態２で説明したＭＶＡモードと同様に、コントロールユニット１が、ヒストグラムデータＨＧＭを用いて、ＰＷＭ調光信号の駆動周波数ＦＱ［ＰＷＭ］を設定するとよい。
【０３８６】
つまり、コントロールユニット１は、上述同様、ヒストグラムデータＨＧＭの全階調を区分けし、分けられた階調範囲のうちの少なくとも１つの特定の階調範囲における占有率が、占有率閾値を超過するか以下かを判断する。そして、占有率閾値を超過する場合の駆動周波数ＦＱ［ＰＷＭ］は、占有率閾値以下の場合の駆動周波数よりも低くされる一方、占有率閾値以下の場合の駆動周波数ＦＱ［ＰＷＭ］は、占有率閾値を超過する場合の駆動周波数よりも高くされる。
【０３８７】
例えば、ＶＡ−ＩＰＳモードにて、液晶温度Ｔｐ２０℃程度の場合に、１００階調目から１９２階調目という特定の階調範囲が、占有率５０％を超過する場合、動画性能の向上を図るべく、駆動周波数ＦＱ［ＰＷＭ］は、例えば１２０Ｈｚのように低く設定される。一方で、占有率５０％を以下の場合の駆動周波数ＦＱ［ＰＷＭ］は、多重輪郭を防止すべく、例えば４８０Ｈｚのように高く設定される（なお、占有率の大小関係に応じた駆動周波数ＦＱ［ＰＷＭ］の大小の傾向を図８０の表に示す）。
【０３８８】
なお、ＭＶＡモードおよびＩＰＳモード同様に、ＶＡ−ＩＰＳモードの場合であっても、パネル用サーミスタ８３の温度データに応じて（すなわち、液晶温度Ｔｐ）に応じて、特定の階調範囲および占有率閾値の少なくとも一方が変わってもよい。例えば、図７５に示すような液晶温度Ｔｐの場合でも、特定の階調範囲の設定が行われてもよい。
【０３８９】
＜■プログラムについて＞
ところで、ＰＷＭ調光信号に対するDuty設定、または、Duty設定および電流値設定、さらには、駆動周波数ＦＱ［ＰＷＭ］の設定は、ＬＥＤ制御プログラム（光源制御プログラム）で実現される。そして、このプログラムは、コンピュータにて実行可能なプログラムであり、コンピュータに読み取り可能な記録媒体に記録されてもよい。なぜなら、記録媒体に記録されたプログラムは、持ち運び自在になるためである。
【０３９０】
なお、この記録媒体としては、例えば分離される磁気テープやカセットテープ等のテープ系、磁気ディスクやＣＤ−ＲＯＭ等の光ディスクのディスク系、ＩＣカード（メモリカードを含む）や光カード等のカード系、あるいはフラッシュメモリ等による半導体メモリ系が挙げられる。
【０３９１】
また、コントロールユニット１は、通信ネットワークからの通信でＬＥＤ制御プログラムを取得してもよい。なお、通信ネットワークとしては、有線無線を問わず、インターネット、赤外線通等が挙げられる。
【符号の説明】
【０３９２】
１      コントロールユニット（制御ユニット）
１０      映像信号処理部
１１      タイミング調整部
１２      ヒストグラム処理部
１３      演算処理部
１４      Duty設定部
１５      電流値設定部
１６      視聴モード設定部
１７      メモリ
１８      ヒストグラムユニット
２０      ＬＣＤコントローラ
３０      ＬＥＤコントローラ
３１      ＬＥＤコントローラ用設定レジスタ群
３２      ＬＥＤドライバー制御部
３３      シリアルパラレル変換部
３４      個体バラツキ補正部
３５      メモリ
３６      温度補正部
３７      経時劣化補正部
３８      パラレルシリアル変換部
４１      駆動周波数可変部
５０      マイコンユニット
５１      メインマイコン
６０      液晶表示パネル
６１      液晶
６１Ｍ    液晶分子
６２      アクティブマトリックス基板
６３      対向基板
６４Ｐ    偏光フィルム
６４Ｑ    偏光フィルム
６５Ｐ    画素電極（第１電極／第２電極）
６５Ｑ    対向電極（第２電極／第１電極）
６６Ｐ    スリット（第１スリット／第２スリット）
６６Ｑ    スリット（第２スリット／第１スリット）
６７Ｐ    リブ（第１リブ／第２リブ）
６７Ｑ    リブ（第２リブ／第１リブ）
７０      バックライトユニット
７１      ＬＥＤ（光源、発光素子）
８１      ゲートドライバー
８２      ソースドライバー
８３      パネル用サーミスタ（第１温度センサ）
８４      環境照度センサ（照度センサ）
８５      ＬＥＤドライバー
８６      ＬＥＤ用サーミスタ
８７      ＬＥＤ用輝度センサ
９０      液晶表示装置
【図１】
2011001720.tif 000003
【図２】
2011001720.tif 000004
【図３】
2011001720.tif 000005
【図４】
2011001720.tif 000006
【図５】
2011001720.tif 000007
【図６】
2011001720.tif 000008
【図７】
2011001720.tif 000009
【図８】
2011001720.tif 000010
【図９】
2011001720.tif 000011
【図１０】
2011001720.tif 000012
【図１１】
2011001720.tif 000013
【図１２Ａ】
2011001720.tif 000014
【図１２Ｂ】
2011001720.tif 000015
【図１２Ｃ】
2011001720.tif 000016
【図１２Ｄ】
2011001720.tif 000017
【図１２Ｅ】
2011001720.tif 000018
【図１３Ａ】
2011001720.tif 000019
【図１３Ｂ】
2011001720.tif 000020
【図１３Ｃ】
2011001720.tif 000021
【図１３Ｄ】
2011001720.tif 000022
【図１４】
2011001720.tif 000023
【図１６】
2011001720.tif 000024
【図１７】
2011001720.tif 000025
【図１９】
2011001720.tif 000026
【図２３Ａ】
2011001720.tif 000027
【図２３Ｂ】
2011001720.tif 000028
【図２３Ｃ】
2011001720.tif 000029
【図２３Ｄ】
2011001720.tif 000030
【図２５】
2011001720.tif 000031
【図２６】
2011001720.tif 000032
【図２７】
2011001720.tif 000033
【図２８】
2011001720.tif 000034
【図２９】
2011001720.tif 000035
【図３０】
2011001720.tif 000036
【図３１】
2011001720.tif 000037
【図３２】
2011001720.tif 000038
【図３３】
2011001720.tif 000039
【図３４】
2011001720.tif 000040
【図３５】
2011001720.tif 000041
【図３６】
2011001720.tif 000042
【図３７】
2011001720.tif 000043
【図３８】
2011001720.tif 000044
【図３９】
2011001720.tif 000045
【図４０】
2011001720.tif 000046
【図４１】
2011001720.tif 000047
【図４２】
2011001720.tif 000048
【図４３】
2011001720.tif 000049
【図４４】
2011001720.tif 000050
【図４５】
2011001720.tif 000051
【図４６】
2011001720.tif 000052
【図４７】
2011001720.tif 000053
【図４８Ａ】
2011001720.tif 000054
【図４８Ｂ】
2011001720.tif 000055
【図４９】
2011001720.tif 000056
【図５０】
2011001720.tif 000057
【図５１】
2011001720.tif 000058
【図５２】
2011001720.tif 000059
【図５３】
2011001720.tif 000060
【図５４】
2011001720.tif 000061
【図５５】
2011001720.tif 000062
【図５６】
2011001720.tif 000063
【図５７】
2011001720.tif 000064
【図５８】
2011001720.tif 000065
【図５９】
2011001720.tif 000066
【図６０】
2011001720.tif 000067
【図６１】
2011001720.tif 000068
【図６２】
2011001720.tif 000069
【図６３】
2011001720.tif 000070
【図６４】
2011001720.tif 000071
【図６５】
2011001720.tif 000072
【図６６】
2011001720.tif 000073
【図６７】
2011001720.tif 000074
【図６８Ａ】
2011001720.tif 000075
【図６８Ｂ】
2011001720.tif 000076
【図６９】
2011001720.tif 000077
【図７０】
2011001720.tif 000078
【図７２】
2011001720.tif 000079
【図７３】
2011001720.tif 000080
【図７４】
2011001720.tif 000081
【図７５】
2011001720.tif 000082
【図７６】
2011001720.tif 000083
【図７７】
2011001720.tif 000084
【図７８】
2011001720.tif 000085
【図７９】
2011001720.tif 000086
【図８０】
2011001720.tif 000087
【図１５】
2011001720.tif 000088
【図１８】
2011001720.tif 000089
【図２０】
2011001720.tif 000090
【図２１】
2011001720.tif 000091
【図２２】
2011001720.tif 000092
【図２４】
2011001720.tif 000093
【図７１】
2011001720.tif 000094
【手続補正書】
【提出日】平成23年12月9日(2011.12.9)
【手続補正１】
【補正対象書類名】明細書
【補正対象項目名】００４１
【補正方法】変更
【補正の内容】
【００４１】
【図１】は、液晶表示装置のブロック図である。
【図２】は、液晶表示装置のブロック図の一部分を抽出し、詳細にしたブロック図である。
【図３】は、液晶表示装置のブロック図の一部分を抽出し、詳細にしたブロック図である。
【図４】は、液晶表示パネルの部分断面図である。
【図５】は、ＭＶＡモード（スリットタイプ）の液晶で、電圧が印加されていない場合（ＯＦＦの場合）の液晶分子の配向を示す斜視図である。
【図６】は、ＭＶＡモード（スリットタイプ）の液晶で、電圧が印加されている場合（ＯＮの場合）の液晶分子の配向を示す斜視図である。
【図７】は、ＭＶＡモード（リブタイプ）の液晶で、電圧が印加されていない場合（ＯＦＦの場合）の液晶分子の配向を示す斜視図である。
【図８】は、ＭＶＡモード（リブタイプ）の液晶で、電圧が印加されている場合（ＯＮの場合）の液晶分子の配向を示す斜視図である。
【図９】は、ＩＰＳモードの液晶で、電圧が印加されていない場合（ＯＦＦの場合）の液晶分子の配向を示す斜視図である。
【図１０】は、ＩＰＳモードの液晶で、電圧が印加されている場合（ＯＮの場合）の液晶分子の配向を示す斜視図である。
【図１１】は、櫛歯状の画素電極と櫛歯状の対向電極とを示す斜視図である。
【図１２Ａ】は、人物像を表示した液晶表示パネルの画面を示す平面図である。
【図１２Ｂ】は、黒画像と白画像とを表示した液晶表示パネルの画面を示す平面図である。
【図１２Ｃ】は、黒画像と白画像とを表示した液晶表示パネルの画面を示す平面図である。
【図１２Ｄ】は、黒画像と白画像とを表示した液晶表示パネルの画面を示す平面図である。
【図１２Ｅ】は、黒画像と白画像とを表示した液晶表示パネルの画面を示す平面図である。
【図１３Ａ】は、比較的遅い応答速度の液晶に対して、Ｄｕｔｙ１００％のＰＷＭ調光信号で駆動するＬＥＤの光が供給される場合での、時間に対する液晶分子の傾き量、ＰＷＭ調光信号の波形、輝度変化を示したグラフである。
【図１３Ｂ】は、比較的遅い応答速度の液晶に対して、Ｄｕｔｙ５０％のＰＷＭ調光信号で駆動するＬＥＤの光が供給される場合での、時間に対する液晶分子の傾き量、ＰＷＭ調光信号の波形、輝度変化を示したグラフである。
【図１３Ｃ】は、比較的速い応答速度の液晶に対して、Ｄｕｔｙ１００％のＰＷＭ調光信号で駆動するＬＥＤの光が供給される場合での、時間に対する液晶分子の傾き量、ＰＷＭ調光信号の波形、輝度変化を示したグラフである。
【図１３Ｄ】は、比較的速い応答速度の液晶に対して、Ｄｕｔｙ５０％のＰＷＭ調光信号で駆動するＬＥＤの光が供給される場合での、時間に対する液晶分子の傾き量、ＰＷＭ調光信号の波形、輝度変化を示したグラフである。
【図１４】は、黒画像と白画像との境界付近の積分輝度を示したグラフ、および、境界画像のイメージ図である（ただし、液晶の応答速度が比較的遅く、ＰＷＭ調光信号がＤｕｔｙ１００％の場合）。
【図１５】は、黒画像と白画像との境界付近の積分輝度を示したグラフ、および、境界画像のイメージ図である（ただし、液晶の応答速度が比較的遅く、ＰＷＭ調光信号がＤｕｔｙ５０％の場合）。
【図１６】は、黒画像と白画像との境界付近の積分輝度を示したグラフ、および、境界画像のイメージ図である（ただし、液晶の応答速度が比較的速く、ＰＷＭ調光信号がＤｕｔｙ１００％の場合）。
【図１７】は、黒画像と白画像との境界付近の積分輝度を示したグラフ、および、境界画像のイメージ図である（ただし、液晶の応答速度が比較的速く、ＰＷＭ調光信号がＤｕｔｙ５０％の場合）。
【図１８】は、図１４〜図１７から導き出せる画質評価をまとめた表である。
【図１９】は、液晶分子の応答速度と、ＰＷＭ調光信号のＤｕｔｙ（黒挿入率）との関係を示した表である。
【図２０】は、液晶分子の応答速度におけるデータ値と、ＰＷＭ調光信号のＤｕｔｙ（黒挿入率）におけるデータ値との関係を矢印で示した表である。
【図２１】は、液晶分子の応答速度におけるデータ値と、ＰＷＭ調光信号のＤｕｔｙ（黒挿入率）におけるデータ値との関係を矢印で示した表である。
【図２２】は、液晶温度のデータ値と、液晶分子の応答速度におけるデータ値と、ＰＷＭ調光信号のＤｕｔｙ（黒挿入率）におけるデータ値との関係を矢印で示した表である。
【図２３Ａ】は、同じ電流値のＰＷＭ調光信号の波形と輝度との関係を示す説明図である（ただし、Ｄｕｔｙは１００％および５０％）。
【図２３Ｂ】は、図２３ＡでのＤｕｔｙ１００％の輝度と同輝度になるように調整された電流値を有するＰＷＭ調光信号の波形と、輝度との関係を示す説明図である（ただし、Ｄｕｔｙ８０％）。
【図２３Ｃ】は、図２３ＡでのＤｕｔｙ１００％の輝度と同輝度になるように調整された電流値を有するＰＷＭ調光信号の波形と、輝度との関係を示す説明図である（ただし、Ｄｕｔｙは６０％）。
【図２３Ｄ】は、図２３ＡでのＤｕｔｙ１００％の輝度と同輝度になるように調整された電流値を有するＰＷＭ調光信号の波形と、輝度との関係を示す説明図である（ただし、Ｄｕｔｙは５０％）。
【図２４】は、液晶温度のデータ値と、液晶分子の応答速度におけるデータ値と、ＰＷＭ調光信号のＤｕｔｙ（黒挿入率）におけるデータ値と、ＰＷＭ調光信号の電流値におけるデータ値との関係を矢印で示した表である。
【図２５】は、ＦＲＣ処理があることを考慮して、ＰＷＭ調光信号のＤｕｔｙが設定される場合のフローチャートである。
【図２６】は、ＦＲＣ処理の有無と、ＰＷＭ調光信号のＤｕｔｙ（黒挿入率）との関係を示した表である。
【図２７】は、視聴モード（動画レベルの変更）を考慮して、ＰＷＭ調光信号のＤｕｔｙが設定される場合のフローチャートである。
【図２８】は、動画レベルと、ＰＷＭ調光信号のＤｕｔｙ（黒挿入率）との関係を示した表である。
【図２９】は、視聴モード（コントラスト比の変更）を考慮して、ＰＷＭ調光信号のＤｕｔｙが設定される場合のフローチャートである。
【図３０】は、コントラスト比と、ＰＷＭ調光信号のＤｕｔｙ（黒挿入率）との関係を示した表である。
【図３１】は、視聴モード（動画レベルとコントラスト比との両方）を考慮して、ＰＷＭ調光信号のＤｕｔｙが設定される場合のフローチャートである。
【図３２】は、環境対応機能を考慮して、ＰＷＭ調光信号のＤｕｔｙが設定される場合のフローチャートである。
【図３３】は、環境対応機能に使用される照度データと、ＰＷＭ調光信号のＤｕｔｙ（黒挿入率）との関係を示した表である。
【図３４】は、階調値と液晶分子の応答時間との関係を示すグラフである（ただし、ＭＶＡモードの液晶で、液晶温度が比較的高温の場合）。
【図３５】は、階調値と液晶分子の応答時間との関係を示すグラフである（ただし、ＭＶＡモードの液晶で、液晶温度が比較的低温の場合）。
【図３６】は、映像信号対応機能を考慮して、ＰＷＭ調光信号のＤｕｔｙが設定される場合のフローチャートである。
【図３７】は、映像信号対応機能にて使用される特定階調範囲の占有率と、階調値と、ＰＷＭ調光信号のＤｕｔｙ（黒挿入率）との関係を示した表である（ただし、液晶はＭＶＡモード）。
【図３８】は、階調値と液晶分子の応答時間との関係を示すグラフである（ただし、ＩＰＳモードの液晶で、液晶温度が比較的高温の場合）。
【図３９】は、階調値と液晶分子の応答時間との関係を示すグラフである（ただし、ＩＰＳモードの液晶で、液晶温度が比較的低温の場合）。
【図４０】は、種々機能を考慮して、ＰＷＭ調光信号のＤｕｔｙが設定される場合のフローチャートである。
【図４１】は、黒画像と白画像との境界付近の積分輝度を示したグラフである（ただし、液晶の応答速度が比較的遅く、ＰＷＭ調光信号がＤｕｔｙ７０％の場合）。
【図４２】は、黒画像と白画像との境界付近の積分輝度を示したグラフである（ただし、液晶の応答速度が比較的遅く、ＰＷＭ調光信号がＤｕｔｙ３０％の場合）。
【図４３】は、黒画像と白画像との境界付近の積分輝度を示したグラフである（ただし、液晶の応答速度が比較的速く、ＰＷＭ調光信号がＤｕｔｙ７０％の場合）。
【図４４】は、黒画像と白画像との境界付近の積分輝度を示したグラフである（ただし、液晶の応答速度が比較的速く、ＰＷＭ調光信号がＤｕｔｙ３０％の場合）。
【図４５】は、液晶表示装置のブロック図である。
【図４６】は、液晶表示装置のブロック図の一部分を抽出し、詳細にしたブロック図である。
【図４７】は、液晶表示装置のブロック図の一部分を抽出し、詳細にしたブロック図である。
【図４８Ａ】は、比較的遅い応答速度の液晶に対して、Ｄｕｔｙ５０％のＰＷＭ調光信号で駆動するＬＥＤの光が供給される場合での、時間に対する液晶分子の傾き量、ＰＷＭ調光信号の波形、輝度変化を示したグラフである（ただし、ＰＷＭ調光信号の駆動周波数１２０Ｈｚ）。
【図４８Ｂ】、比較的遅い応答速度の液晶に対して、Ｄｕｔｙ５０％のＰＷＭ調光信号で駆動するＬＥＤの光が供給される場合での、時間に対する液晶分子の傾き量、ＰＷＭ調光信号の波形、輝度変化を示したグラフである（ただし、ＰＷＭ調光信号の駆動周波数４８０Ｈｚ）。
【図４９】は、黒画像と白画像との境界付近の積分輝度を示したグラフで、および、境界画像のイメージ図である（ただし、液晶の応答速度が比較的遅く、ＰＷＭ調光信号が、駆動周波数４８０Ｈｚで、Ｄｕｔｙ５０％の場合）。
【図５０】は、液晶分子の応答速度と、ＰＷＭ調光信号の駆動周波数との関係を示した表である。
【図５１】は、液晶分子の応答速度におけるデータ値と、ＰＷＭ調光信号の駆動周波数におけるデータ値との関係を矢印で示した表である。
【図５２】は、液晶分子の応答速度におけるデータ値と、ＰＷＭ調光信号の駆動周波数におけるデータ値との関係を矢印で示した表である。
【図５３】は、液晶温度におけるデータ値と、液晶分子の応答速度のデータ値と、ＰＷＭ調光信号の駆動周波数におけるデータ値との関係を矢印で示した表である。
【図５４】は、映像信号対応機能があることを考慮して、ＰＷＭ調光信号の駆動周波数が設定される場合のフローチャートである。
【図５５】は、映像信号対応機能にて使用される特定階調範囲の占有率と、輝度と、ＰＷＭ調光信号のＤｕｔｙと、ＰＷＭ調光信号の駆動周波数との関係を示した表である（ただし、液晶はＭＶＡモード）。
【図５６】は、ＦＲＣ処理があることを考慮して、ＰＷＭ調光信号の駆動周波数が設定される場合のフローチャートである。
【図５７】は、ＦＲＣ処理の有無と、ＰＷＭ調光信号の駆動周波数との関係を示した表である。
【図５８】は、視聴モード（動画レベルの変更）を考慮して、ＰＷＭ調光信号の駆動周波数が設定される場合のフローチャートである。
【図５９】は、動画レベルと、ＰＷＭ調光信号の駆動周波数との関係を示した表である。
【図６０】は、視聴モード（コントラスト比の変更）を考慮して、ＰＷＭ調光信号の駆動周波数が設定される場合のフローチャートである。
【図６１】は、コントラスト比と、ＰＷＭ調光信号の駆動周波数との関係を示した表である。
【図６２】は、視聴モード（動画レベルとコントラスト比との両方）を考慮して、ＰＷＭ調光信号の駆動周波数が設定される場合のフローチャートである。
【図６３】は、環境対応機能を考慮して、ＰＷＭ調光信号の駆動周波数が設定される場合のフローチャートである。
【図６４】は、環境対応機能に使用される照度データと、ＰＷＭ調光信号の駆動周波数との関係を示した表である。
【図６５】は、種々機能を考慮して、ＰＷＭ調光信号の駆動周波数が設定される場合のフローチャートである。
【図６６】は、種々機能を考慮して、ＰＷＭ調光信号の駆動周波数が設定される場合のフローチャートである。
【図６７】は、１２０Ｈｚ、４８０Ｈｚ、６０ＨｚのＰＷＭ調光信号の波形を並列された信号波形図である。
【図６８Ａ】は、比較的遅い応答速度の液晶に対して、Ｄｕｔｙ５０％のＰＷＭ調光信号で駆動するＬＥＤの光が供給される場合での、時間に対する液晶分子の傾き量、 ＰＷＭ調光信号の波形、輝度変化を示したグラフである（ただし、ＰＷＭ調光信号の駆動周波数１２０Ｈｚで、液晶への印加電圧がオーバードライブ駆動ではない）。
【図６８Ｂ】は、比較的遅い応答速度の液晶に対して、Ｄｕｔｙ５０％のＰＷＭ調光信号で駆動するＬＥＤの光が供給される場合での、時間に対する液晶分子の傾き量、 ＰＷＭ調光信号の波形、輝度変化を示したグラフである（ただし、ＰＷＭ調光信号の駆動周波数１２０Ｈｚで、液晶への印加電圧がオーバードライブ駆動である）。
【図６９】は、黒画像と白画像との境界付近の積分輝度を示したグラフである。
【図７０】は、液晶表示装置の分解斜視図である。
【図７１】は、中心に白画像、その白画像の周りに黒画像を表示する液晶表示パネルと、その液晶表示パネルの画像に対応するバックライトユニットとを併記した平面図である。
【図７２】は、液晶表示装置の分解斜視図である。
【図７３】は、ＶＡ−ＩＰＳモードの液晶で、電圧が印加されていない場合（ＯＦＦの場合）の液晶分子の配向を示す斜視図である。
【図７４】は、ＶＡ-ＩＰＳモードの液晶で、電圧が印加されている場合（ＯＮの場合）の液晶分子の配向を示す斜視図である。
【図７５】は、階調値と液晶分子の応答時間との関係を示すグラフである（ただし、ＶＡ−ＩＰＳモードの液晶で、液晶温度が比較的高温の場合）。
【図７６】は、階調値と液晶分子の応答時間との関係を示すグラフである（ただし、ＶＡ−ＩＰＳモードの液晶で、液晶温度が比較的低温の場合）。
【図７７】は、階調値と液晶分子の応答時間との関係を示すグラフである（ただし、ＭＶＡモード、ＩＰＳモード、ＶＡ−ＩＰＳモードの液晶で、液晶温度が比較的高温の場合）。
【図７８】は、階調値と液晶分子の応答時間との関係を示すグラフである（ただし、ＭＶＡモード、ＩＰＳモード、ＶＡ−ＩＰＳモードの液晶で、液晶温度が比較的低温の場合）。
【図７９】は、映像信号対応機能にて使用される特定階調範囲の占有率と、階調値と、ＰＷＭ調光信号のＤｕｔｙ（黒挿入率）との関係を示した表である（ただし、液晶はＶＡ−ＩＰＳモード）。
【図８０】は、映像信号対応機能にて使用される特定階調範囲の占有率と、輝度と、ＰＷＭ調光信号のＤｕｔｙと、ＰＷＭ調光信号の駆動周波数との関係を示した表である（ただし、液晶はＶＡ−ＩＰＳモード）。
【手続補正２】
【補正対象書類名】明細書
【補正対象項目名】００６６
【補正方法】変更
【補正の内容】
【００６６】
また、演算処理部１３は、初期画像信号Ｆ−ＶＤのうち、液晶表示パネル６０に適したセパレータＬＣＤ信号ＶＤ−Ｓｐを補正した後に、液晶表示パネルコントローラ２０に送信する。なお、この補正処理は、後述するＬＥＤ７１の制御用信号（ＰＷＭ調光信号ＶＤ−Ｓｄ［Ｗ・Ａ］）を考慮したものである（この補正処理されたセパレータＬＣＤ信号ＶＤ−Ｓｐを、ＬＣＤ用映像信号ＶＤ−Ｓｐ［ｌｅｄ］とする）。
【手続補正３】
【補正対象書類名】明細書
【補正対象項目名】００９８
【補正方法】変更
【補正の内容】
【００９８】
＜■ＬＥＤを発光制御するＰＷＭ調光信号について＞
ここで、ＬＥＤ７１の発光を制御するＰＷＭ調光信号ＶＤ−Ｓｄ［Ｗ］について説明する。ＰＷＭ調光信号ＶＤ−Ｓｄ［Ｗ］は、液晶分子６１Ｍの配向変化の応答速度Ｖｒに応じて、Ｄｕｔｙを変えられている（ただし、応答速度Ｖｒだけでなく、ＬＥＤコントローラ３０等による種々の補正結果が考慮された上で、ＬＥＤ７１に直接入力されるＰＷＭ調光信号のＤｕｔｙが、所望の値になるように設定される）。
【手続補正４】
【補正対象書類名】明細書
【補正対象項目名】０１１２
【補正方法】変更
【補正の内容】
【０１１２】
さらに、リブ６７Ｐは、例えば三角柱状で、１つの側面を電極６５Ｐに向け、他の側面を液晶６１に接させるように配置される。同様に、リブ６７Ｑは、例えば  三角柱状で、１つの側面を電極６５Ｑに向け、他の側面を液晶６１に接させるように配置される（なお、液晶６１に接するリブ６７の側面を斜面と称する）。
【手続補正５】
【補正対象書類名】明細書
【補正対象項目名】０１５５
【補正方法】変更
【補正の内容】
【０１５５】
具体的には、応答過程時間帯ＣＷを２つに分割した場合の最初の期間（１番目の期間）では、液晶分子６１Ｍに光が供給されず、２番目の期間では、液晶分子６１Ｍに光が供給される。すると、１番目の期間は、図１３Ｄの下段グラフに示すように、最小の輝度値を示す時間帯になる。
【手続補正６】
【補正対象書類名】明細書
【補正対象項目名】０１８７
【補正方法】変更
【補正の内容】
【０１８７】
しかしながら、Ｄｕｔｙ設定部１４が、種々機能の動作が有ることに起因して、Ｄｕｔｙの設定を変えることが望ましいと判断した場合（ＳＴＥＰ３のＹＥＳの場合）、Ｄｕｔｙ設定部１４は、種々機能を考慮してＤｕｔｙの設定を行う。このようになっていれば、確実に画質向上が図れるためである。
【手続補正７】
【補正対象書類名】明細書
【補正対象項目名】０２４６
【補正方法】変更
【補正の内容】
【０２４６】
また、図４３と図１６とを比較すると、図１６におけるグラフ線の傾斜よりも、図４３のグラフ線の傾斜のほうが大きい（ただし、まだ、残像が見える）。さらに、図４４と図１７とを比較すると、図１７におけるグラフ線の傾斜よりも、図４４のグラフ線の傾斜のほうが大きい。
【手続補正８】
【補正対象書類名】明細書
【補正対象項目名】０２５２
【補正方法】変更
【補正の内容】
【０２５２】
詳説すると、ヒストグラムデータＨＧＭ、メモリデータＤＭ、モード種別信号ＭＤ、温度データ、照度データ、ＯＮ／ＯＦＦ信号は、ＬＥＤコントローラ３０に含まれる駆動周波数可変部４１に送信される。そして、この駆動周波数可変部４１は、液晶温度Ｔｐに応じて、駆動周波数ＦＱ［ＰＷＭ］を切り替える。
【手続補正９】
【補正対象書類名】明細書
【補正対象項目名】０２７１
【補正方法】変更
【補正の内容】
【０２７１】
しかしながら、駆動周波数可変部４１が、種々機能の動作が有ることに起因して、駆動周波数ＦＱ［ＰＷＭ］の設定を変えることが望ましいと判断した場合（ＳＴＥＰ１０３のＹＥＳの場合）、駆動周波数可変部４１は、種々機能を考慮して駆動周波数ＦＱ［ＰＷＭ］の設定を行う。このようになっていれば、確実に画質向上が図れるためである。
【手続補正１０】
【補正対象書類名】明細書
【補正対象項目名】０２８４
【補正方法】変更
【補正の内容】
【０２８４】
例えば、ＭＶＡモードの液晶表示装置９０における駆動周波数可変部４１は、液晶表示パネル６０に比較的高階調の画像が表示される場合、駆動周波数ＦＱ［ＰＷＭ］を、例えば４８０Ｈｚに設定する（なお、占有率の大小関係に応じた駆動周波数ＦＱ［ＰＷＭ］の大小の傾向を図５５の表に示す）。このようになっていると、高階調画像のために、低階調画像に比べて、Ｄｕｔｙが高かったとしても、多重輪郭の発生が防止される。
【手続補正１１】
【補正対象書類名】明細書
【補正対象項目名】０２９０
【補正方法】変更
【補正の内容】
【０２９０】
（●ＦＲＣ処理機能）
また、図５６のフローチャートに示すように（ＳＴＥＰ１０１〜１０４は、上述と同様）、駆動周波数可変部４１はＦＲＣ処理の有無の判断を行ってもよい（ＳＴＥＰ１２５）。具体的には、駆動周波数可変部４１は、ＬＣＤコントローラ２０のＦＲＣ処理部２１からのＦＲＣ処理の有無を示す信号（ＯＮ／ＯＦＦ信号）を受信する。
【手続補正１２】
【補正対象書類名】明細書
【補正対象項目名】０２９５
【補正方法】変更
【補正の内容】
【０２９５】
つまり、図４５に示されるコントロールユニット１は、フレームレートコントロール処理を行うＦＲＣ処理部２１を含んでおり、そのコントロールユニット１（詳説すると、駆動周波数可変部４１）は、ＦＲＣ処理部２１はＦＲＣ処理の有無に応じて、駆動周波数ＦＱ［ＰＷＭ］を変化させる。なお、ＦＲＣ処理が有る場合の駆動周波数ＦＱ［ＰＷＭ］は、ＦＲＣ処理が無い場合の駆動周波数ＦＱ［ＰＷＭ］に比べて、低い（図５７参照）。
【手続補正１３】
【補正対象書類名】明細書
【補正対象項目名】０３０３
【補正方法】変更
【補正の内容】
【０３０３】
そして、駆動周波数可変部４１は、図６０のフローチャートに示すように（ＳＴＥＰ１０１〜１０４は、上述と同様）、コントラスト比に応じて、直前の駆動周波数ＦＱ［ＰＷＭ］の変更を要するか否かを判断する（ＳＴＥＰ１４５）。なぜなら、直前の駆動周波数ＦＱ［ＰＷＭ］、すなわちＳＴＥＰ１０４で設定される駆動周波数ＦＱ［ＰＷＭ］が、コントラスト比が低い場合での駆動周波数ＦＱ［ＰＷＭ］と変わらないこともあるためである。
【手続補正１４】
【補正対象書類名】明細書
【補正対象項目名】０３１６
【補正方法】変更
【補正の内容】
【０３１６】
つまり、図４５に示されるコントロールユニット１は、外部の照度データを取得し、その照度データに応じて、駆動周波数ＦＱ［ＰＷＭ］を変化させる）。なお、複数の照度データ範囲毎におけるデータ値の大小関係と逆関係になるように、駆動周波数ＦＱ［ＰＷＭ］が、照度データ範囲毎に変えられる（図６４参照）。
【手続補正１５】
【補正対象書類名】明細書
【補正対象項目名】０３２４
【補正方法】変更
【補正の内容】
【０３２４】
一方で、駆動周波数可変部４１は、ＦＲＣ処理が行われている場合で、直前の駆動周波数ＦＱ［ＰＷＭ］の変更を要するか否かを判断する（ＳＴＥＰ１７８）。そして、駆動周波数可変部４１が、直前の駆動周波数ＦＱ［ＰＷＭ］の変更を要しないと判断した場合（ＳＴＥＰ１７８のＮＯの場合）、液晶温度Ｔｐに応じた応答速度Ｖｒ・照度データ・階調を考慮した駆動周波数ＦＱ［ＰＷＭ］を設定する（ＳＴＥＰ１７７）。
【手続補正１６】
【補正対象書類名】明細書
【補正対象項目名】０３２５
【補正方法】変更
【補正の内容】
【０３２５】
一方で、駆動周波数可変部４１が、直前の駆動周波数ＦＱ［ＰＷＭ］の変更を要すると判断した場合（ＳＴＥＰ１７８のＹＥＳの場合）、続いて、視聴モード（例えば、動画レベル）に応じて、直前の駆動周波数ＦＱ［ＰＷＭ］の変更を要するか否かを判断する（ＳＴＥＰ１７９）。そして、駆動周波数可変部４１が、直前の駆動周波数ＦＱ［ＰＷＭ］の変更を要しないと判断した場合（ＳＴＥＰ１７９のＮＯの場合）には、液晶温度Ｔｐに応じた応答速度Ｖｒ・照度データ・階調・ＦＲＣ処理を考慮した駆動周波数ＦＱ［ＰＷＭ］を設定する（ＳＴＥＰ１８０）。
【手続補正１７】
【補正対象書類名】明細書
【補正対象項目名】０３２６
【補正方法】変更
【補正の内容】
【０３２６】
一方で、駆動周波数可変部４１は、直前の駆動周波数ＦＱ［ＰＷＭ］の変更を要すると判断した場合（ＳＴＥＰ１７９のＹＥＳの場合）には、液晶温度Ｔｐに応じた応答速度Ｖｒ・照度データ・階調・ＦＲＣ処理・視聴モードを考慮した駆動周波数ＦＱ［ＰＷＭ］を設定する（ＳＴＥＰ１８１）。
【手続補正１８】
【補正対象書類名】明細書
【補正対象項目名】０３２７
【補正方法】変更
【補正の内容】
【０３２７】
この図６３、図６５、および図６６のフローチャートのように、駆動周波数可変部４１は、環境対応機能、映像信号対応機能、ＦＲＣ処理機能、視聴モード設定機能が、組み合わさって動作する場合であっても、駆動周波数ＦＱ［ＰＷＭ］を変えられる。
【手続補正１９】
【補正対象書類名】明細書
【補正対象項目名】０３７０
【補正方法】変更
【補正の内容】
【０３７０】
そして、このような液晶分子６１Ｍの配向パターンに起因して、液晶分子６１Ｍの階調間の応答速度Ｖｒの変化は、ＭＶＡモードおよびＩＰＳモードに対して異なってくる。そこで、ＶＡ−ＩＰＳモードの液晶６１にて、０階調目から他階調目に階調変化しようとする液晶分子６１Ｍの傾く応答時間を示すグラフを図７５および図７６に示す。なお、図７５が比較的高温の液晶温度Ｔｐ、図７６が比較的低温の液晶温度Ｔｐに対応する。また、図７７のグラフおよび図７８のグラフには、ＶＡ−ＩＰＳモードの他に、ＭＶＡモード、ＩＰＳモードでの応答時間を併記する（なお、図７７が比較的高温の液晶温度Ｔｐ、図７８が比較的低温の液晶温度Ｔｐに対応する）。
【国際調査報告】
2011001720.tif 000095
2011001720.tif 000096